(57)【要約】【課題】上りリンクデータを効率的に伝送すること。【解決手段】プライマリーセル（ＰＣｅｌｌ）とＬＡＡセカンダリーセル（ＬＡＡ  ＳＣｅｌｌ）を用いて基地局装置と通信する端末装置であって、第１のパラメータが設定されていることに少なくとも基づいてＰＣｅｌｌに対して設定される第１の上りリンクグラントに対応する第１の上りリンク送信をスキップし、第２のパラメータが設定されていることに少なくとも基づいてＬＡＡ  ＳＣｅｌｌに対して設定される第２の上りリンクグラントに対応する第２の上りリンク送信をスキップし、第３のパラメータが設定されていることに少なくとも基づいて、ＰＣｅｌｌにおける第３の上りリンク送信、および、ＬＡＡ  ＳＣｅｌｌにおける第４の上りリンク送信をスキップし、第３の上りリンク送信はＣ−ＲＮＴＩに対応する第３の上りリンクグラントに対応し、第４の上りリンク送信はＣ−ＲＮＴＩに対応する第４の上りリンクグラントに対応する。【選択図】図１９
2020107920.tif 000002
【特許請求の範囲】
【請求項１】
プライマリーセル、および、ＬＡＡセカンダリーセルを用いて基地局装置と通信する端末装置であって、
プライマリーセルに対応するパラメータskipUplinkTxSPSを示す情報、前記ＬＡＡセカ
ンダリーセルに対応するパラメータskipUplinkTxLaaSPSを示す情報、および、前記プライマリーセルおよび前記ＬＡＡセカンダリーセルに対応するパラメータskipUplinkTxDynamicを示す情報を受信する受信部と、
上りリンク送信を実行する送信部と、を備え、
前記送信部は、さらに、
前記パラメータskipUplinkTxSPSが設定されていることに少なくとも基づいて、前記
プライマリーセルに対して設定される第１の上りリンクグラントに対応する第１の上りリンク送信をスキップし、
前記パラメータskipUplinkTxLaaSPSが設定されていることに少なくとも基づいて、前記ＬＡＡセカンダリーセルに対して設定される第２の上りリンクグラントに対応する第２の上りリンク送信をスキップし、
前記パラメータskipUplinkTxDynamicが設定されていることに少なくとも基づいて、
前記プライマリーセルにおける第３の上りリンク送信、および、前記ＬＡＡセカンダリーセルにおける第４の上りリンク送信をスキップし、
前記第３の上りリンク送信はＣ−ＲＮＴＩに対応する第３の上りリンクグラントに対応し、
前記第４の上りリンク送信は前記Ｃ−ＲＮＴＩに対応する第４の上りリンクグラントに対応する
端末装置。
【請求項２】
前記端末装置は、さらに、第２のＬＡＡセカンダリーセルを用いて基地局装置と通信し、
前記受信部は、さらに、前記第２のＬＡＡセカンダリーセルに対応する第２のパラメータskipUplinkTxLaaSPSを示す情報を受信し、
前記送信部は、さらに、前記第２のパラメータskipUplinkTxLaaSPSが設定されていることに少なくとも基づいて、前記第２のＬＡＡセカンダリーセルに対して設定される第５の上りリンクグラントに対応する第５の上りリンク送信をスキップする
請求項１に記載の端末装置。
【請求項３】
プライマリーセル、および、ＬＡＡセカンダリーセルを用いて基地局装置と通信する端末装置に用いられる通信方法であって、
プライマリーセルに対応するパラメータskipUplinkTxSPSを示す情報、前記ＬＡＡセカ
ンダリーセルに対応するパラメータskipUplinkTxLaaSPSを示す情報、および、前記プライマリーセルおよび前記ＬＡＡセカンダリーセルに対応するパラメータskipUplinkTxDynamicを示す情報を受信し、
前記パラメータskipUplinkTxSPSが設定されていることに少なくとも基づいて、前記プ
ライマリーセルに対して設定される第１の上りリンクグラントに対応する第１の上りリンク送信をスキップし、
前記パラメータskipUplinkTxLaaSPSが設定されていることに少なくとも基づいて、前記ＬＡＡセカンダリーセルに対して設定される第２の上りリンクグラントに対応する第２の上りリンク送信をスキップし、
前記パラメータskipUplinkTxDynamicが設定されていることに少なくとも基づいて、前
記プライマリーセルにおける第３の上りリンク送信、および、前記ＬＡＡセカンダリーセルにおける第４の上りリンク送信をスキップし、
前記第３の上りリンク送信はＣ−ＲＮＴＩに対応する第３の上りリンクグラントに対応
し、
前記第４の上りリンク送信は前記Ｃ−ＲＮＴＩに対応する第４の上りリンクグラントに対応する
通信方法。
【請求項４】
前記端末装置は、さらに、第２のＬＡＡセカンダリーセルを用いて基地局装置と通信し、
前記通信方法は、さらに、
前記第２のＬＡＡセカンダリーセルに対応する第２のパラメータskipUplinkTxLaaSPSを示す情報を受信し、
前記第２のパラメータskipUplinkTxLaaSPSが設定されていることに少なくとも基づいて、前記第２のＬＡＡセカンダリーセルに対して設定される第５の上りリンクグラントに対応する第５の上りリンク送信をスキップする
請求項３に記載の通信方法。
【発明の詳細な説明】
【技術分野】
【０００１】
本発明は、端末装置、基地局装置、および、通信方法に関する。
【背景技術】
【０００２】
セルラー移動通信の無線アクセス方式および無線ネットワーク（以下、「Long Term Evolution （LTE：登録商標）」、または、「Evolved Universal Terrestrial Radio Access : EUTRA」と称する。）が、第三世代パートナーシッププロジェクト（3rd Generation Partnership Project: 3GPP）において検討されている（非特許文献１、２、３、４、５
）。また、３ＧＰＰにおいて、新たな無線アクセス方式（以下、「New Radio（NR）」と
称する。）が検討されている。ＬＴＥでは、基地局装置をｅＮｏｄｅＢ（evolved NodeB
）とも称する。ＮＲでは、基地局装置をｇＮｏｄｅＢとも称する。ＬＴＥ、および、ＮＲでは、端末装置をＵＥ（User Equipment）とも称する。ＬＴＥ、および、ＮＲは、基地局装置がカバーするエリアをセル状に複数配置するセルラー通信システムである。単一の基地局装置は複数のセルを管理してもよい。
【０００３】
ＬＴＥは、時分割複信（Time Division Duplex: TDD）に対応している。ＴＤＤ方式を
採用したＬＴＥをＴＤ−ＬＴＥまたはＬＴＥ  ＴＤＤとも称する。ＴＤＤにおいて、上りリンク信号と下りリンク信号が時分割多重される。また、ＬＴＥは、周波数分割複信（Frequency Division Duplex: FDD）に対応している。
【０００４】
３ＧＰＰにおいて、待ち時間の縮小の強化（latency reduction enhancements）が検討されている。例えば、待ち時間の縮小の強化として、スケジューリングリクエストの高速のグラント（Scheduling request first grant）や事前にスケジュールされた高速のグラント（Pre-scheduled first grant）が検討されている（非特許文献６）。
【先行技術文献】
【非特許文献】
【０００５】
【非特許文献１】"3GPP TS 36.211 V13.0.0 (2015-12)", 6th January, 2016.
【非特許文献２】"3GPP TS 36.212 V13.0.0 (2015-12)", 6th January, 2016.
【非特許文献３】"3GPP TS 36.213 V13.0.0 (2015-12)", 6th January, 2016.
【非特許文献４】"3GPP TS 36.321 V13.0.0 (2015-12)", 14th January, 2016.
【非特許文献５】"3GPP TS 36.331 V13.0.0 (2015-12)", 7th January, 2016.
【非特許文献６】"L2 enhancements to reduce latency", R2-153490, Ericsson, 3GPP TSG-RAN WG2 #91, Beijing, China, 24-28 August 2015.
【発明の概要】
【発明が解決しようとする課題】
【０００６】
しかしながら、上述のような無線通信システムにおいて、上りリンクデータが送信される際の手順について、具体的な方法は十分に検討されていなかった。
【０００７】
本発明は上記の点に鑑みてなされたものであり、その目的は、上りリンクデータを効率的に送信することができる端末装置、基地局装置、通信方法、および、集積回路を提供することを目的とする。
【課題を解決するための手段】
【０００８】
（１）上記の目的を達成するために、本発明の態様は、以下のような手段を講じた。すなわち、本発明の一様態における端末装置は、端末装置に関する能力情報UECapabilityIn
formationの伝送を要求するために用いられる情報UECapabilityEnquiryを、基地局装置から受信する受信部と、前記能力情報UECapabilityInformationを前記基地局装置に送信す
る送信部と、を備え、前記能力情報UECapabilityInformationは、能力パラメータSPS、能力パラメータskipUplinkSPS、および、能力パラメータskipUplinkLaaSPSを少なくとも含
み、前記能力パラメータSPSは、前記端末装置がプライマリーセルにおけるセミパーシス
テントスケジューリングをサポートするかどうか示し、前記能力パラメータskipUplinkSPSは、前記端末装置が前記端末装置のバッファに送信のために利用できるデータがない場
合に前記プライマリーセルに対して設定されるグラントに対応する上りリンク送信をスキップすることをサポートしているかどうかを示し、前記能力パラメータskipUplinkLaaSPSは、（ｉ）前記端末装置がＬＡＡセカンダリーセルにおけるセミパーシステントスケジューリングをサポートするかどうか、および、（ｉｉ）前記端末装置が前記端末装置のバッファに送信のために利用できるデータがない場合に前記ＬＡＡセカンダリーセルに対して設定されるグラントに対応する上りリンク送信をスキップすることをサポートしているかどうかを示す。
【０００９】
（２）また、本発明の一様態における端末装置は、プライマリーセル、および、ＬＡＡセカンダリーセルを用いて基地局装置と通信する端末装置であって、プライマリーセルに対応するパラメータskipUplinkTxSPSを示す情報、前記ＬＡＡセカンダリーセルに対応す
るパラメータskipUplinkTxLaaSPSを示す情報、および、前記プライマリーセルおよび前記ＬＡＡセカンダリーセルに対応するパラメータskipUplinkTxDynamicを示す情報を受信す
る受信部と、上りリンク送信を実行する送信部と、を備え、前記送信部は、さらに、前記パラメータskipUplinkTxSPSが設定されていることに少なくとも基づいて、前記プライマ
リーセルに対して設定される第１の上りリンクグラントに対応する第１の上りリンク送信をスキップし、前記パラメータskipUplinkTxLaaSPSが設定されていることに少なくとも基づいて、前記ＬＡＡセカンダリーセルに対して設定される第２の上りリンクグラントに対応する第２の上りリンク送信をスキップし、前記パラメータ  skipUplinkTxDynamicが設
定されていることに少なくとも基づいて、前記プライマリーセルにおける第３の上りリンク送信、および、前記ＬＡＡセカンダリーセルにおける第４の上りリンク送信をスキップし、前記第３の上りリンク送信はＣ−ＲＮＴＩに対応する第３の上りリンクグラントに対応し、前記第４の上りリンク送信は前記Ｃ−ＲＮＴＩに対応する第４の上りリンクグラントに対応する。
【００１０】
（３）また、本発明の一様態における基地局装置は、端末装置に関する能力情報UECapabilityInformationの伝送を要求するために用いられる情報UECapabilityEnquiryを、前記端末装置に送信する送信部と、前記能力情報UECapabilityInformationを前記端末装置か
ら受信する受信部と、を備え、前記能力情報UECapabilityInformationは、能力パラメー
タSPS、能力パラメータskipUplinkSPS、および、能力パラメータskipUplinkLaaSPSを少なくとも含み、前記能力パラメータSPSは、前記端末装置がプライマリーセルにおけるセミ
パーシステントスケジューリングをサポートするかどうか示し、前記能力パラメータskipUplinkSPSは、前記端末装置が前記端末装置のバッファに送信のために利用できるデータ
がない場合に前記プライマリーセルに対して設定されるグラントに対応する上りリンク送信をスキップすることをサポートしているかどうかを示し、前記能力パラメータskipUplinkLaaSPSは、（ｉ）前記端末装置がＬＡＡセカンダリーセルにおけるセミパーシステントスケジューリングをサポートするかどうか、および、（ｉｉ）前記端末装置が前記端末装置のバッファに送信のために利用できるデータがない場合に前記ＬＡＡセカンダリーセルに対して設定されるグラントに対応する上りリンク送信をスキップすることをサポートしているかどうかを示す。
【００１１】
（４）また、本発明の一様態における端末装置の通信方法は、前記端末装置に関する能力情報UECapabilityInformationの伝送を要求するために用いられる情報UECapabilityEnq
uiryを、基地局装置から受信し、前記能力情報UECapabilityInformationを前記基地局装
置に送信し、前記能力情報UECapabilityInformationは、能力パラメータSPS、能力パラメータskipUplinkSPS、および、能力パラメータskipUplinkLaaSPSを少なくとも含み、前記
能力パラメータSPSは、前記端末装置がプライマリーセルにおけるセミパーシステントス
ケジューリングをサポートするかどうか示し、前記能力パラメータskipUplinkSPSは、前
記端末装置が前記端末装置のバッファに送信のために利用できるデータがない場合に前記プライマリーセルに対して設定されるグラントに対応する上りリンク送信をスキップすることをサポートしているかどうかを示し、前記能力パラメータskipUplinkLaaSPSは、（ｉ）前記端末装置がＬＡＡセカンダリーセルにおけるセミパーシステントスケジューリングをサポートするかどうか、および、（ｉｉ）前記端末装置が前記端末装置のバッファに送信のために利用できるデータがない場合に前記ＬＡＡセカンダリーセルに対して設定されるグラントに対応する上りリンク送信をスキップすることをサポートしているかどうかを示す。
【００１２】
（５）また、本発明の一様態における端末装置の通信方法は、プライマリーセル、および、ＬＡＡセカンダリーセルを用いて基地局装置と通信する端末装置に用いられる通信方法であって、プライマリーセルに対応するパラメータskipUplinkTxSPSを示す情報、前記
ＬＡＡセカンダリーセルに対応するパラメータskipUplinkTxLaaSPSを示す情報、および、前記プライマリーセルおよび前記ＬＡＡセカンダリーセルに対応するパラメータskipUplinkTxDynamicを示す情報を受信し、前記パラメータskipUplinkTxSPSが設定されていることに少なくとも基づいて、前記プライマリーセルに対して設定される第１の上りリンクグラントに対応する第１の上りリンク送信をスキップし、前記パラメータskipUplinkTxLaaSPSが設定されていることに少なくとも基づいて、前記ＬＡＡセカンダリーセルに対して設定される第２の上りリンクグラントに対応する第２の上りリンク送信をスキップし、前記パラメータ  skipUplinkTxDynamicが設定されていることに少なくとも基づいて、前記プラ
イマリーセルにおける第３の上りリンク送信、および、前記ＬＡＡセカンダリーセルにおける第４の上りリンク送信をスキップし、前記第３の上りリンク送信はＣ−ＲＮＴＩに対応する第３の上りリンクグラントに対応し、前記第４の上りリンク送信は前記Ｃ−ＲＮＴＩに対応する第４の上りリンクグラントに対応する。
【００１３】
（６）また、本発明の一様態における基地局装置の通信方法は、端末装置に関する能力情報UECapabilityInformationの伝送を要求するために用いられる情報UECapabilityEnquiryを、前記端末装置に送信し、前記能力情報UECapabilityInformationを前記端末装置か
ら受信し、前記能力情報UECapabilityInformationは、能力パラメータSPS、能力パラメータskipUplinkSPS、および、能力パラメータskipUplinkLaaSPSを少なくとも含み、前記能
力パラメータSPSは、前記端末装置がプライマリーセルにおけるセミパーシステントスケ
ジューリングをサポートするかどうか示し、前記能力パラメータskipUplinkSPSは、前記
端末装置が前記端末装置のバッファに送信のために利用できるデータがない場合に前記プライマリーセルに対して設定されるグラントに対応する上りリンク送信をスキップすることをサポートしているかどうかを示し、前記能力パラメータskipUplinkLaaSPSは、（ｉ）前記端末装置がＬＡＡセカンダリーセルにおけるセミパーシステントスケジューリングをサポートするかどうか、および、（ｉｉ）前記端末装置が前記端末装置のバッファに送信のために利用できるデータがない場合に前記ＬＡＡセカンダリーセルに対して設定されるグラントに対応する上りリンク送信をスキップすることをサポートしているかどうかを示す。
【発明の効果】
【００１４】
この発明によれば、上りリンクデータを効率的に送信することができる。
【図面の簡単な説明】
【００１５】
【図１】本実施形態における無線通信システムの概念を示す図である。
【図２】本実施形態におけるスロットの構成を示す図である。
【図３】本実施形態におけるＳＰＳの活性化／非活性化ＭＡＣコントロールエレメントの一例を示す図である。
【図４】本実施形態におけるＳＰＳの活性化／非活性化ＭＡＣコントロールエレメントの別の例を示す図である。
【図５】本実施形態におけるセミパーシステントスケジューリングのリリース（release）のためのスペシャルフィールド（Special fields）の例を示す図である。
【図６】本実施形態におけるセミパーシステントなＰＵＳＣＨのリソースの活性化または非活性化を指示するために用いられるＤＣＩフォーマットの送信方法の一例を示すための図である。
【図７】本実施形態におけるセミパーシステントなＰＵＳＣＨのリソースの活性化または非活性化を指示するために用いられるＤＣＩフォーマットの送信方法の一例を示すための図である。
【図８】本実施形態におけるセミパーシステントなＰＵＳＣＨのリソースの活性化または非活性化を指示するために用いられるＤＣＩフォーマットの送信方法の一例を示すための図である。
【図９】本実施形態におけるノンエンプティ送信（Non-empty transmission）およびエンプティ送信（Empty transmission）の例を説明するための図である。
【図１０】本実施形態におけるＭＡＣプロトコルデータユニットの一例を示すための図である。
【図１１】本実施形態におけるパラメータskipUplinkTxSPSとパラメータskipUplinkTxLaaSPSとパラメータskipUplinkTxDynamicとサービングセルの対応の一例を示す図である。
【図１２】本実施形態におけるパラメータskipUplinkTxSPSとパラメータskipUplinkTxLaaSPSとパラメータskipUplinkTxDynamicとサービングセルの対応の一例を示す図である。
【図１３】本実施形態におけるＬＡＡセカンダリーセルに対応するＳＰＳ確認ＭＡＣコントロールエレメントの一例を示す図である。
【図１４】本実施形態におけるサービングセルに対応する第２のＳＰＳ確認ＭＡＣコントロールエレメントの別の例を示す図である。
【図１５】本実施形態における設定されるグラントのクリアの方法を説明するための図である。
【図１６】本実施形態におけるセミパーシステントなＰＵＳＣＨで初期送信されたトランスポートブロックの非適応送信の非活性化のためのスペシャルフィールドの例を示す図である。
【図１７】本実施形態におけるパラメータskipUplinkTxSPS、パラメータskipUplinkTxLaaSPS、および、パラメータskipUplinkTxDynamicの取得方法の一例を示す図である。
【図１８】本実施形態における能力パラメータとサービングセルの対応を示す図である。
【図１９】本実施形態における端末装置１の構成を示す概略ブロック図である。
【図２０】本実施形態における基地局装置３の構成を示す概略ブロック図である。
【発明を実施するための形態】
【００１６】
以下、本発明の実施形態について説明する。
【００１７】
図１は、本実施形態における無線通信システムの概念図である。図１において、無線通信システムは、端末装置１Ａ〜１Ｃ、および基地局装置３を具備する。以下、端末装置１Ａ〜１Ｃを端末装置１とも称する。
【００１８】
本実施形態における物理チャネルおよび物理信号について説明する。
【００１９】
図１において、端末装置１から基地局装置３への上りリンクの無線通信では、以下の上りリンク物理チャネルが用いられる。ここで、上りリンク物理チャネルは、上位層から出力された情報を送信するために使用される。
・ＰＵＣＣＨ（Physical Uplink Control Channel）
・ＰＵＳＣＨ（Physical Uplink Shared Channel）
・ＰＲＡＣＨ（Physical Random Access Channel）
ＰＵＣＣＨは、上りリンク制御情報（Uplink Control Information: UCI）を送信する
ために用いられる。ここで、上りリンク制御情報には、下りリンクのチャネルの状態を示すために用いられるチャネル状態情報（CSI: Channel State Information）が含まれてもよい。また、上りリンク制御情報には、ＵＬ−ＳＣＨリソースを要求するために用いられるスケジューリング要求（SR: Scheduling Request）が含まれてもよい。また、上りリンク制御情報には、ＨＡＲＱ−ＡＣＫ（Hybrid Automatic Repeat request ACKnowledgement）が含まれてもよい。ＨＡＲＱ−ＡＣＫは、下りリンクデータ（Transport block, Medium Access Control Protocol Data Unit: MAC PDU, Downlink-Shared Channel: DL-SCH, Physical Downlink Shared Channel: PDSCH）に対するＨＡＲＱ−ＡＣＫを示してもよい
。
【００２０】
すなわち、ＨＡＲＱ−ＡＣＫは、ＡＣＫ（acknowledgement）またはＮＡＣＫ（negative-acknowledgement）を示してもよい。ここで、ＨＡＲＱ−ＡＣＫを、ＡＣＫ／ＮＡＣＫ
、ＨＡＲＱフィードバック、ＨＡＲＱ応答、ＨＡＲＱ情報、または、ＨＡＲＱ制御情報とも称する。
【００２１】
ＰＵＳＣＨは、上りリンクデータ（Uplink-Shared Channel: UL-SCH）を送信するため
に用いられる。また、ＰＵＳＣＨは、上りリンクデータと共にＨＡＲＱ−ＡＣＫおよび／またはＣＳＩを送信するために用いられてもよい。また、ＰＵＳＣＨは、ＣＳＩのみ、または、ＨＡＲＱ−ＡＣＫおよびＣＳＩのみを送信するために用いられてもよい。すなわち、ＰＵＳＣＨは、上りリンク制御情報のみを送信するために用いられてもよい。
【００２２】
ここで、基地局装置３と端末装置１は、上位層（higher layer）において信号をやり取り（送受信）する。例えば、基地局装置３と端末装置１は、無線リソース制御（RRC: Radio Resource Control）層において、ＲＲＣシグナリング（RRC message: Radio Resource
Control message、RRC information: Radio Resource Control informationとも称され
る）を送受信してもよい。また、基地局装置３と端末装置１は、ＭＡＣ（Medium Access Control）層において、ＭＡＣコントロールエレメントを送受信してもよい。ここで、Ｒ
ＲＣシグナリング、および／または、ＭＡＣコントロールエレメントを、上位層の信号（higher layer signaling）とも称する。
【００２３】
ＰＵＳＣＨは、ＲＲＣシグナリング、および、ＭＡＣコントロールエレメントを送信するために用いられてもよい。ここで、基地局装置３から送信されるＲＲＣシグナリングは、セル内における複数の端末装置１に対して共通のシグナリングであってもよい。また、基地局装置３から送信されるＲＲＣシグナリングは、ある端末装置１に対して専用のシグナリング（dedicated signalingとも称する）であってもよい。すなわち、ユーザー装置
スペシフィック（ユーザー装置固有）な情報は、ある端末装置１に対して専用のシグナリングを用いて送信されてもよい。
【００２４】
ＰＲＡＣＨは、ランダムアクセスプリアンブルを送信するために用いられる。ＰＲＡＣＨは、初期コネクション確立（initial connection establishment）プロシージャ、ハンドオーバプロシージャ、コネクション再確立（connection re-establishment）プロシー
ジャ、上りリンク送信に対する同期（タイミング調整）、およびＰＵＳＣＨリソースの要求を示すために用いられてもよい。
【００２５】
図１において、上りリンクの無線通信では、以下の上りリンク物理信号が用いられる。ここで、上りリンク物理信号は、上位層から出力された情報を送信するために使用されないが、物理層によって使用される。
・上りリンク参照信号（Uplink Reference Signal: UL RS）
本実施形態において、以下の２つのタイプの上りリンク参照信号が用いられる。
・ＤＭＲＳ（Demodulation Reference Signal）
・ＳＲＳ（Sounding Reference Signal）
ＤＭＲＳは、ＰＵＳＣＨまたはＰＵＣＣＨの送信に関連する。ＤＭＲＳは、ＰＵＳＣＨまたはＰＵＣＣＨと時間多重される。基地局装置３は、ＰＵＳＣＨまたはＰＵＣＣＨの伝搬路補正を行なうためにＤＭＲＳを使用する。以下、ＰＵＳＣＨとＤＭＲＳを共に送信することを、単にＰＵＳＣＨを送信すると称する。以下、ＰＵＣＣＨとＤＭＲＳを共に送信することを、単にＰＵＣＣＨを送信すると称する。
【００２６】
ＳＲＳは、ＰＵＳＣＨまたはＰＵＣＣＨの送信に関連しない。基地局装置３は、上りリンクのチャネル状態を測定するためにＳＲＳを使用する。
【００２７】
図１において、基地局装置３から端末装置１への下りリンクの無線通信では、以下の下りリンク物理チャネルが用いられる。ここで、下りリンク物理チャネルは、上位層から出力された情報を送信するために使用される。
・ＰＢＣＨ（Physical Broadcast Channel）
・ＰＣＦＩＣＨ（Physical Control Format Indicator Channel）
・ＰＨＩＣＨ（Physical Hybrid automatic repeat request Indicator Channel）
・ＰＤＣＣＨ（Physical Downlink Control Channel）
・ＥＰＤＣＣＨ（Enhanced Physical Downlink Control Channel）
・ＰＤＳＣＨ（Physical Downlink Shared Channel）
・ＰＭＣＨ（Physical Multicast Channel）
ＰＢＣＨは、端末装置１で共通に用いられるマスターインフォメーションブロック（Master Information Block: MIB, Broadcast Channel: BCH）を報知するために用いられる
。
【００２８】
ＰＣＦＩＣＨは、ＰＤＣＣＨの送信に用いられる領域（ＯＦＤＭシンボル）を指示する情報を送信するために用いられる。
【００２９】
ＰＨＩＣＨは、基地局装置３が受信した上りリンクデータ（Uplink Shared Channel: UL-SCH）に対するＡＣＫ（ACKnowledgement）またはＮＡＣＫ（Negative ACKnowledgement）を示すＨＡＲＱインディケータ（ＨＡＲＱフィードバック、応答情報）を送信するために用いられる。
【００３０】
ＰＤＣＣＨおよびＥＰＤＣＣＨは、下りリンク制御情報（Downlink Control Information: DCI）を送信するために用いられる。ここで、下りリンク制御情報の送信に対して、
複数のＤＣＩフォーマットが定義される。すなわち、下りリンク制御情報に対するフィールドがＤＣＩフォーマットに定義され、情報ビットへマップされる。
【００３１】
例えば、下りリンクに対するＤＣＩフォーマットとして、１つのセルにおける１つのＰＤＳＣＨ（１つの下りリンクトランスポートブロックの送信）のスケジューリングのために用いられるＤＣＩフォーマット（例えば、ＤＣＩフォーマット１、ＤＣＩフォーマット１Ａ、および／または、ＤＣＩフォーマット１Ｃ）が定義されてもよい。
【００３２】
ここで、下りリンクに対するＤＣＩフォーマットには、ＰＤＳＣＨのスケジューリングに関する情報が含まれる。例えば、下りリンクに対するＤＣＩフォーマットには、キャリアインディケータフィールド（CIF: Carrier Indicator Field）、ＨＡＲＱプロセス番号に関する情報（HARQ process number）、ＭＣＳに関する情報（Modulation and Coding Scheme）、リダンダンシーバージョンに関する情報（Redundancy version）、および／ま
たは、リソースブロック割り当てに関する情報（Resource block assignment）などの下
りリンク制御情報が含まれる。ここで、下りリンクに対するＤＣＩフォーマットを、下りリンクグラント（downlink grant）、および／または、下りリンクアサインメント（downlink assignment）とも称する。ＨＡＲＱプロセス番号を、ＨＡＲＱプロセスＩＤ（identifier）とも称する。
【００３３】
また、例えば、上りリンクに対するＤＣＩフォーマットとして、１つのセルにおける１つのＰＵＳＣＨ（１つの上りリンクトランスポートブロックの送信）のスケジューリングのために用いられるＤＣＩフォーマット（例えば、ＤＣＩフォーマット０、ＤＣＩフォーマット０Ｄ、ＤＣＩフォーマット４）が定義される。
【００３４】
ここで、上りリンクに対するＤＣＩフォーマットには、ＰＵＳＣＨのスケジューリングに関する情報が含まれる。例えば、上りリンクに対するＤＣＩフォーマットには、キャリアインディケータフィールド（CIF: Carrier Indicator Field）、スケジュールされたＰＵＳＣＨに対する送信電力コマンド（ＴＰＣコマンド）に関する情報（TPC command for scheduled PUSCH）、ＤＭＲＳに対するサイクリックシフトに関する情報（Cyclic shift DMRS）、ＭＣＳおよび／またはリダンダンシーバージョンに関する情報（Modulation and
coding scheme and/or redundancy version）、および／または、リソースブロック割り当ておよび／またはホッピングリソース割り当てに関する情報（Resource block assignment and/or hopping resource allocation）、などの下りリンク制御情報が含まれる。ここで、上りリンクに対するＤＣＩフォーマットを、上りリンクグラント（uplink grant）、および／または、上りリンクアサインメント（Uplink assignment）とも称する。
【００３５】
端末装置１は、下りリンクアサインメントを用いてＰＤＳＣＨのリソースがスケジュールされた場合、スケジュールされたＰＤＳＣＨで下りリンクデータを受信してもよい。また、端末装置１は、上りリンクグラントを用いてＰＵＳＣＨのリソースがスケジュールされた場合、スケジュールされたＰＵＳＣＨで上りリンクデータおよび／または上りリンク制御情報を送信してもよい。
【００３６】
ここで、端末装置１は、ＰＤＣＣＨ候補（PDCCH candidates）および／またはＥＰＤＣＣＨ候補（EPDCCH candidates）のセットをモニタしてもよい。以下、ＰＤＣＣＨは、Ｐ
ＤＣＣＨおよび／またはＥＰＤＤＣＨを示してもよい。ここで、ＰＤＣＣＨ候補とは、基地局装置３によって、ＰＤＣＣＨが、配置および／または送信される可能性のある候補を示している。また、モニタとは、モニタされる全てのＤＣＩフォーマットに応じて、ＰＤＣＣＨ候補のセット内のＰＤＣＣＨのそれぞれに対して、端末装置１がデコードを試みるという意味が含まれてもよい。
【００３７】
また、端末装置１が、モニタするＰＤＣＣＨ候補のセットは、サーチスペースとも称される。サーチスペースには、コモンサーチスペース（CSS: Common Search Space）が含まれてもよい。例えば、ＣＳＳは、複数の端末装置１に対して共通なスペースとして定義されてもよい。また、サーチスペースには、ユーザー装置スペシフィックサーチスペース（USS: UE-specific Search Space）が含まれてもよい。例えば、ＵＳＳは、少なくとも、
端末装置１に対して割り当てられるＣ−ＲＮＴＩに基づいて定義されてもよい。端末装置１は、ＣＳＳおよび／またはＵＳＳにおいて、ＰＤＣＣＨをモニタし、自装置宛てのＰＤ
ＣＣＨを検出してもよい。
【００３８】
ここで、下りリンク制御情報の送信（ＰＤＣＣＨでの送信）には、基地局装置３が、端末装置１に割り当てたＲＮＴＩが利用される。具体的には、ＤＣＩフォーマット（下りリンク制御情報でもよい）にＣＲＣ（Cyclic Redundancy check: 巡回冗長検査）パリティ
ビットが付加され、付加された後に、ＣＲＣパリティビットがＲＮＴＩによってスクランブルされる。ここで、ＤＣＩフォーマットに付加されるＣＲＣパリティビットは、ＤＣＩフォーマットのペイロードから得られてもよい。
【００３９】
端末装置１は、ＲＮＴＩによってスクランブルされたＣＲＣパリティビットが付加されたＤＣＩフォーマットに対してデコードを試み、ＣＲＣが成功したＤＣＩフォーマットを、自装置宛のＤＣＩフォーマットとして検出する（ブラインドデコーディングとも称される）。すなわち、端末装置１は、ＲＮＴＩによってスクランブルされたＣＲＣを伴うＰＤＣＣＨを検出してもよい。また、端末装置１は、ＲＮＴＩによってスクランブルされたＣＲＣパリティビットが付加されたＤＣＩフォーマットを伴うＰＤＣＣＨを検出してもよい。
【００４０】
ＲＮＴＩによってスクランブルされたＣＲＣパリティビットが付加されたＤＣＩフォーマット／ＰＤＣＣＨ／上りリンクグラント／下りリンクアサインメントを、（１）ＲＮＴＩに対応するＤＣＩフォーマット／ＰＤＣＣＨ／上りリンクグラント／下りリンクアサインメント、（２）ＲＮＴＩ宛てのＤＣＩフォーマット／ＰＤＣＣＨ／上りリンクグラント／下りリンクアサインメント、（３）ＲＮＴＩに対するＤＣＩフォーマット／ＰＤＣＣＨ／上りリンクグラント／下りリンクアサインメントとも称する。
【００４１】
ここで、ＲＮＴＩには、Ｃ−ＲＮＴＩ（Cell-Radio Network Temporary Identifier）
が含まれてもよい。Ｃ−ＲＮＴＩは、ＲＲＣ接続およびスケジューリングの識別に対して使用される、端末装置１に対するユニークな（一意的な）識別子である。また、Ｃ−ＲＮＴＩは、動的（dynamically）にスケジュールされるユニキャスト送信のために利用され
てもよい。
【００４２】
また、ＲＮＴＩには、ＳＰＳ  Ｃ−ＲＮＴＩ（Semi-Persistent Scheduling C-RNTI）
が含まれてもよい。ＳＰＳ  Ｃ−ＲＮＴＩは、セミパーシステントスケジューリングに対して使用される、端末装置１に対するユニークな（一意的な）識別子である。また、ＳＰＳ  Ｃ−ＲＮＴＩは、半持続的（semi-persistently）にスケジュールされるユニキャス
ト送信のために利用されてもよい。
【００４３】
ここで、半持続的にスケジュールされる送信とは、周期的（periodically）にスケジュールされる送信の意味が含まれる。例えば、ＳＰＳ  Ｃ−ＲＮＴＩは、半持続的にスケジュールされる送信の活性化（activation）、再活性化（reactivation）、および／または、再送信（retransmission）のために利用されてもよい。以下、活性化には、再活性化、および／または、再送信の意味が含まれてもよい。
【００４４】
また、ＳＰＳ  Ｃ−ＲＮＴＩは、半持続的にスケジュールされた送信のリリース（release）および／または非活性化（deactivation）のために利用されてもよい。以下、リリ
ースには、非活性化の意味が含まれてもよい。ここで、待ち時間の縮小のために、新たに、ＲＮＴＩが規定されてもよい。例えば、本実施形態におけるＳＰＳ  Ｃ−ＲＮＴＩは、待ち時間の縮小のために新たに規定されるＲＮＴＩが含まれてもよい。
【００４５】
また、ＲＮＴＩには、ＲＡ−ＲＮＴＩ（Random Access RNTI）が含まれてもよい。ＲＡ−ＲＮＴＩは、ランダムアクセスレスポンスメッセージの送信に対して使用される識別子
である。すなわち、ＲＡ−ＲＮＴＩは、ランダムアクセスプロシージャにおいて、ランダムアクセスレスポンスメッセージの送信のために利用される。例えば、端末装置１は、ランダムアクセスプリアンブルを送信した場合に、ＲＡ−ＲＮＴＩによってスクランブルされたＣＲＣを伴うＰＤＣＣＨをモニタしてもよい。また、端末装置１は、ＲＡ−ＲＮＴＩによってスクランブルされたＣＲＣを伴うＰＤＣＣＨの検出に基づいてＰＤＳＣＨでランダムアクセスレスポンスを受信してもよい。
【００４６】
また、ＲＮＴＩには、Ｐ−ＲＮＴＩ（Paging RNTI）が含まれてもよい。Ｐ−ＲＮＴＩ
は、ページングおよびシステム情報の変化の通知に使用される識別子である。例えば、Ｐ−ＲＮＴＩは、ページングおよびシステム情報メッセージの送信のために利用される。例えば、端末装置１は、Ｐ−ＲＮＴＩによってスクランブルされたＣＲＣを伴うＰＤＣＣＨの検出に基づいてＰＤＳＣＨでページングを受信してもよい。
【００４７】
また、ＲＮＴＩには、ＳＩ−ＲＮＴＩ（System Information RNTI）が含まれてもよい
。ＳＩ−ＲＮＴＩは、システム情報のブロードキャストに使用される識別子である。例えば、ＳＩ−ＲＮＴＩは、システム情報メッセージの送信のために利用される。例えば、端末装置１は、ＳＩ−ＲＮＴＩによってスクランブルされたＣＲＣを伴うＰＤＣＣＨの検出に基づいてＰＤＳＣＨでシステム情報メッセージを受信してもよい。
【００４８】
ここで、例えば、Ｃ−ＲＮＴＩによってスクランブルされたＣＲＣを伴うＰＤＣＣＨは、ＵＳＳまたはＣＳＳにおいて送信されてもよい。また、ＲＡ−ＲＮＴＩによってスクランブルされたＣＲＣを伴うＰＤＣＣＨは、ＣＳＳのみにおいて送信されてもよい。また、Ｐ−ＲＮＴＩによってスクランブルされたＣＲＣを伴うＰＤＣＣＨは、ＣＳＳのみにおいて送信されてもよい。また、ＳＩ−ＲＮＴＩによってスクランブルされたＣＲＣを伴うＰＤＣＣＨは、ＣＳＳのみにおいて送信されてもよい。
【００４９】
また、ＳＰＳ  Ｃ−ＲＮＴＩによってスクランブルされたＣＲＣを伴うＰＤＣＣＨは、プライマリーセルおよびプライマリーセカンダリーセルのみにおいて送信されてもよい。また、ＳＰＳ  Ｃ−ＲＮＴＩによってスクランブルされたＣＲＣを伴うＰＤＣＣＨは、ＵＳＳまたはＣＳＳにおいて送信されてもよい。
【００５０】
ＰＤＳＣＨは、下りリンクデータ（Downlink Shared Channel: DL-SCH）を送信するた
めに用いられる。また、ＰＤＳＣＨは、システムインフォメーションメッセージを送信するために用いられる。ここで、システムインフォメーションブメッセージは、セルスペシフィック（セル固有）な情報であってもよい。また、システムインフォメーションは、ＲＲＣシグナリングに含まれる。また、ＰＤＳＣＨは、ＲＲＣシグナリング、および、ＭＡＣコントロールエレメントを送信するために用いられる。
【００５１】
ＰＭＣＨは、マルチキャストデータ（Multicast Channel: MCH）を送信するために用いられる。
【００５２】
図１において、下りリンクの無線通信では、以下の下りリンク物理信号が用いられる。ここで、下りリンク物理信号は、上位層から出力された情報を送信するために使用されないが、物理層によって使用される。
・同期信号（Synchronization signal: SS）
・下りリンク参照信号（Downlink Reference Signal: DL RS）
同期信号は、端末装置１が下りリンクの周波数領域および時間領域の同期をとるために用いられる。ＴＤＤ方式において、同期信号は無線フレーム内のサブフレーム０、１、５、６に配置される。ＦＤＤ方式において、同期信号は無線フレーム内のサブフレーム０と５に配置される。
【００５３】
下りリンク参照信号は、端末装置１が下りリンク物理チャネルの伝搬路補正を行なうために用いられる。ここで、下りリンク参照信号は、端末装置１が下りリンクのチャネル状態情報を算出するために用いられる。
【００５４】
本実施形態において、以下の５つのタイプの下りリンク参照信号が用いられる。
・ＣＲＳ（Cell-specific Reference Signal）
・ＰＤＳＣＨに関連するＵＲＳ（UE-specific Reference Signal）
・ＥＰＤＣＣＨに関連するＤＭＲＳ（Demodulation Reference Signal）
・ＮＺＰ  ＣＳＩ−ＲＳ（Non-Zero Power Chanel State Information - Reference Signal）
・ＺＰ  ＣＳＩ−ＲＳ（Zero Power Chanel State Information - Reference Signal）
・ＭＢＳＦＮ  ＲＳ（Multimedia Broadcast and Multicast Service over Single Frequency Network Reference signal）
・ＰＲＳ（Positioning Reference Signal）
ここで、下りリンク物理チャネルおよび下りリンク物理信号を総称して、下りリンク信号と称する。また、上りリンク物理チャネルおよび上りリンク物理信号を総称して、上りリンク信号と称する。下りリンク物理チャネルおよび上りリンク物理チャネルを総称して、物理チャネルと称する。下りリンク物理信号および上りリンク物理信号を総称して、物理信号と称する。
【００５５】
ＢＣＨ、ＭＣＨ、ＵＬ−ＳＣＨおよびＤＬ−ＳＣＨは、トランスポートチャネルである。媒体アクセス制御（Medium Access Control: MAC）層で用いられるチャネルをトランスポートチャネルと称する。ＭＡＣ層で用いられるトランスポートチャネルの単位を、トランスポートブロック（transport block: TB）またはＭＡＣ  ＰＤＵ（Protocol Data Unit）とも称する。ＭＡＣ層においてトランスポートブロック毎にＨＡＲＱ（Hybrid Automatic Repeat reQuest）の制御が行なわれる。トランスポートブロックは、ＭＡＣ層が物理層に渡す（deliver）データの単位である。物理層において、トランスポートブロックは
コードワードにマップされ、コードワード毎に符号化処理が行なわれる。
【００５６】
以下、キャリアアグリゲーションについて説明する。
【００５７】
本実施形態において、端末装置１に対して、１つまたは複数のサービングセルが設定されてもよい。端末装置１が複数のサービングセルを介して通信する技術をセルアグリゲーション、または、キャリアアグリゲーションと称する。
【００５８】
ここで、端末装置１に対して設定される１つまたは複数のサービングセルのそれぞれにおいて、本実施形態が適用されてもよい。また、端末装置１に対して設定される１つまたは複数のサービングセルの一部において、本実施形態が適用されてもよい。また、端末装置１に対して設定される１つまたは複数のサービングセルのグループのそれぞれにおいて、本実施形態が適用されてもよい。
【００５９】
また、本実施形態において、ＴＤＤ（Time Division Duplex）および／またはＦＤＤ（Frequency Division Duplex）が適用されてもよい。ここで、キャリアアグリゲーション
の場合において、１つまたは複数のサービングセルの全てに対してＴＤＤまたはＦＤＤが適用されてもよい。また、キャリアアグリゲーションの場合において、ＴＤＤが適用されるサービングセルとＦＤＤが適用されるサービングセルが集約されてもよい。ここで、ＦＤＤに対応するフレーム構造を、フレーム構造タイプ１（Frame structure type 1）とも称する。また、ＴＤＤに対応するフレーム構造を、フレーム構造タイプ２（Frame structure type 2）とも称する。
【００６０】
設定される１つまたは複数のサービングセルには、１つのプライマリーセルと０または１つのプライマリーセカンダリーセルと０または０より多いセカンダリーセルと０または０より多いＬＡＡ（Licensed Assisted Access）セカンダリーセルとが含まれてもよい。例えば、プライマリーセルは、初期コネクション確立（initial connection establishment）プロシージャが行なわれたサービングセル、コネクション再確立（connection re-establishment）プロシージャを開始したサービングセル、または、ハンドオーバプロシー
ジャにおいてプライマリーセルと指示されたセルであってもよい。ここで、ＲＲＣコネクションが確立された時点、または、後に、セカンダリーセル、および／または、プライマリーセカンダリーセルが設定されてもよい。
【００６１】
プライマリーセルは、ライセンスバンド（licensed band）、または、アンライセンス
バンド（unlicensed band）に含まれてもよい。例えば、ＬＴＥにおいて、プライマリー
セルは、ライセンスバンド（licensed band）に含まれてもよい。例えば、ＮＲにおいて
、プライマリーセルは、ライセンスバンド（licensed band）、または、アンライセンス
バンド（unlicensed band）に含まれてもよい。プライマリーセカンダリーセルは、ライ
センスバンド（licensed band）、または、アンライセンスバンド（unlicensed band）に含まれてもよい。セカンダリーセルは、ライセンスバンド（licensed band）に含まれて
もよい。ＬＡＡセカンダリーセルは、アンライセンスバンド（unlicensed band）に含ま
れてもよい。ライセンスバンドに属するサービングセルをライセンスセル（licensed cell）とも称する。アンライセンスバンドに属するサービングセルをアンライセンスセル（unlicensed cell）とも称する。
【００６２】
アンライセンスセルが対応する周波数は、他の通信システムおよび／または他のＬＴＥオペレータと共用されてもよい。この場合、アンライセンスセルで用いられる通信方式において、公平な周波数共用技術を用いられてもよい。
【００６３】
公平な周波数共用技術は、ＬＢＴ（Listen-Before-Talk）を含んでもよい。無線送受信装置（基地局装置３または端末装置１）がアンライセンスセル（コンポーネントキャリア、チャネル、媒体、周波数）を用いて物理チャネルおよび物理信号を送信する前に、当該アンライセンスセルにおける干渉電力（干渉信号、受信電力、受信信号、雑音電力、雑音信号）などを測定（検出）する。当該測定（検出）に基づいて、当該アンライセンスセルがアイドル状態、および、ビジー状態の何れであるかを識別（検出、想定、決定）する。無線送受信装置が当該測定（検出）に基づいて当該アンライセンスセルはアイドル状態であると識別した場合、無線送受信装置は当該アンライセンスセルにおいて物理チャネルおよび物理信号を送信することができる。無線送受信装置が当該測定（検出）に基づいて当該アンライセンスセルはビジー状態であると識別した場合、無線送受信装置は当該アンライセンスセルにおいて物理チャネルおよび物理信号を送信しない。
【００６４】
ここで、下りリンクにおいて、サービングセルに対応するキャリアを、下りリンクコンポーネントキャリアと称する。また、上りリンクにおいて、サービングセルに対応するキャリアを、上りリンクコンポーネントキャリアと称する。また、下りリンクコンポーネントキャリア、および、上りリンクコンポーネントキャリアを総称して、コンポーネントキャリアと称する。
【００６５】
また、端末装置１は、１つまたは複数のサービングセル（コンポーネントキャリア）において、同時に複数の物理チャネルでの送信、および／または受信を行ってもよい。ここで、１つの物理チャネルは、複数のサービングセル（コンポーネントキャリア）のうち１つのサービングセル（コンポーネントキャリア）において送信されてもよい。
【００６６】
端末装置１に対してＤＣ（dual connectivity）が設定されている場合、ＭＣＧ（Master Cell Group）は全てのサービングセルのサブセットであり、且つ、ＳＣＧ（Secondary Cell Group）はＭＣＧの一部ではないサービングセルのサブセットである。端末装置１に対してＤＣが設定されていない場合、ＭＣＧは全てのサービングセルを含む。端末装置１に対してＤＣが設定されていない場合、ＳＣＧは定義されなくてもよい。ＭＣＧは、プライマリーセル、０または０より多いセカンダリーセル、および、０または０より多いＬＡＡセカンダリーセルを含む。ＳＣＧは、プライマリーセカンダリーセル、０または０より多いセカンダリーセルおよび、０または０より多いＬＡＡセカンダリーセルを含む。
【００６７】
ＭＣＧとＳＣＧに対して同じＲＡＴ（Radio Access Technology）が適用されてもよい
。ＭＣＧとＳＣＧに対して異なるＲＡＴが適用されてもよい。ここで、ＲＡＴは、ＥＵＴＲＡ、および、ＮＲを含む。例えば、ＭＣＧにおいてＥＵＴＲＡが適用され、且つ、ＳＣＧにおいてＮＲが適用されてもよい。例えば、ＭＣＧとＳＣＧの両方においてＥＵＴＲＡが適用されてもよい。例えば、ＭＣＧとＳＣＧの両方においてＮＲが適用されてもよい。
【００６８】
ここで、ＰＵＣＣＨでの送信は、プライマリーセル、および、プライマリーセカンダリーセルのみにおいて行われてもよい。プライマリーセルは、非活性化されない（primary cell cannot be deactivated）。プライマリーセカンダリーセルは非活性化されなくてもよい。プライマリーセカンダリーセルは非活性化されてもよい。クロスキャリアスケジューリングは、プライマリーセル、および、プライマリーセカンダリーセルには適用されない（Cross-carrier scheduling does not apply to primary cell）。すなわち、プライ
マリーセルは、常に、プライマリーセルにおけるＰＤＣＣＨを用いてスケジュールされる（primary cell is always scheduled via its PDCCH）。すなわち、プライマリーセカンダリーセルは、常に、プライマリーセカンダリーセルにおけるＰＤＣＣＨを用いてスケジュールされる（primary secondary cell is always scheduled via its PDCCH）。
【００６９】
また、セカンダリーセルは、活性化および／または非活性化される。また、あるセカンダリーセルにおいてＰＤＣＣＨ（ＰＤＣＣＨのモニタリングでもよい）が設定された場合には、クロスキャリアスケジューリングは、該あるセカンダリーセルには適用されなくてもよい（In a case that PDCCH (PDCCH monitoring) of a secondary cell is configured, cross-carries scheduling may not apply this secondary cell）。すなわち、この
場合において、該セカンダリーセルは、常に、該セカンダリーセルにおけるＰＤＣＣＨを用いてスケジュールされてもよい。また、あるセカンダリーセルにおいてＰＤＣＣＨ（ＰＤＣＣＨのモニタリングでもよい）が設定されていない場合には、クロスキャリアスケジューリングが適用され、該セカンダリーセルは、常に、１つの他のサービングセル（one other serving cell）におけるＰＤＣＣＨを用いてスケジュールされてもよい。
【００７０】
サービングセルは、サービングセルインデックスServCellIndexに関連する。プライマ
リーセルのサービングセルインデックスServCellIndexは０である。プライマリーセカン
ダリーセルのサービングセルインデックスServCellIndexは０である。セカンダリーセル
のサービングセルインデックスServCellIndexは、セカンダリーセルインデックスSCellIndexと同じである。基地局装置３は、セカンダリーセルに対応するセカンダリーセルイン
デックスSCellIndexを示すための上位層の信号（ＲＲＣメッセージ）を、端末装置１に送信してもよい。
【００７１】
ＭＣＧとＳＣＧとのそれぞれにおいて、サービングセルインデックスServCellIndexは
個別に定義される。
【００７２】
以下、特に明記しない限り、本実施形態における処理はＭＣＧに対して適用されてもよい。以下、特に明記しない限り、本実施形態がＳＣＧに対して適用される場合、プライマ
リーセルはプライマリーセカンダリーセルを意味してもよい。
【００７３】
以下、本実施形態におけるスロットの構成について説明する。
【００７４】
図２は、本実施形態におけるスロットの構成を示す図である。図２において、横軸は時間軸を示しており、縦軸は周波数軸を示している。ここで、ＯＦＤＭシンボルに対してノーマルＣＰ（normal Cyclic Prefix）が適用されてもよい。また、ＯＦＤＭシンボルに対して拡張ＣＰ（extended Cyclic Prefix）が適用されてもよい。また、スロットのそれぞれにおいて送信される物理信号または物理チャネルは、リソースグリッドによって表現される。
【００７５】
ここで、下りリンクにおいて、リソースグリッドは、複数のサブキャリアと複数のＯＦＤＭシンボルによって定義されてもよい。また、上りリンクにおいて、リソースグリッドは、複数のサブキャリアと複数のＳＣ−ＦＤＭＡシンボルによって定義されてもよい。また、１つのスロットを構成するサブキャリアの数は、セルの帯域幅に依存してもよい。１つのスロットを構成するＯＦＤＭシンボルまたはＳＣ−ＦＤＭＡシンボルの数は７であってもよい。ここで、リソースグリッド内のエレメントのそれぞれはリソースエレメントと称される。また、リソースエレメントは、サブキャリアの番号とＯＦＤＭシンボルまたはＳＣ−ＦＤＭＡシンボルの番号とを用いて識別されてもよい。
【００７６】
ここで、リソースブロックは、ある物理チャネル（ＰＤＳＣＨまたはＰＵＳＣＨなど）のリソースエレメントへのマッピングを表現するために用いられてもよい。また、リソースブロックは、仮想リソースブロックと物理リソースブロックが定義されてもよい。ある物理チャネルは、まず仮想リソースブロックにマップされてもよい。その後、仮想リソースブロックは、物理リソースブロックにマップされてもよい。１つの物理リソースブロックは、時間領域において７個の連続するＯＦＤＭシンボルまたはＳＣ−ＦＤＭＡシンボルと、周波数領域において１２個の連続するサブキャリアとから定義されてもよい。したがって、１つの物理リソースブロックは（７×１２）個のリソースエレメントから構成されてもよい。また、１つの物理リソースブロックは、時間領域において１つのスロットに対応し、周波数領域において１８０ｋＨｚに対応してもよい。また、物理リソースブロックは、周波数領域において０から番号が付けられてもよい。
【００７７】
時間領域において、無線フレームは、２０のスロットから構成される。時間領域において、サブフレームは、２つのスロットから構成される。すなわち、時間領域において、無線フレームは１０のサブフレームから構成される。サブフレームは１つのスロットから構成されてもよい。すなわち、本実施形態に置いてサブフレームはスロットであってもよい。
【００７８】
また、本実施形態では、端末装置１における処理を説明するために、端末装置１におけるＭＡＣエンティティ、端末装置１における”Ｍｕｌｔｉｐｌｅｘｉｎｇ  ａｎｄ  ａｓｓｅｍｂｌｙ”エンティティ、および／または、端末装置１におけるＨＡＲＱエンティティにおける処理を記載している。以下、”Ｍｕｌｔｉｐｌｅｘｉｎｇ  ａｎｄ  ａｓｓｅｍｂｌｙ”エンティティを第１のエンティティ、または、第１のプロセスとも称する。ＭＡＣエンティティは、１つの第１のエンティティ、および、１つまたは１つより多いＨＡＲＱエンティティを備える。すなわち、本実施形態においては端末装置１におけるＭＡＣエンティティ、端末装置１における第１のエンティティ、および／または、端末装置１におけるＨＡＲＱエンティティにおける処理を記載しているが、本実施形態における処理は、端末装置１における処理であることは勿論である。
【００７９】
端末装置１は、ＭＣＧのためのＭＡＣエンティティ、ＭＣＧのためのＨＡＲＱエンティ
ティ、ＭＣＧのための第１のエンティティ、ＳＣＧのためのＭＡＣエンティティ、ＳＣＧのためのＨＡＲＱエンティティ、および、ＳＣＧのための第１のエンティティを備えてもよい。
【００８０】
以下、特に明記しない限り、本実施形態では、端末装置１における１つのＭＡＣエンティティにおける処理を説明する。本実施形態において、１つまたは複数のＨＡＲＱエンティティのそれぞれは、１つのサービングセルに対応する。例えば、端末装置１の１つのＭＡＣエンティティは、プライマリーセルに対応するＨＡＲＱエンティティ、セカンダリーセルに対応するＨＡＲＱエンティティ、および、ＬＡＡセカンダリーセルに対応するＨＡＲＱエンティティを備えてもよい。
【００８１】
ＨＡＲＱエンティティは、複数のＨＡＲＱプロセスを管理する。ＨＡＲＱエンティティは、ＨＡＲＱプロセスに初期送信、または、再送信をトリガするよう指示をする。ここで、初期送信はＨＡＲＱ初期送信またはＰＵＳＣＨ初期送信とも称する。ここで、再送信はＨＡＲＱ再送信またはＰＵＳＣＨ再送信とも称する。
【００８２】
端末装置１と基地局装置３とは、ＨＡＲＱ機能（functionality）を提供する。上りリ
ンクにおいて、同期ＨＡＲＱ（synchronous HARQ）または非同期ＨＡＲＱ（asynchronous
HARQ）が適用される。すなわち、上りリンクＨＡＲＱオペレーションは、同期および非
同期を含む。
【００８３】
基地局装置３は、上位層のパラメータを、上位層の信号（ＲＲＣメッセージ）に含めて端末装置１に送信してもよい。基地局装置３は、上位層のパラメータの設定またはリリースを指示する上位層の信号（ＲＲＣメッセージ）を端末装置１に送信してもよい。
【００８４】
基地局装置３は、ＨＡＲＱパラメータを、上位層の信号（ＲＲＣメッセージ）に含めて端末装置１に送信してもよい。基地局装置３は、ＨＡＲＱパラメータの設定またはリリースを指示する情報を、上位層の信号（ＲＲＣメッセージ）に含めて端末装置１に送信してもよい。同期ＨＡＲＱと非同期ＨＡＲＱのどちらがＨＡＲＱプロセスに適用されるかは、少なくともＨＡＲＱパラメータに基づいて決定されてもよい。ＨＡＲＱパラメータは、サービングセル毎に設定されてもよい。ＨＡＲＱパラメータは、サービングセルのグループ毎に設定されてもよい。ＨＡＲＱパラメータは、端末装置１に対して設定されてもよい。すなわち、ＨＡＲＱパラメータは、複数のサービングセルに対応してもよい。
【００８５】
特に明記しないかぎり、以下に記載する実施形態は、１つのサービングセル、１つのＨＡＲＱエンティティ、および、１つのＨＡＲＱプロセスに対する処理について記載する。
【００８６】
ＨＡＲＱパラメータは、上りリンクＨＡＲＱタイミングを決定するために用いられてもよい。ｋＰＵＳＣＨは、ＨＡＲＱパラメータに少なくとも基づいて与えられてもよい。ｋＰＵＳＣＨは、ＨＡＲＱパラメータが設定されているかどうかに少なくとも基づいて与えられてもよい。ここで、端末装置１は、サブフレームｎ−ｋＰＵＳＣＨにおけるＰＤＣＣＨ（上りリンクグラント）の検出に基づいて、サブフレームｎにＰＵＳＣＨの送信を調整する。すなわち、ＰＵＳＣＨを送信するサブフレームは、ＨＡＲＱパラメータに少なくとも基づいて与えられてもよい。すなわち、ＰＵＳＣＨを送信するサブフレームは、ＨＡＲＱパラメータが設定されているかどうかに少なくとも基づいて与えられてもよい。
【００８７】
特に明記しないかぎり、以下に記載する上りリンクグラントは、（１）ＰＵＳＣＨ初期送信をスケジュールするための上りリンクグラント、または、（２）ＰＵＳＣＨ送信（初期送信または再送信）をスケジュールするための上りリンクグラントに置き換えられてもよい。ＰＵＳＣＨ初期送信に対する上りリンクグラントとＰＵＳＣＨ再送信に対する上り
リンクグラントは、異なるタイプのサーチスペースで検出されてもよい。
【００８８】
本実施形態において端末装置１と基地局装置３とは、同期ＨＡＲＱと非同期ＨＡＲＱの両方または一方をサポートする。端末装置１は、ＨＡＲＱプロセスに対して同期ＨＡＲＱと非同期ＨＡＲＱのどちらを適用するかを以下の要素の一部、または、全部に少なくとも基づいて決定してもよい。
・要素１：ＨＡＲＱに関するＨＡＲＱパラメータが設定されているかどうか
・要素２：上りリンクグラントを含むＰＤＣＣＨが検出されたサーチスペース（コモンサーチスペース、ユーザー装置スペシフィックサーチスペース）
・要素３：上りリンクグラントを含むＰＤＣＣＨの送信のために用いられるＲＮＴＩ（Ｃ−ＲＮＴＩ、ＳＰＳ  Ｃ−ＲＮＴＩ）
・要素４：上りリンクグラントが、設定されるグラントであるかどうか
例えば、端末装置１に対してＨＡＲＱパラメータが設定されていない場合に、対応するＨＡＲＱプロセスに対して同期ＨＡＲＱが適用されてもよい。
【００８９】
例えば、端末装置１に対してＨＡＲＱパラメータが設定されている場合に、対応するＨＡＲＱプロセスに対して非同期ＨＡＲＱが適用されてもよい。
【００９０】
端末装置１に対してＨＡＲＱパラメータが設定されている場合に、上りリンクグラントを含むＰＤＣＣＨが検出されたサーチスペースのタイプに基づいて、対応するＨＡＲＱプロセスに対して同期ＨＡＲＱまたは非同期ＨＡＲＱのどちらを適用するかが決定されてもよい。
【００９１】
例えば、端末装置１に対してＨＡＲＱパラメータが設定されており、且つ、上りリンクグラントを含むＰＤＣＣＨがコモンサーチスペースにおいて検出された場合に、対応するＨＡＲＱプロセスに対して同期ＨＡＲＱが適用されてもよい。
【００９２】
例えば、端末装置１に対してＨＡＲＱパラメータが設定されており、且つ、上りリンクグラントを含むＰＤＣＣＨがユーザー装置スペシフィックサーチスペースにおいて検出された場合に、対応するＨＡＲＱプロセスに対して非同期ＨＡＲＱが適用されてもよい。
【００９３】
ＤＣＩフォーマット０を用いてスケジュールされたＰＵＳＣＨで送信されるトランスポートブロックに対して同期ＨＡＲＱが適用されてもよい。ＤＣＩフォーマット０Ｄを用いてスケジュールされたＰＵＳＣＨで送信されるトランスポートブロックに対して非同期ＨＡＲＱが適用されてもよい。ＤＣＩフォーマット０は、ＨＡＲＱプロセス番号に関する情報を含まない。ＤＣＩフォーマット０Ｄは、ＨＡＲＱプロセス番号に関する情報を含む。
【００９４】
端末装置１に対してＨＡＲＱパラメータが設定されていない場合、端末装置１はコモンサーチスペース、および、ユーザー装置スペシフィックサーチスペースにおいてＤＣＩフォーマット０をモニタしてもよい。
【００９５】
端末装置１に対してＨＡＲＱパラメータが設定されている場合、端末装置１は、コモンサーチスペースにおいてＤＣＩフォーマット０をモニタしてもよく、且つ、ユーザー装置スペシフィックサーチスペースにおいてＤＣＩフォーマット０Ｄをモニタしてもよい。
【００９６】
端末装置１に対してＨＡＲＱパラメータが設定されている場合に、上りリンクグラントを含むＰＤＣＣＨの送信のために用いられるＲＮＴＩのタイプ（例えば、Ｃ−ＲＮＴＩ、ＳＰＳ  Ｃ−ＲＮＴＩ）に少なくとも基づいて、対応するＨＡＲＱプロセスに対して同期ＨＡＲＱまたは非同期ＨＡＲＱのどちらを適用するかが決定されてもよい。
【００９７】
例えば、端末装置１に対してＨＡＲＱパラメータが設定されており、且つ、上りリンクグラントを含むＰＤＣＣＨの送信のためにＳＰＳ  Ｃ−ＲＮＴＩが用いられる場合に、対応するＨＡＲＱプロセスに対して同期ＨＡＲＱが適用されてもよい。
【００９８】
例えば、端末装置１に対してＨＡＲＱパラメータが設定されており、且つ、上りリンクグラントを含むＰＤＣＣＨの送信のためにＳＰＳ  Ｃ−ＲＮＴＩが用いられ、且つ、該ＰＤＣＣＨがコモンサーチスペースにおいて検出された場合に、対応するＨＡＲＱプロセスに対して同期ＨＡＲＱが適用されてもよい。
【００９９】
例えば、端末装置１に対してＨＡＲＱパラメータが設定されており、且つ、上りリンクグラントを含むＰＤＣＣＨの送信のためにＳＰＳ  Ｃ−ＲＮＴＩが用いられ、且つ、該ＰＤＣＣＨがユーザー装置スペシフィックサーチスペースにおいて検出された場合に、対応するＨＡＲＱプロセスに対して非同期ＨＡＲＱが適用されてもよい。
【０１００】
例えば、端末装置１に対してＨＡＲＱパラメータが設定されており、且つ、上りリンクグラントを含むＰＤＣＣＨの送信のためにＣ−ＲＮＴＩが用いられる場合に、対応するＨＡＲＱプロセスに対して非同期ＨＡＲＱが適用されてもよい。
【０１０１】
例えば、端末装置１に対してＨＡＲＱパラメータが設定されており、且つ、上りリンクグラントを含むＰＤＣＣＨの送信のためにＣ−ＲＮＴＩが用いられ、且つ、該ＰＤＣＣＨがコモンサーチスペースにおいて検出された場合に、対応するＨＡＲＱプロセスに対して同期ＨＡＲＱが適用されてもよい。
【０１０２】
例えば、端末装置１に対してＨＡＲＱパラメータが設定されており、且つ、上りリンクグラントを含むＰＤＣＣＨの送信のためにＣ−ＲＮＴＩが用いられ、且つ、該ＰＤＣＣＨがユーザー装置スペシフィックサーチスペースにおいて検出された場合に、対応するＨＡＲＱプロセスに対して非同期ＨＡＲＱが適用されてもよい。
【０１０３】
端末装置１に対してＨＡＲＱパラメータが設定されている場合に、セミパーシステントスケジューリングであるかどうかに少なくとも基づいて、対応するＨＡＲＱプロセスに対して同期ＨＡＲＱまたは非同期ＨＡＲＱのどちらを適用するかが決定されてもよい。
【０１０４】
端末装置１に対してＨＡＲＱパラメータが設定されている場合に、上りリンクグラントが設定されるグラントであるかどうかに少なくとも基づいて、対応するＨＡＲＱプロセスに対して同期ＨＡＲＱまたは非同期ＨＡＲＱのどちらを適用するかが決定されてもよい。
【０１０５】
端末装置１に対してＨＡＲＱパラメータが設定されている場合に、パラメータskipUplinkTxSPSが設定されているかどうかに少なくとも基づいて、対応するＨＡＲＱプロセスに
対して同期ＨＡＲＱまたは非同期ＨＡＲＱのどちらを適用するかが決定されてもよい。
【０１０６】
端末装置１に対してＨＡＲＱパラメータが設定されている場合に、（１）セミパーシステントスケジューリングであるかどうか、（２）上りリンクグラントが設定されるグラントであるかどうか、および／または（３）パラメータskipUplinkTxSPSが設定されている
かどうかに少なくとも基づいて、対応するＨＡＲＱプロセスに対して同期ＨＡＲＱまたは非同期ＨＡＲＱのどちらを適用するかが決定されてもよい。
【０１０７】
例えば、端末装置１に対してＨＡＲＱパラメータが設定されており、且つ、セミパーシステントスケジューリングである場合に、対応するＨＡＲＱプロセスに対して同期ＨＡＲＱが適用されてもよい。
【０１０８】
例えば、端末装置１に対してＨＡＲＱパラメータが設定されており、且つ、セミパーシステントスケジューリングである場合に、対応するＨＡＲＱプロセスに対して非同期ＨＡＲＱが適用されてもよい。
【０１０９】
例えば、端末装置１に対してＨＡＲＱパラメータが設定されており、且つ、セミパーシステントスケジューリングではない場合に、上述した例に基づいて、対応するＨＡＲＱプロセスに対して同期ＨＡＲＱまたは非同期ＨＡＲＱが適用されてもよい。
【０１１０】
例えば、端末装置１に対してＨＡＲＱパラメータが設定されており、且つ、上りリンクグラントが設定されるグラントである場合に、対応するＨＡＲＱプロセスに対して同期ＨＡＲＱが適用されてもよい。
【０１１１】
例えば、端末装置１に対してＨＡＲＱパラメータが設定されており、且つ、上りリンクグラントが設定されるグラントである場合に、対応するＨＡＲＱプロセスに対して非同期ＨＡＲＱが適用されてもよい。
【０１１２】
例えば、端末装置１に対してＨＡＲＱパラメータが設定されており、且つ、上りリンクグラントが設定されるグラントではない場合に、上述した例に基づいて、対応するＨＡＲＱプロセスに対して同期ＨＡＲＱまたは非同期ＨＡＲＱが適用されてもよい。設定されるグラントではない上りリンクグラントは、Ｃ−ＲＮＴＩに対応する上りリンクグラントであってもよい。
【０１１３】
例えば、端末装置１に対してＨＡＲＱパラメータが設定されており、且つ、上りリンクグラントが設定されるグラントであり、且つ、パラメータskipUplinkTxSPSが設定されて
いる場合に、対応するＨＡＲＱプロセスに対して同期ＨＡＲＱが適用されてもよい。
【０１１４】
例えば、端末装置１に対してＨＡＲＱパラメータが設定されており、且つ、上りリンクグラントが設定されるグラントであり、且つ、パラメータskipUplinkTxSPSが設定されて
いない場合に、対応するＨＡＲＱプロセスに対して非同期ＨＡＲＱが適用されてもよい。
【０１１５】
以下、セミパーシステントスケジューリングにおける初期送信について説明をする。
【０１１６】
セミパーシステントスケジューリングにおける初期送信では、基本的には、端末装置１における動作（処理）を記載するが、端末装置１の動作（処理）に対応して、基地局装置３が同様の動作（処理）を行なうことは勿論である。
【０１１７】
ここで、ＰＵＳＣＨでの送信（ＵＬ−ＳＣＨでの送信でもよい）は、ＳＦＮ（System Fame Number）およびサブフレームに基づいたタイミングで行われる。すなわち、ＰＵＳＣＨでの送信を行うタイミングを特定するためには、ＳＦＮおよび該ＳＦＮが対応する無線フレームにおけるサブフレームの番号／インデックスが必要である。ここで、ＳＦＮは、無線フレームの番号／インデックスである。サブフレームをＴＴＩ（Transmission Time Interval）とも称する。
【０１１８】
以下、説明の簡略化のために、ＰＵＳＣＨでの送信が行われるＳＦＮ（無線フレーム）およびサブフレームを、単に、サブフレームとも記載する。すなわち、以下の記載におけるサブフレームは、ＳＦＮ（無線フレーム）およびサブフレームの意味を含んでもよい。
【０１１９】
ここで、基地局装置３は、上りリンクにおけるセミパーシステントスケジューリングのインターバル（周期）を、端末装置１に対して設定してもよい。例えば、基地局装置３は、上りリンクにおけるセミパーシステントスケジューリングのインターバルの値を指示す
るためのパラメータsemiPersistSchedIntervalULを、上位層の信号（ＲＲＣメッセージ）に含めて端末装置１に送信してもよい。
【０１２０】
例えば、基地局装置３は、パラメータsemiPersistSchedIntervalULを用いて、セミパーシステントスケジューリングのインターバルの値として、１（１サブフレーム）、１０（１０サブフレーム）、２０（２０サブフレーム）、３２（３２サブフレーム）、４０（４０サブフレーム）、６４（６４サブフレーム）、８０（８０サブフレーム）、１２８（１２８サブフレーム）、１６０（１６０サブフレーム）、３２０（３２０サブフレーム）、および／または、６４０（６４０サブフレーム）を設定してもよい。
【０１２１】
すなわち、基地局装置３は、パラメータsemiPersistSchedIntervalULを用いて、セミパーシステントスケジューリングのインターバルの値として、１（１サブフレーム）を設定してもよい。
【０１２２】
例えば、パラメータsemiPersistSchedIntervalULは、サービングセル毎に設定されてもよい。また、パラメータsemiPersistSchedIntervalULは、プライマリーセルに対して設定されてもよい。また、セミパーシステントスケジューリングのインターバルの値“１（１サブフレーム）”は、プライマリーセル、および／または、セカンダリーセルに対して設定されてもよい（サービングセル毎に設定されてもよい）。
【０１２３】
基地局装置３は、上りリンクにおけるセミパーシステントスケジューリングのリソースを、ＲＲＣメッセージ、ＭＡＣコントロールエレメント、および／または、上りリンクに対するＤＣＩフォーマット（例えば、ＤＣＩフォーマット０、ＤＣＩフォーマット０Ｄ）を用いて、端末装置１に対して設定してもよい。
【０１２４】
基地局装置３は、上りリンクにおけるセミパーシステントスケジューリングのリソースのリリースを、ＲＲＣメッセージ、ＭＡＣコントロールエレメント、および／または、上りリンクに対するＤＣＩフォーマット（例えば、ＤＣＩフォーマット０、ＤＣＩフォーマット０Ｄ）を用いて、端末装置１に対して指示してもよい。
【０１２５】
基地局装置３は、第１のサービングセルと第２のサービングセルとに対して、異なる方法を用いて、上りリンクにおけるセミパーシステントスケジューリングのリソースの設定またはリリースを、端末装置１に対して指示してもよい。例えば、基地局装置３は、第１のサービングセルにおける上りリンクにおけるセミパーシステントスケジューリングのリソースの設定またはリリースを端末装置１に対して上りリンクに対するＤＣＩフォーマットを用いて指示してもよく、且つ、第２のサービングセルにおける上りリンクにおけるセミパーシステントスケジューリングのリソースの設定またはリリースを端末装置１に対してＲＲＣメッセージおよび／またはＭＡＣコントロールエレメントを用いて指示してもよい。ここで、第１のサービングセルは、プライマリーセルまたはプライマリーセカンダリーセルであってもよい。ここで、第２のサービングセルはＬＡＡセカンダリーセルであってもよい。
【０１２６】
基地局装置３は、上りリンクにおけるセミパーシステントスケジューリングのリソースを、ＲＲＣメッセージを用いて、端末装置１に対して設定してもよい。例えば、基地局装置３は、上りリンクにおけるセミパーシステントスケジューリングのリソースを指示するためのパラメータsemiPersistSchedResourceULを、上位層の信号（ＲＲＣメッセージ）に含めて端末装置１に送信してもよい。基地局装置３は、パラメータsemiPersistSchedResourceULを用いて、セミパーシステントなＰＵＳＣＨでの送信を活性化することを端末装置１に対して指示してもよい。また、基地局装置３は、パラメータsemiPersistSchedResourceULを用いて、セミパーシステントなＰＵＳＣＨのリソースをリリースすることを端末装
置１に対して指示してもよい。パラメータsemiPersistSchedResourceULは、以下の情報の一部、または、全部を少なくとも含んでもよい。
（ｉ）上りリンクにおけるセミパーシステントスケジューリングのリソースを含むサブフレームに関する情報
（ｉｉ）上りリンクにおけるセミパーシステントスケジューリングのリソースを含むサブフレームに関する情報
（ｉｉｉ）上りリンクグラント
（ｉｖ）リソースブロック割り当ておよびホッピングリソース割り当てに関する情報（Resource block assignment and hopping resource allocation）
（ｖ）ＭＣＳに関する情報（Modulation and Coding Scheme）
（ｖｉ）ＤＭＲＳに対するサイクリックシフトに関する情報（Cyclic shift DMRS）
基地局装置３は、１つのサービングセルに対して複数のパラメータsemiPersistSchedResourceULを設定してもよい。すなわち、基地局装置３は、１つのサービングセルに対して上りリンクにおけるセミパーシステントスケジューリングのリソースの複数のセットを設定してもよい。パラメータは、ＳＰＳインデックスSPSIdを含んでもよい。１つのサービ
ングセルに対応する複数のパラメータsemiPersistSchedResourceULは、インデックスＳＰＳＩｄによって特定されてもよい。
【０１２７】
端末装置１は、パラメータに対する応答を含むＲＲＣメッセージを送信してもよい。
【０１２８】
基地局装置３は、ＲＲＣメッセージ（パラメータsemiPersistSchedResourceUL）を用いて端末装置１に対して設定したセミパーシステントなＰＵＳＣＨのリソースの活性化または非活性化を、ＭＡＣコントロールエレメントを用いて端末装置１に対して指示してもよい。
【０１２９】
基地局装置３は、ＭＡＣコントロールエレメントを用いて、セミパーシステントなＰＵＳＣＨのリソースを活性化することを端末装置１に対して指示してもよい。基地局装置３は、ＭＡＣコントロールエレメントを用いて、セミパーシステントなＰＵＳＣＨのリソースをリリースすることを端末装置１に対して指示してもよい。セミパーシステントなＰＵＳＣＨのリソースの活性化または非活性化を示すためのＭＡＣコントロールエレメントを、ＳＰＳの活性化／非活性化ＭＡＣコントロールエレメント（activation/deactivation of SPS MAC control element）と称する。
【０１３０】
図３は、本実施形態におけるＳＰＳの活性化／非活性化ＭＡＣコントロールエレメントの一例を示す図である。図３において、ＳＰＳの活性化／非活性化ＭＡＣコントロールエレメントは、複数のＡｉフィールドを含む。１つのＡｉフィールドは１つのサービングセルにおけるセミパーシステントなＰＵＳＣＨのリソースの活性化または非活性化を指示する。Ａｉフィールドは、サービングセルインデックスServCellIndexｉに対応するサービ
ングセルにおけるセミパーシステントなＰＵＳＣＨのリソースの活性化または非活性化を指示してもよい。Ａｉフィールドは、１つのＬＡＡセカンダリーセルにおけるセミパーシステントなＰＵＳＣＨのリソースの活性化または非活性化を指示してもよい。
【０１３１】
サービングセルにおけるセミパーシステントなＰＵＳＣＨのリソースの活性化を指示するためにＡｉフィールドは‘１’にセットされてもよい。サービングセルにおけるセミパーシステントなＰＵＳＣＨのリソースの非活性化を指示するためにＡｉフィールドは‘０’にセットされてもよい。
【０１３２】
図４は、本実施形態におけるＳＰＳの活性化／非活性化ＭＡＣコントロールエレメントの別の例を示す図である。図４において、ＳＰＳの活性化／非活性化ＭＡＣコントロールエレメントは、複数の活性化／非活性化ＳＰＳコマンド（activation/deactivation SPS 
command）を含む。１つの活性化／非活性化ＳＰＳコマンドは１つのサービングセルに対
応する。１つの活性化／非活性化ＳＰＳコマンドは複数のＢｉフィールドを含む。１つのＢｉフィールドは１つのサービングセルにおける１つのＳＰＳインデックスに関連するセミパーシステントなＰＵＳＣＨのリソースの活性化または非活性化を指示する。ＢｉフィールドはサービングセルにおけるＳＰＳインデックスSPSIdｉに関連するセミパーシステ
ントなＰＵＳＣＨのリソースの活性化または非活性化を指示してもよい。ＢｉフィールドはＬＡＡセカンダリーセルにおけるＳＰＳインデックスSPSIdｉに関連するセミパーシス
テントなＰＵＳＣＨのリソースの活性化または非活性化を指示してもよい。
【０１３３】
サービングセルにおけるＳＰＳインデックスSPSIdｉに関連するセミパーシステントな
ＰＵＳＣＨのリソースの活性化を指示するためにＢｉフィールドは‘１’にセットされてもよい。サービングセルにおけるＳＰＳインデックスSPSIdｉに関連するセミパーシステ
ントなＰＵＳＣＨのリソースの非活性化を指示するためにＢｉフィールドは‘０’にセットされてもよい。
【０１３４】
端末装置１は、ＳＰＳの活性化／非活性化ＭＡＣコントロールエレメントを含むＰＤＳＣＨ（ＤＬ−ＳＣＨ、トランスポートブロック）に対する応答を、ＰＵＣＣＨを用いて、基地局装置３に送信してもよい。ここで、当該応答は、ＡＣＫであってもよい。
【０１３５】
基地局装置３は、上りリンクに対するＤＣＩフォーマット（例えば、ＤＣＩフォーマット０、ＤＣＩフォーマット０Ｄ）を用いて、端末装置１に対してセミパーシステント（半永続的、半持続的、周期的）なＰＵＳＣＨのリソース（物理リソースブロック）を割り当て、且つ、セミパーシステントなＰＵＳＣＨでの送信を活性化することを端末装置１に対して指示してもよい。また、基地局装置３は、上りリンクに対するＤＣＩフォーマットを用いて、セミパーシステントなＰＵＳＣＨのリソースをリリースすることを端末装置１に対して指示してもよい。
【０１３６】
例えば、端末装置１は、ＤＣＩフォーマットに付加されたＣＲＣパリティビットがＳＰＳ  Ｃ−ＲＮＴＩによってスクランブルされており、且つ、該ＤＣＩフォーマットに含まれるＮＤＩ（New data indicator）に関する情報のフィールドが‘０’にセットされている場合には、該ＤＣＩフォーマットに含まれる複数の情報のフィールドが特定の値にセットされているかを検証（確認、チェック）してもよい。すなわち、ＳＰＳ  Ｃ−ＲＮＴＩによってスクランブルされたＤＣＩフォーマットに付加されたＣＲＣパリティビット、および、ＮＤＩに関する情報のフィールドが、セミパーシステントスケジューリングに対するバリデーション（validation）のために用いられてもよい。
【０１３７】
ここで、もし検証に成功した場合は、端末装置１は、受信したＤＣＩフォーマットが、有効（valid）なセミパーシステントアクティベーション、または、有効なセミパーシス
テントリリースを指示しているとみなしてもよい（認識してもよい）。また、もし検証に成功しなかった場合は、端末装置１は、このＤＣＩフォーマットを破棄（クリア）してもよい。
【０１３８】
ここで、セミパーシステントアクティベーションとは、セミパーシステントスケジューリングのアクティベーションの意味が含まれてもよい。また、セミパーシステントアクティベーションとは、ＰＵＳＣＨのリソースのセミパーシステントな割り当ての意味が含まれてもよい。また、セミパーシステントリリースとは、セミパーシステントスケジューリングのリリースの意味が含まれてもよい。
【０１３９】
すなわち、ＤＣＩフォーマットは、セミパーシステントな上りリンクのスケジューリングのアクティベーションを指示するために用いられてもよい。また、ＤＣＩフォーマット
は、セミパーシステントスケジューリングのアクティベーションを有効にするために用いられてもよい。また、ＤＣＩフォーマットは、セミパーシステントリリースを指示するために用いられてもよい。
【０１４０】
図４は、本実施形態におけるセミパーシステントスケジューリングの活性化（activation）のためのスペシャルフィールド（Special fields）の例を示す図である。図４に示すように、セミパーシステントスケジューリングの活性化のために、複数のフィールドが規定されてもよい。また、セミパーシステントスケジューリングの活性化のために、複数のフィールドのそれぞれにセットされる所定の値（特定の値でもよい）が規定されてもよい。
【０１４１】
図４に示すように、例えば、上りリンクに対するＤＣＩフォーマット（例えば、ＤＣＩフォーマット０）がセミパーシステントスケジュールの活性化に用いられる場合には、上りリンクに対するＤＣＩフォーマットに含まれる、スケジュールされたＰＵＳＣＨに対するＴＰＣコマンドに関する情報（TPC command for scheduled PUSCH）のフィールドが‘
００’にセットされ、ＤＭＲＳに対するサイクリックシフトに関する情報（Cyclic shift
DMRS）のフィールドが‘０００’にセットされ、ＭＣＳおよびリダンダンシーバージョ
ンに関する情報（Modulation and coding scheme and redundancy version）のフィール
ドの最上位のビット（MSB: most significant bit）が‘０’にセットされてもよい。
【０１４２】
また、例えば、上りリンクに対するＤＣＩフォーマット（例えば、ＤＣＩフォーマット０Ｄ）がセミパーシステントスケジュールの活性化に用いられる場合には、上りリンクに対するＤＣＩフォーマットに含まれる、スケジュールされたＰＵＳＣＨに対するＴＰＣコマンドに関する情報（TPC command for scheduled PUSCH）のフィールドが‘００’にセ
ットされ、ＤＭＲＳに対するサイクリックシフトに関する情報（Cyclic shift DMRS）の
フィールドが‘０００’にセットされ、ＭＣＳおよびリダンダンシーバージョンに関する情報（Modulation and coding scheme and redundancy version）のフィールドの最上位
のビット（MSB: most significant bit）が‘０’にセットされ、ＨＡＲＱプロセス番号
に関する情報（HARQ process number）のフィールドが全て‘０’にセットされてもよい
。
【０１４３】
また、例えば、下りリンクに対するＤＣＩフォーマット（例えば、ＤＣＩフォーマット１、および／または、ＤＣＩフォーマット１Ａ）がセミパーシステントスケジュールの活性化に用いられる場合には、下りリンクに対するＤＣＩフォーマットに含まれる、ＨＡＲＱプロセス番号に関する情報（HARQ process number）のフィールドが‘０００（ＦＤＤ
に対して）’または‘００００（ＴＤＤに対して）’にセットされ、ＭＣＳに関する情報（Modulation and Coding scheme）のフィールドの最上位のビット（MSB）が‘０’にセ
ットされ、リダンダンシーバージョンに関する情報（redundancy version）のフィールドが‘００’にセットされてもよい。
【０１４４】
すなわち、端末装置１は、ＤＣＩフォーマットに含まれる複数の情報のフィールドのそれぞれが、予め規定された特定の値にセットされている場合に、セミパーシステントスケジューリングを活性化してもよい。ここで、セミパーシステントスケジューリングの活性化のために用いられる、複数の情報のフィールド、および、該情報のフィールドがセットされる所定の値は、上述した例に限定されないことは勿論である。例えば、セミパーシステントスケジューリングの活性化のために用いられる、複数の情報のフィールド、および、該情報のフィールドがセットされる所定の値は、仕様などによって予め定義され、基地局装置３と端末装置１との間で既知の情報としておいてもよい。
【０１４５】
図５は、本実施形態におけるセミパーシステントスケジューリングのリリース（releas
e）のためのスペシャルフィールド（Special fields）の例を示す図である。図５に示す
ように、セミパーシステントスケジューリングのリリースのために、複数のフィールドが規定されてもよい。また、セミパーシステントスケジューリングのリリースのために、複数のフィールドのそれぞれにセットされる所定の値（特定の値でもよい）が規定されてもよい。
【０１４６】
図５に示すように、例えば、上りリンクに対するＤＣＩフォーマット（例えば、ＤＣＩフォーマット０）がセミパーシステントスケジュールのリリースに用いられる場合には、上りリンクに対するＤＣＩフォーマットに含まれる、スケジュールされたＰＵＳＣＨに対するＴＰＣコマンドに関する情報（TPC command for scheduled PUSCH）のフィールドが
‘００’にセットされ、ＤＭＲＳに対するサイクリックシフトに関する情報（Cyclic shift DMRS）のフィールドが‘０００’にセットされ、ＭＣＳおよびリダンダンシーバージ
ョンに関する情報（Modulation and coding scheme and redundancy version）のフィー
ルドが‘１１１１１’にセットされ、リソースブロック割り当ておよびホッピングリソース割り当てに関する情報（Resource block assignment and hopping resource allocation）のフィールドが全て‘１’にセットされてもよい。
【０１４７】
すなわち、上りリンクに対するＤＣＩフォーマットがセミパーシステントスケジューリングのリリースに用いられる場合には、リソースブロック割り当て（リソース割り当て）に関連するフィールドには、リリースのために予め規定された値がセットされてもよい。
【０１４８】
また、例えば、上りリンクに対するＤＣＩフォーマット（例えば、ＤＣＩフォーマット０Ｄ）がセミパーシステントスケジュールのリリースに用いられる場合には、上りリンクに対するＤＣＩフォーマットに含まれる、スケジュールされたＰＵＳＣＨに対するＴＰＣコマンドに関する情報（TPC command for scheduled PUSCH）のフィールドが‘００’に
セットされ、ＤＭＲＳに対するサイクリックシフトに関する情報（Cyclic shift DMRS）
のフィールドが‘０００’にセットされ、ＭＣＳおよびリダンダンシーバージョンに関する情報（Modulation and coding scheme and redundancy version）のフィールドが‘１
１１１１’にセットされ、リソースブロック割り当ておよびホッピングリソース割り当てに関する情報（Resource block assignment and hopping resource allocation）のフィ
ールドが全て‘１’にセットされ、ＨＡＲＱプロセス番号に関する情報（HARQ process number）のフィールドが全て‘０’にセットされてもよい。
【０１４９】
また、例えば、下りリンクに対するＤＣＩフォーマット（例えば、ＤＣＩフォーマット１、および／または、ＤＣＩフォーマット１Ａ）がセミパーシステントスケジュールのリリースに用いられる場合には、下りリンクに対するＤＣＩフォーマットに含まれる、ＨＡＲＱプロセス番号に関する情報（HARQ process number）のフィールドが‘０００（ＦＤ
Ｄに対して）’または‘００００（ＴＤＤに対して）’にセットされ、ＭＣＳに関する情報（Modulation and Coding scheme）のフィールドが‘１１１１１’にセットされ、リダンダンシーバージョンに関する情報（redundancy version）のフィールドが‘００’にセットされ、リソースブロック割り当てに関する情報（Resource block assignment）のフ
ィールド（複数のフィールドの全てのフィールドでもよい）が‘１’セットされてもよい。
【０１５０】
すなわち、下りリンクに対するＤＣＩフォーマットがセミパーシステントスケジューリングのリリースに用いられる場合には、リソースブロック割り当て（リソース割り当て）に関連するフィールドには、リリースのために予め規定された値がセットされてもよい。
【０１５１】
すなわち、端末装置１は、ＤＣＩフォーマットに含まれる複数の情報のフィールドのそれぞれが、予め規定された特定の値にセットされている場合に、セミパーシステントスケ
ジューリングをリリースしてもよい。ここで、セミパーシステントスケジューリングのリリースのために用いられる、複数の情報のフィールド、および、該情報のフィールドがセットされる所定の値は、上述した例に限定されないことは勿論である。例えば、セミパーシステントスケジューリングのリリースのために用いられる、複数の情報のフィールド、および、該情報のフィールドがセットされる所定の値は、仕様などによって予め定義され、基地局装置３と端末装置１との間で既知の情報としておいてもよい。
【０１５２】
セミパーシステントな上りリンクのスケジューリングのアクティベーションまたはリリースを指示するために用いられるＤＣＩフォーマットは、ＳＰＳインデックスSPSIdを示
すために用いられる情報フィールドを含んでもよい。すなわち、ＤＣＩフォーマットは、ＤＣＩフォーマットは、ＳＰＳインデックスSPSIdに関連するセミパーシステントな上り
リンクのスケジューリングのアクティベーションまたはリリースを指示するために用いられてもよい。ＳＰＳインデックスSPSIdを示すために用いられる情報フィールドは、スケ
ジュールされたＰＵＳＣＨに対するＴＰＣコマンドに関する情報（TPC command for scheduled PUSCH）のフィールド、ＤＭＲＳに対するサイクリックシフトに関する情報（Cyclic shift DMRS）のフィールド、または、ＨＡＲＱプロセス番号に関する情報（HARQ process number）のフィールドであってもよい。
【０１５３】
また、例えば、ＳＰＳ  Ｃ−ＲＮＴＩによってスクランブルされたＣＲＣパリティビットが付加されたＤＣＩフォーマットは、セミパーシステントスケジューリングのインターバルの値として“１（１サブフレーム）”がセカンダリーセルに対して設定される場合において、該セカンダリーセルに対して送信されてもよい。また、例えば、ＳＰＳ  Ｃ−ＲＮＴＩによってスクランブルされたＣＲＣパリティビットが付加されたＤＣＩフォーマットは、セミパーシステントスケジューリングのインターバルの値として“１０（１０サブフレーム）”より短いインターバルがセカンダリーセルに対して設定される場合において、該セカンダリーセルに対して送信されてもよい。
【０１５４】
ここで、端末装置１は、ＵＬ−ＳＣＨでの送信（ＰＵＳＣＨを経由したＵＬ−ＳＣＨでの送信、ＰＵＳＣＨでのＵＬ−ＳＣＨの送信）を行なうために、有効な上りリンクグラント（a valid uplink grant）を持たなければならない。ここで、上りリンクグラントとは、あるサブフレームにおける上りリンクの送信がグラントされる（許可される、与えられる）ことの意味が含まれてもよい。
【０１５５】
例えば、有効な上りリンクグラントは、ＰＤＣＣＨで動的に受信されてもよい。すなわち、有効な上りリンクグラントは、Ｃ−ＲＮＴＩによってスクランブルされたＣＲＣパリティビットが付加されたＤＣＩフォーマットを用いて指示されてもよい。ＰＤＣＣＨで動的に受信された上りリンクグラントを、Ｃ−ＲＮＴＩに対応する上りリンクグラントとも称する。
【０１５６】
また、有効な上りリンクグラントは、半永続的に設定されてもよい。すなわち、有効な上りリンクグラントは、ＳＰＳ  Ｃ−ＲＮＴＩによってスクランブルされたＣＲＣパリティビットが付加されたＤＣＩフォーマットを用いて指示されてもよい。
【０１５７】
また、端末装置１は、ＰＤＣＣＨで動的に受信された上りリンクグラント、および／または、半永続的に設定された上りリンクグラントを、ストアしてもよい。ここで、ＨＡＲＱエンティティは、ＰＤＣＣＨで動的に受信された上りリンクグラント、および／または、半永続的に設定された上りリンクグラントを、ＨＡＲＱプロセスに渡し、ＨＡＲＱプロセスは、ＨＡＲＱエンティティから受信した上りリンクグラントをストアしてもよい。以下、ストアされる、ＰＤＣＣＨで動的に受信された上りリンクグラント、および／または、半永続的に設定された上りリンクグラントを、ストアされる上りリンクグラント（a st
ored uplink grant）と称する。
【０１５８】
また、端末装置１（ＭＡＣエンティティ）は、セミパーシステントアクティベーションが指示された場合には、設定される上りリンクグラント（a configured uplink grant）
として、基地局装置３から受信した上りリンクグラントをストアしてもよい。ここで、上りリンクグラントは、ＰＤＣＣＨ、または、パラメータsemiPersistSchedResourceULに含まれていてもよい。端末装置１（ＭＡＣエンティティ）は、設定される上りリンクグラント（a configured uplink grant）として、パラメータsemiPersistSchedResourceULに含
まれる上りリンクグラントをストアしてもよい。ここで、設定される上りリンクグラントは、設定されるセミパーシステントスケジューリングの上りリンクグラント（SPS UL grant）、設定されるグラントと称されてもよい。また、設定される上りリンクグラントは、設定された上りリンクグラント、設定されたセミパーシステントスケジューリングの上りリンクグラント（SPS UL grant）、設定されたグラントと称されてもよい。
【０１５９】
ここで、ＭＡＣエンティティによってストアされる上りリンクグラント（SPS UL grant）がクリアされたとことに基づいて、ＨＡＲＱプロセスによってストアされる上りリンクグラント（SPS UL grant）はクリアされなくてもよい。すなわち、ＭＡＣエンティティによってストアされる上りリンクグラント（SPS UL grant）がクリアされたとしても、ＨＡＲＱプロセスによってストアされる上りリンクグラント（SPS UL grant）に基づいて、セミパーシステントなＰＵＳＣＨに対する再送信を続行することは可能である。
【０１６０】
また、セミパーシステントスケジューリングの上りリンクグラントは、ＳＰＳ上りリンクグラント、セミパーシステントグラント（Semi-persistent grant）、セミパーシステ
ントスケジューリングアサインメント（Semi-persistent scheduling assignment）とも
称されてもよい。
【０１６１】
また、基地局装置３は、セミパーシステントスケジューリングの有効、および／または、無効を、端末装置１に対して設定してもよい。例えば、基地局装置３は、セミパーシステントスケジューリングの有効、および／または、無効を、上位層の信号（例えば、ＲＲＣ層の信号）を用いて設定してもよい。
【０１６２】
また、セミパーシステントスケジューリングが有効とされる場合には、ＳＰＳ  Ｃ−ＲＮＴＩ、上りリンクにおけるセミパーシステントスケジューリングのインターバルの値を指示するためのパラメータ、リリースする前のエンプティ送信の数（Number of first empty transmissions before release）を指示するためのパラメータ（パラメータimplicitReleaseAfter とも称する）、および／または、ＳＰＳデアクティベーションタイマー（SPS deactivation timer、パラメータskipUplinkTxSPSとも称する）が、少なくとも供給（設定）されてもよい。ここで、エンプティ送信（空の送信とも称する）については、後述する。また、パラメータimplicitReleaseAfter 、および、パラメータskipUplinkTxSPSについては、後述する。
【０１６３】
ここで、例えば、端末装置１は、あるサブフレームにおいて、セミパーシステントなＰＵＳＣＨでの送信を開始（start）し、そして、数（１）に基づいて、該セミパーシステ
ントなＰＵＳＣＨでの送信を繰り返す（recur）するために、設定される上りリンクグラ
ントを、イニシャライズ、または、再イニシャライズしてもよい。すなわち、端末装置１は、数（１）を満たすサブフレームにおいて、設定される上りリンクグラントが生じると、連続的にみなしてもよい。
【０１６４】
【数１】
2020107920.tif 000003
【０１６５】
すなわち、端末装置１は、ＳＰＳ上りリンクグラントを設定した後に、Ｓｕｂｆｒａｍｅ_Ｏｆｆｓｅｔ（サブフレームオフセット）の値をセットし、数（１）に基づいて特定
されるサブフレームにおいて、Ｎ番目のグラント（設定される上りリンクグラント、ＳＰＳ上りリンクグラント）が発生する（occur）とみなしてもよい（順次考慮してもよい（consider sequentially））。
【０１６６】
ここで、数（１）を満たすサブフレームを、所定の条件を満たすサブフレームとも称する。また、数（１）を満たすサブフレームのうち最初のサブフレームを除くサブフレームを、所定の条件を満たすサブフレームとも称する。ここで、数（１）を満たすサブフレームのうち最初のサブフレームは、セミパーシステントスケジューリングの活性化または再活性化またはリリースを指示するために用いられるＤＣＩの受信するサブフレームであってもよい。
【０１６７】
すなわち、端末装置１は、ストアしたＤＣＩフォーマットをＳＰＳ上りリンクグラントとして設定した後に、数（１）に基づいて、Ｎ番目の設定される上りリンクグラントに対応するＰＵＳＣＨでの送信を行うサブフレームを特定してもよい。ここで、数（１）において、ＳＦＮおよびｓｕｂｆｒａｍｅは、それぞれ、ＰＵＳＣＨでの送信が行われるＳＦＮおよびサブフレームを示している。
【０１６８】
また、数（１）において、ＳＦＮｓｔａｒｔ_ｔｉｍｅおよびｓｕｂｆｒａｍｅｓｔａ
ｒｔ＿ｔｉｍｅは、それぞれ、設定される上りリンクグラントが、イニシャライズ、または、再イニシャライズされる時点でのＳＦＮおよびサブフレームを示している。すなわち、ＳＦＮｓｔａｒｔ_ｔｉｍｅおよびｓｕｂｆｒａｍｅｓｔａｒｔ＿ｔｉｍｅは、設定さ
れる上りリンクグラントに基づいて、ＰＵＳＣＨでの送信を開始するＳＦＮおよびサブフレーム（すなわち、０番目の設定される上りリンクグラントに対応するＰＵＳＣＨでの初期送信が行われるサブフレーム）を示している。
【０１６９】
また、数（１）において、ｓｅｍｉＰｅｒｓｉｓｔＳｃｈｅｄＩｎｔｅｒｖａｌＵＬは、上りリンクにおけるセミパーシステントスケジューリングのインターバルを示している。また、数（１）において、Ｓｕｂｆｒａｍｅ_Ｏｆｆｓｅｔ（サブフレームオフセット
）は、ＰＵＳＣＨでの送信が行なわれるサブフレームを特定するために用いられるオフセットの値を示している。
【０１７０】
ここで、端末装置１は、ＳＰＳ上りリンクグラントを設定した後に、もし、上位層によって、パラメータ（twoIntervalConfig）が有効とされていない場合には、数（１）にお
けるＳｕｂｆｒａｍｅ_Ｏｆｆｓｅｔを‘０’にセットしてもよい。
【０１７１】
また、イニシャライズは、セミパーシステントスケジューリングがアクティブされていない場合に行なわれてもよい。また、再イニシャライズは、セミパーシステントスケジューリングが既にアクティブされている場合に行なわれてもよい。ここで、イニシャライズは初期設定の意味を、再イニシャライズは再初期設定の意味を含んでもよい。すなわち、端末装置１は、設定される上りリンクグラントを、イニシャライズ、または、再イニシャライズすることによって、あるサブフレームにおいてＰＵＳＣＨでの送信を開始してもよい。
【０１７２】
図６から図８は、本実施形態におけるセミパーシステントなＰＵＳＣＨのリソースの活性化または非活性化を指示するために用いられるＤＣＩフォーマットの送信方法の一例を示すための図である。図６から図８においてＤＬ  ＣＣは下りリンクコンポーネントキャリアを示し、ＵＬ  ＣＣは上りリンクコンポーネントキャリアを示す。図６から図８において、実線の矢印はセミパーシステントなＰＵＳＣＨのリソースの活性化を指示するために用いられるＤＣＩフォーマットを示し、点線の矢印はセミパーシステントなＰＵＳＣＨのリソースの活性化を指示するために用いられるＤＣＩフォーマットを示し、
プライマリーセルにおけるセミパーシステントなＰＵＳＣＨのリソースの活性化または非活性化を指示するために用いられるＤＣＩフォーマットは、プライマリーセルのみにおいて送信されてもよい。プライマリーセカンダリーセルにおけるセミパーシステントなＰＵＳＣＨのリソースの活性化または非活性化を指示するために用いられるＤＣＩフォーマットは、プライマリーセカンダリーセルのみにおいて送信されてもよい。
【０１７３】
ＬＡＡセカンダリーセルにおけるセミパーシステントなＰＵＳＣＨのリソースの活性化または非活性化を指示するために用いられるＤＣＩフォーマットは、当該ＬＡＡセカンダリーセルにおいて送信されてもよい。ＬＡＡセカンダリーセルにおけるセミパーシステントなＰＵＳＣＨのリソースの活性化または非活性化を指示するために用いられるＤＣＩフォーマットは、プライマリーセル、または、セカンダリーセルにおいて送信されてもよい。
【０１７４】
ＬＡＡセカンダリーセルにおけるセミパーシステントなＰＵＳＣＨのリソースの活性化を指示するために用いられるＤＣＩフォーマットは当該ＬＡＡセカンダリーセルにおいて送信されてもよく、当該ＬＡＡセカンダリーセルにおけるセミパーシステントなＰＵＳＣＨのリソースの非活性化を指示するために用いられるＤＣＩフォーマットは、プライマリーセル、または、セカンダリーセルにおいて送信されてもよい。すなわち、ＬＡＡセカンダリーセルにおけるセミパーシステントなＰＵＳＣＨのリソースの活性化を指示するために用いられるＤＣＩフォーマットと当該ＬＡＡセカンダリーセルにおけるセミパーシステントなＰＵＳＣＨのリソースの非活性化を指示するために用いられるＤＣＩフォーマットは、異なるサービングセルにおいて送信されてもよい。
【０１７５】
端末装置１は、ＬＡＡセカンダリーセルにおけるセミパーシステントなＰＵＳＣＨのリソースの活性化を指示するために用いられるＤＣＩフォーマットが送信されるサービングセル示す情報を、基地局装置３から受信してもよい。端末装置１は、ＬＡＡセカンダリーセルにおけるセミパーシステントなＰＵＳＣＨのリソースの非活性化を指示するために用いられるＤＣＩフォーマットが送信されるサービングセル示す情報を、基地局装置３から受信してもよい。
【０１７６】
図９は、本実施形態におけるノンエンプティ送信（Non-empty transmission）およびエンプティ送信（Empty transmission）の例を説明するための図である。図９に示すように、ＭＡＣプロトコルデータユニット（MAC PDU: MAC Protocol Data Unit）は、ＭＡＣヘ
ッダー（MAC header）、ＭＡＣサービスデータユニット（MAC SDU: MAC Service Data Unit）、ＭＡＣコントロールエレメント（MAC CE: MAC Control Element）、および、パデ
ィング（パディングビット）から構成されてもよい。ここで、ＭＡＣプロトコルデータユニットは、上りリンクデータ（ＵＬ−ＳＣＨ）に対応してもよい。ＭＡＣヘッダーは、１つ、または、複数のＭＡＣサブヘッダを含んでもよい。ＭＡＣサブヘッダは、１つのＭＡＣコントロールエレメント、または、１つのＭＡＣサービスデータユニットに対応する。ＭＡＣサブヘッダは、ＭＡＣコントロールエレメントに対応する論理チャネル識別子を含んでもよい。ＭＡＣサブヘッダは、１つのＭＡＣサービスデータユニットに対応する論理チャネル識別子を含んでもよい。
【０１７７】
ここで、ＭＡＣコントロールエレメントとして、少なくとも、ＳＰＳ確認ＭＡＣコントロールエレメント（SPS confirmation MAC CE）、バッファステータスレポートＭＡＣコ
ントロールエレメント（BSR MAC CE: Buffer Status Report MAC CE、バッファステータ
スレポートに用いられるＭＡＣコントロールエレメント）、タイミングアドバンスコマンドＭＡＣコントロールエレメント（TAC MAC CE: Timing Advance Command MAC CE、タイ
ミングアドバンスコマンドの送信に用いられるＭＡＣコントロールエレメント）、パワーヘッドルームレポートＭＡＣコントロールエレメント（PHR MAC CE: Power Headroom Report MAC CE、パワーヘッドルームレポートに用いられるＭＡＣコントロールエレメント）、および／または、活性化／非活性化ＭＡＣコントロールエレメント（Activation/Deactivation MAC CE、活性化／非活性化コマンドの送信に用いられるＭＡＣコントロールエレメント）、および、ＳＰＳの活性化／非活性化ＭＡＣコントロールエレメント（activation/deactivation of SPS MAC control element）を含む、複数のＭＡＣコントロールエレメントが規定されてもよい。
【０１７８】
また、バッファステータスレポートとして、少なくとも、レギュラーＢＳＲ、周期的ＢＳＲ、および、パディングＢＳＲを含む、複数のバッファステータスレポートが規定されてもよい。例えば、レギュラーＢＳＲ、周期的ＢＳＲ、および、パディングＢＳＲのそれぞれは、異なるイベント（条件）に基づいてトリガされてもよい。
【０１７９】
例えば、レギュラーＢＳＲは、ある論理チャネルグループ（LCG: Logical Channel Group）に属する論理チャネルのデータが送信可能になり、且つ、その送信優先順位がいずれかのＬＣＧに属する既に送信可能な論理チャネルより高い場合か、いずれかのＬＣＧに属する論理チャネルにおいて送信可能なデータがない場合にトリガされてもよい。また、レギュラーＢＳＲは、所定のタイマー（retxBSR-Timer）が満了し、且つ、端末装置１があ
るＬＣＧに属する論理チャネルにおいて送信可能なデータを持つ場合にトリガされてもよい。
【０１８０】
また、周期的ＢＳＲは、所定のタイマー（periodicBSR-Timer）が満了した場合にトリ
ガされてもよい。また、パディングＢＳＲは、ＵＬ−ＳＣＨが割り当てられており、且つ、パディングビット数が、バッファステータスレポートＭＡＣコントロールエレメントとそのサブヘッダのサイズに等しいか、または、それより大きい場合にトリガされてもよい。
【０１８１】
端末装置１は、バッファステータスレポートを用いて、各ＬＣＧに対応した上りリンクデータの送信データバッファ量をＭＡＣ層におけるメッセージとして基地局装置３へ通知してもよい。
【０１８２】
図１０に示すように、ＭＡＣプロトコルデータユニットは、ゼロ、１つ、または、複数のＭＡＣサービスデータユニットを含んでもよい。また、ＭＡＣプロトコルデータユニットは、ゼロ、１つ、または、複数のＭＡＣコントロールエレメントを含んでもよい。また、パディングは、ＭＡＣプロトコルデータユニットの最後に付加されてもよい（Padding may occur at the end of the MAC PDU）。
【０１８３】
図１１と図１２は、本実施形態におけるパラメータskipUplinkTxSPSとパラメータskipUplinkTxLaaSPSとパラメータskipUplinkTxDynamicとサービングセルの対応の一例を示す図である。
【０１８４】
基地局装置３は、端末装置１へパラメータskipUplinkTxSPSを送信してもよい。例えば
、基地局装置３は、上位層の信号（例えば、ＲＲＣ層の信号）を用いて、パラメータskip
UplinkTxSPSを送信してもよい。パラメータskipUplinkTxSPSは、プライマリーセルに対して設定されるグラントに対応する上りリンク送信をスキップするかどうかを決定するために用いられる。パラメータskipUplinkTxSPSが設定されており、且つ、端末装置１のバッ
ファに送信のために利用できるデータ（available data for transmission）がない場合
、端末装置１はプライマリーセルに対して設定されるグラントに対応する上りリンク送信をスキップする。ここで、上りリンク送信はＰＵＳＣＨ送信であってもよい。設定されるグラントに対応する上りリンク送信は、セミパーシステントスケジューリングのリソースにおける上りリンク送信である。
【０１８５】
基地局装置３は、端末装置１へパラメータskipUplinkTxLaaSPSを送信してもよい。例えば、基地局装置３は、上位層の信号（例えば、ＲＲＣ層の信号）を用いて、パラメータskipUplinkTxLaaSPSを送信してもよい。パラメータskipUplinkTxLaaSPSは、ＬＡＡセカンダリーセルに対して設定されるグラントに対応する上りリンク送信をスキップするかどうかを決定するために用いられてもよい。パラメータskipUplinkTxLaaSPSが設定されており、且つ、端末装置１のバッファに送信のために利用できるデータ（available data for transmission）がない場合、端末装置１はＬＡＡセカンダリーセルに対して設定されるグラ
ントに対応する上りリンク送信をスキップする。ここで、上りリンク送信はＰＵＳＣＨ送信であってもよい。パラメータskipUplinkTxLaaSPSは、複数のＬＡＡセカンダリーセルに対応してもよい。パラメータskipUplinkTxLaaSPSは、複数のＬＡＡセカンダリーセルのそれぞれに対して定義されてもよい。すなわち、１つのパラメータskipUplinkTxLaaSPSは１つのＬＡＡセカンダリーセルに対応してもよい。
【０１８６】
基地局装置３は、端末装置１へパラメータskipUplinkTxDynamicを送信してもよい。例
えば、基地局装置３は、上位層の信号（例えば、ＲＲＣ層の信号）を用いて、パラメータskipUplinkTxDynamicを送信してもよい。パラメータskipUplinkTxDynamicは、Ｃ−ＲＮＴＩに対応する上りリンクグラントに対応する上りリンク送信をスキップするかどうかを決定するために用いられる。パラメータskipUplinkTxDynamicが設定されており、且つ、端
末装置１のバッファに送信のために利用できるデータ（available data for transmission）がない場合、端末装置１はＣ−ＲＮＴＩに対応する上りリンクグラントに対応する上
りリンク送信をスキップする。ここで、上りリンク送信はＰＵＳＣＨ送信であってもよい。パラメータskipUplinkTxDynamicは、複数のサービングセルに対して適用されてもよい
。ここで、複数のサービングセルは、セカンダリーセル、および、ＬＡＡセカンダリーセルを含んでもよい。Ｃ−ＲＮＴＩに対応する上りリンクグラントに対応する上りリンク送信は、動的にスケジュールされる上りリンク送信である。
【０１８７】
端末装置１は、パラメータskipUplinkTxLaaSPSに係わらず、ＬＡＡセカンダリーセルに対して設定されるグラントに対応する上りリンク送信をスキップすることを決定してもよい。端末装置１は、ＬＡＡセカンダリーセルにおけるセミパーシステントなＰＵＳＣＨのリソースを用いて、送信のために利用できるデータを含まないＭＡＣプロトコルデータユニットを送信しない。すなわち、端末装置１は、ＬＡＡセカンダリーセルにおけるセミパーシステントなＰＵＳＣＨのリソースを用いて、送信のために利用できるデータを含むＭＡＣプロトコルデータユニットのみを送信してもよい。
【０１８８】
ここで、送信のために利用できるデータは、ＭＡＣサービスデータユニット、および、第１のＭＡＣコントロールエレメント、および、非周期的チャネル状態情報を含んでもよい。第１のＭＡＣコントロールエレメントは、ＳＰＳ確認ＭＡＣコントロールエレメント、レギュラーＢＳＲのためのバッファステータスレポートＭＡＣコントロールエレメント、および、パワーヘッドルームレポートＭＡＣコントロールエレメントを含んでもよい。送信のために利用できるデータは、第２のＭＡＣコントロールエレメントを含まない。第２のＭＡＣコントロールエレメントは、パディングＢＳＲのためのバッファステータスレ
ポートＭＡＣコントロールエレメント、および、周期的ＢＳＲのためのバッファステータスレポートを含む。
【０１８９】
以下、ＭＡＣプロトコルデータユニットにＭＡＣサービスデータユニットが含まれることは、ＭＡＣプロトコルデータユニットにＭＡＣサービスデータユニットおよび該ＭＡＣサービスデータユニットのためのＭＡＣサブヘッダが含まれることを意味してもよい。以下、ＭＡＣプロトコルデータユニットにＭＡＣコントロールエレメントが含まれることは、ＭＡＣプロトコルデータユニットにコントロールエレメントおよび該コントロールエレメントのためのＭＡＣサブヘッダが含まれることを意味してもよい。
【０１９０】
すなわち、送信のために利用できるデータを含むＭＡＣプロトコルデータユニットは、ＭＡＣサービスデータユニットおよび第１のＭＡＣコントロールエレメントの一方を少なくとも含むＭＡＣプロトコルデータユニットであってもよい。
【０１９１】
すなわち、送信のために利用できるデータを含まないＭＡＣプロトコルデータユニットは、（１）ＭＡＣサービスデータユニット、および、第１のＭＡＣコントロールエレメントを含まないＭＡＣプロトコルデータユニット、（２）ＭＡＣサービスデータユニット、および、第１のＭＡＣコントロールエレメントを含まず、且つ、第２のＭＡＣコントロールエレメントを含むＭＡＣプロトコルデータユニット、または、（３）ＭＡＣサービスデータユニットを含まず、且つ、第２のＭＡＣコントロールエレメントのみを含むＭＡＣプロトコルデータユニットであってもよい。
【０１９２】
非周期的チャネル状態情報の報告は下りリンク制御情報によってリクエスト（トリガ）される。非周期的チャネル状態情報の報告はＰＵＳＣＨを用いて実行される。端末装置１は、該ＰＵＳＣＨを用いてＭＡＣプロトコルデータユニットと非周期的チャネル状態情報の両方を送信してもよい。
【０１９３】
上りリンク送信をスキップするかどうかは、サブフレーム毎に判定される。
【０１９４】
上りリンク送信をスキップすることは、端末装置１における第１のエンティティ、および、ＨＡＲＱエンティティにおける動作（処理）として規定されてもよい。ＨＡＲＱエンティティはサブフレームに関連するＨＡＲＱプロセスを特定する。ＨＡＲＱエンティティは、第１のエンティティからＭＡＣプロトコルデータユニットを取得する。ＨＡＲＱエンティティは、上りリンクグラントを第１のエンティティに示す。ＨＡＲＱエンティティは、第１のエンティティからＭＡＣプロトコルデータユニットを取得できた場合、ＭＡＣプロトコルデータユニットを特定されたＨＡＲＱプロセスに渡し、且つ、特定されたＨＡＲＱプロセスに初期送信のトリガを指示する。ＨＡＲＱエンティティは、第１のエンティティからＭＡＣプロトコルデータユニットを取得できなかった場合、ＨＡＲＱプロセスに初期送信のトリガを指示しない。
【０１９５】
第１のエンティティはＭＡＣプロトコルデータユニットを生成し、生成したＭＡＣプロトコルデータユニットをＨＡＲＱエンティティに渡す。第１のエンティティは、以下の条件を満たす場合に、ＭＡＣプロトコルデータユニットを生成しない。
【０１９６】
第１のエンティティは、（１）このサブフレームにおける非周期的チャネル状態情報の送信がリクエストされていない、且つ、（２）ＭＡＣプロトコルデータユニットがＭＡＣサービスデータユニットを含まない、且つ、（３）ＭＡＣプロトコルデータユニットが第２のＭＡＣコントロールエレメントを含み、且つ、（４）パラメータskipUplinkTxSPSが
設定されており、且つ、（５）ＨＡＲＱエンティティによって示される上りリンクグラントが設定されるグラントである場合、ＨＡＲＱエンティティのためのＭＡＣプロトコルデ
ータユニットを生成しない。すなわち、第１のエンティティは、（１）このサブフレームにおける非周期的チャネル状態情報の送信がリクエストされていない、且つ、（２）ＭＡＣプロトコルデータユニットが送信のために利用できるデータを含まない、且つ、（３）パラメータskipUplinkTxSPSが設定されており、且つ、（４）ＨＡＲＱエンティティによ
って示される上りリンクグラントが設定されるグラントである場合、ＨＡＲＱエンティティのためのＭＡＣプロトコルデータユニットを生成しない。ここで、設定されるグラント以外の上りリンクグラントはＣ−ＲＮＴＩに対応する上りリンクグラントであってもよい。
【０１９７】
第１のエンティティは、（１）このサブフレームにおける非周期的チャネル状態情報の送信がリクエストされていない、且つ、（２）ＭＡＣプロトコルデータユニットがＭＡＣサービスデータユニットを含まない、且つ、（３）ＭＡＣプロトコルデータユニットが第２のＭＡＣコントロールエレメントを含み、且つ、（４）パラメータskipUplinkTxDynamicが設定されており、且つ、（５）ＨＡＲＱエンティティによって示される上りリンクグ
ラントが設定されるグラント以外の上りリンクグラントである場合、ＨＡＲＱエンティティのためのＭＡＣプロトコルデータユニットを生成しない。すなわち、第１のエンティティは、（１）このサブフレームにおける非周期的チャネル状態情報の送信がリクエストされていない、且つ、（２）ＭＡＣプロトコルデータユニットが送信のために利用できるデータを含まない、且つ、（３）パラメータskipUplinkTxDynamicが設定されており、且つ
、（４）ＨＡＲＱエンティティによって示される上りリンクグラントが設定されるグラント以外の上りリンクグラントである場合、ＨＡＲＱエンティティのためのＭＡＣプロトコルデータユニットを生成しない。ここで、設定されるグラント以外の上りリンクグラントはＣ−ＲＮＴＩに対応する上りリンクグラントであってもよい。
【０１９８】
すなわち、上りリンク送信をスキップすることは、ＭＡＣプロトコルデータユニットを生成しないこと、または、ＨＡＲＱプロセスに初期送信のトリガを指示しないことである。
【０１９９】
“このサブフレームにおける非周期的チャネル状態情報の送信がリクエストされていない、且つ、ＭＡＣプロトコルデータユニットがＭＡＣサービスデータユニットを含んでいない、且つ、ＭＡＣプロトコルデータユニットが第２のＭＡＣコントロールエレメントを含んでいること”は、“ＭＡＣプロトコルデータユニットが送信可能なデータを含まないこと”を意味してもよい。
【０２００】
“ＭＡＣプロトコルデータユニットがＭＡＣサービスデータユニットを含んでいない、且つ、ＭＡＣプロトコルデータユニットが第２のＭＡＣコントロールエレメントを含んでいること”は、“ＭＡＣプロトコルデータユニットがＭＡＣサービスデータユニットおよび第１のＭＡＣコントロールエレメントを含んでいないこと”を意味してもよい。
【０２０１】
セミパーシステントスケジューリングのリリースが指示されており、パラメータskipUplinkTxSPSが設定されていない場合、端末装置１は設定されるグラントをクリアする。
【０２０２】
セミパーシステントスケジューリングのリリースが指示されており、パラメータskipUplinkTxSPSが設定されている場合、端末装置１はＳＰＳ確認をトリガしてもよい。セミパ
ーシステントスケジューリングの活性化が指示されており、パラメータskipUplinkTxSPS
が設定されている場合、端末装置１はＳＰＳ確認をトリガしてもよい。
【０２０３】
プライマリーセルに対するセミパーシステントスケジューリングのリリースが指示されており、プライマリーセルに対するパラメータskipUplinkTxSPSが設定されている場合、
端末装置１はプライマリーセルに対するＳＰＳ確認をトリガしてもよい。プライマリーセ
ルに対するセミパーシステントスケジューリングの活性化が指示されており、プライマリーセルに対するパラメータskipUplinkTxSPSが設定されている場合、端末装置１はプライ
マリーセルに対するＳＰＳ確認をトリガしてもよい。
【０２０４】
ＬＡＡセカンダリーセルに対するセミパーシステントスケジューリングのリリースが指示されており、ＬＡＡセカンダリーセルに対するパラメータskipUplinkTxLaaSPSが設定されている場合、端末装置１はＬＡＡセカンダリーセルに対するＳＰＳ確認をトリガしてもよい。ＬＡＡセカンダリーセルに対するセミパーシステントスケジューリングの活性化が指示されており、ＬＡＡセカンダリーセルに対するパラメータskipUplinkTxLaaSPSが設定されている場合、端末装置１はＬＡＡセカンダリーセルに対するＳＰＳ確認をトリガしてもよい。
【０２０５】
プライマリーセルに対するＳＰＳ確認がトリガされており、そして、キャンセルされておらず、且つ、端末装置１がこのサブフレームにおいて初期送信のために割り当てられる上りリンクリソースを持っている場合、端末装置１は第１のエンティティにプライマリーセルに対するＳＰＳ確認ＭＡＣコントロールエレメントを生成するよう指示をし、且つ、プライマリーセルに対してトリガされているＳＰＳ確認をキャンセルする。ここで、上りリンクリソースは、ＰＵＳＣＨのリソースである。すなわち、プライマリーセルに対するＳＰＳ確認ＭＡＣコントロールエレメントは、プライマリーセルに対するセミパーシステントスケジュールの活性化のためのＤＣＩに対する応答である。すなわち、プライマリーセルに対するＳＰＳ確認ＭＡＣコントロールエレメントは、プライマリーセルに対するセミパーシステントスケジュールのリリースのためのＤＣＩに対する応答である。
【０２０６】
ＬＡＡセカンダリーセルに対するＳＰＳ確認がトリガされており、そして、キャンセルされておらず、且つ、端末装置１がこのサブフレームにおいて初期送信のために割り当てられる上りリンクリソースを持っている場合、端末装置１は第１のエンティティにＬＡＡセカンダリーセルに対するＳＰＳ確認ＭＡＣコントロールエレメントを生成するよう指示をし、且つ、ＬＡＡセカンダリーセルに対してトリガされているＳＰＳ確認をキャンセルする。ここで、上りリンクリソースは、ＰＵＳＣＨのリソースである。すなわち、ＬＡＡセカンダリーセルに対するＳＰＳ確認ＭＡＣコントロールエレメントは、ＬＡＡセカンダリーセルに対するセミパーシステントスケジュールの活性化のためのＤＣＩに対する応答である。すなわち、ＬＡＡセカンダリーセルに対するＳＰＳ確認ＭＡＣコントロールエレメントは、ＬＡＡセカンダリーセルに対するセミパーシステントスケジュールのリリースのためのＤＣＩに対する応答である。
【０２０７】
プライマリーセルに対応するＳＰＳ確認ＭＡＣコントロールエレメントとＬＡＡセカンダリーセルに対応するＳＰＳ確認ＭＡＣコントロールエレメントは、個別に定義されてもよい。ＭＡＣコントロールエレメントに対応するＭＡＣサブヘッダは当該ＭＡＣコントロールエレメントに対応するＬＣＩＤ（logical channel identity）を含むＬＣＩＤフィールドを含む。プライマリーセルに対応するＳＰＳ確認ＭＡＣコントロールエレメントとＬＡＡセカンダリーセルに対応するＳＰＳ確認ＭＡＣコントロールエレメントは、異なるＬＣＩＤに対応していてもよい。
【０２０８】
プライマリーセルに対応するＳＰＳ確認ＭＡＣコントロールエレメントはＭＡＣサブヘッダによって特定されてもよい。プライマリーセルに対応するＳＰＳ確認ＭＡＣコントロールエレメントは０ビットであってもよい。
【０２０９】
ＬＡＡセカンダリーセルに対応するＳＰＳ確認ＭＡＣコントロールエレメントは０ビットより多くてもよい。図１３は、本実施形態におけるＬＡＡセカンダリーセルに対応するＳＰＳ確認ＭＡＣコントロールエレメントの一例を示す図である。図１３において、ＬＡ
Ａセカンダリーセルに対応するＳＰＳ確認ＭＡＣコントロールエレメントは、複数のＣｉフィールドを含む。１つのＣｉフィールドは１つのＬＡＡセカンダリーセルに対するＳＰＳ確認を指示してもよい。Ｃｉフィールドは、サービングセルインデックスServCellIndexｉに対応するＬＡＡセカンダリーセルに対するＳＰＳ確認を指示してもよい。ＬＡＡセ
カンダリーセルに対するＳＰＳ確認を指示するためにＣｉフィールドは‘１’にセットされてもよい。ＬＡＡセカンダリーセルに対するＳＰＳ確認を指示しないためにＣｉフィールドは‘０’にセットされてもよい。
【０２１０】
１つのＣｉフィールドは１つのＬＡＡセカンダリーセルにおいてセミパーシステントなＰＵＳＣＨのリソースが活性化または非活性化されていること示してもよい。Ｃｉフィールドは、サービングセルインデックスServCellIndexｉに対応するＬＡＡセカンダリーセ
ルにおけるセミパーシステントなＰＵＳＣＨのリソースが活性化または非活性化されていることを示してもよい。ＬＡＡセカンダリーセルにおけるセミパーシステントなＰＵＳＣＨのリソースが活性化されていることを指示するためにＣｉフィールドは‘１’にセットされてもよい。ＬＡＡセカンダリーセルにおけるセミパーシステントなＰＵＳＣＨのリソースが非活性化されていることを指示するためにＣｉフィールドは‘０’にセットされてもよい。
【０２１１】
端末装置１は、プライマリーセルにおけるセミパーシステントスケジュールのリリースによってトリガされたプライマリーセルに対するＳＰＳ確認ＭＡＣコントロールエレメントの最初の送信の後、プライマリーセルに対して設定されるグラントをクリアする。端末装置１は、ＬＡＡセカンダリーセルにおけるセミパーシステントスケジュールのリリースによってトリガされたＬＡＡセカンダリーセルに対するＳＰＳ確認ＭＡＣコントロールエレメントの最初の送信の後、当該ＬＡＡセカンダリーセルに対して設定されるグラントをクリアしてもよい。
【０２１２】
プライマリーセルに対するＳＰＳ確認ＭＡＣコントロールエレメントを、第１のＳＰＳ確認ＭＡＣコントロールエレメントとも称する。ＬＡＡセカンダリーセルに対するＳＰＳ確認ＭＡＣコントロールエレメントを、第２のＳＰＳ確認ＭＡＣコントロールエレメントとも称する。
【０２１３】
第２のＳＰＳ確認ＭＡＣコントロールエレメントに含まれるＣ０フィールドは、プライマリーセルにおけるセミパーシステントなＰＵＳＣＨのリソースが活性化または非活性化されていることを示してもよい。第２のＳＰＳ確認ＭＡＣコントロールエレメントに含まれるＣ０フィールドは、プライマリーセルに対するＳＰＳ確認を示してもよいを示してもよい。
【０２１４】
プライマリーセルに対するＳＰＳ確認がトリガされており、そして、キャンセルされておらず、且つ、端末装置１がこのサブフレームにおいて初期送信のために割り当てられる上りリンクリソースを持っており、ＬＡＡセカンダリーセルに対するパラメータskipUplinkTxLaaSPSが設定されていない場合、端末装置１は第１のエンティティに第１のＳＰＳ確認ＭＡＣコントロールエレメントを生成するよう指示をし、且つ、プライマリーセルに対してトリガされているＳＰＳ確認をキャンセルしてもよい。
【０２１５】
プライマリーセルに対するＳＰＳ確認がトリガされており、そして、キャンセルされておらず、且つ、端末装置１がこのサブフレームにおいて初期送信のために割り当てられる上りリンクリソースを持っており、ＬＡＡセカンダリーセルに対するパラメータskipUplinkTxLaaSPSが設定されている場合、端末装置１は第１のエンティティに第２のＳＰＳ確認ＭＡＣコントロールエレメントを生成するよう指示をし、且つ、プライマリーセルおよびＬＡＡセカンダリーセルに対してトリガされているＳＰＳ確認をキャンセルしてもよい。
【０２１６】
この場合、第１のＳＰＳ確認ＭＡＣコントロールエレメントと第２のＳＰＳ確認ＭＡＣコントロールエレメントは、同じ第１のＬＣＩＤに対応していてもよい。すなわち、第１のＬＣＩＤに対応するＳＰＳ確認ＭＡＣコントロールエレメントのサイズは、ＬＡＡセカンダリーセルに対するパラメータskipUplinkTxLaaSPSが設定されているかどうかに基づいて与えられてもよい。ＬＡＡセカンダリーセルに対するパラメータskipUplinkTxLaaSPSが設定されていない場合、第１のＬＣＩＤに対応するＳＰＳ確認ＭＡＣコントロールエレメントのサイズは０ビットでもよい。ＬＡＡセカンダリーセルに対するパラメータskipUplinkTxLaaSPSが設定されている場合、第１のＬＣＩＤに対応するＳＰＳ確認ＭＡＣコントロールエレメントのサイズは０ビットより多くてもよい。
【０２１７】
図１４は、本実施形態におけるサービングセルに対応する第２のＳＰＳ確認ＭＡＣコントロールエレメントの別の例を示す図である。図１４において、サービングセルに対応する第２のＳＰＳ確認ＭＡＣコントロールエレメントは、サービングセルに対応する複数のＳＰＳ確認を含む。１つのＳＰＳ確認は１つのサービングセルに対応する。１つのＳＰＳ確認は複数のＤｉフィールドを含む。１つのＤｉフィールドは１つのサービングセルにおける１つのＳＰＳインデックスに関連するセミパーシステントなＰＵＳＣＨのリソースに対するＳＰＳ確認を示してもよい。ＤｉフィールドはサービングセルにおけるＳＰＳインデックスSPSIdｉに関連するセミパーシステントなＰＵＳＣＨのリソースが活性化または
非活性化されていること示してもよい。
【０２１８】
サービングセルにおけるＳＰＳインデックスSPSIdｉに関連するセミパーシステントな
ＰＵＳＣＨのリソースが活性化されていることを示すためにＤｉフィールドは‘１’にセットされてもよい。サービングセルにおけるＳＰＳインデックスSPSIdｉに関連するセミ
パーシステントなＰＵＳＣＨのリソースが非活性化されていることを示すためにＤｉフィールドは‘０’にセットされてもよい。
【０２１９】
上述したとおり、端末装置１は、数（１）に基づいて特定されるサブフレームにおいてＰＵＳＣＨでの送信（ＵＬ−ＳＣＨでの送信）を半永続的（半持続的、周期的）に実行してもよい。パラメータskipUplinkTxSPSが設定されていない場合、端末装置１は、基地局
装置３によって設定されるパラメータimplicitReleaseAfter （リリースする前のエンプ
ティ送信の数（Number of empty transmissions before release）を指示するためのパラメータ）に基づいて、設定されるグラント（the configured grant）をクリア（clear）
してもよい。
【０２２０】
例えば、端末装置１は、パラメータskipUplinkTxSPSが設定されておらず、且つ、連続
する、セミパーシステントなＰＵＳＣＨにおける、初期送信に対応するエンプティ送信の数が、パラメータimplicitReleaseAfter を用いて示された値（送信の数）に達した場合
には、設定されるグラントをクリアしてもよい。
【０２２１】
すなわち、パラメータskipUplinkTxSPSが設定されていない場合、端末装置１は、それ
ぞれにＭＡＣサービスデータユニットが含まれない（すなわち、ゼロのＭＡＣサービスデータユニットが含まれる）ＭＡＣプロトコルデータユニットであって、連続する、新しいＭＡＣプロトコルデータユニットの数に対応するパラメータimplicitReleaseAfter の後
に、すぐに、設定されるグラントをクリアしてもよい（may clear the configured grant
immediately after the third parameter number of consecutive new MAC PDUs each containing zero MAC SDUs）。ここで、該連続する、初期送信に対応するエンプティ送信
の数は、セミパーシステントスケジューリングのリソースでのエンプティ送信の数を含む。ここで、該連続する、初期送信に対応するエンプティ送信の数は、動的にスケジュールされたＰＵＳＣＨのリソースでのエンプティ送信の数を含まない。
【０２２２】
ここで、パラメータskipUplinkTxSPSが設定されていない場合、端末装置１は、パラメ
ータimplicitReleaseAfter に基づいて、基地局装置３によって割り当てられた上りリン
クのリソース（セミパーシステントスケジューリングのリソース、ＰＵＳＣＨのリソース）をリリース（クリア）してもよい。すなわち、パラメータskipUplinkTxSPSが設定され
ていない場合、端末装置１は、設定されるグラントをクリアするのと同様に、パラメータimplicitReleaseAfter に基づいて、基地局装置３によって割り当てられた上りリンクの
リソースをリリースしてもよい。ここで、パラメータskipUplinkTxSPSが設定されていな
い場合、端末装置１は、上述したセミパーシステントスケジューリングのリリースを指示するために用いられるＤＣＩを受信した場合に、設定されるグラントをクリア、および／または、上りリンクのリソースをリリースしてもよい。
【０２２３】
図１５は、本実施形態における設定されるグラントのクリアの方法を説明するための図である。
【０２２４】
図１５に示すように、端末装置１は、セミパーシステントスケジューリングの活性化および／または再活性化を指示するために用いられるＤＣＩを受信してもよい。また、端末装置１は、セミパーシステントスケジューリングのリソースでのノンエンプティ送信を実行してもよい。すなわち、上述した、数（１）に従って、設定される上りリンクグラントに基づくノンエンプティ送信を実行してもよい。また、端末装置１は、セミパーシステントスケジューリングのリソースでのエンプティ送信を実行してもよい。すなわち、送信に対して利用できるデータを持たない場合において、端末装置１は、セミパーシステントスケジューリングのリソースでのエンプティ送信を実行してもよい。
【０２２５】
ここで、セミパーシステントスケジューリングのリソースでの連続するエンプティ送信の数が、パラメータimplicitReleaseAfter を用いて設定された値（送信の数）に達した
場合には、端末装置１は、設定されるグラントをクリアしてもよい。また、セミパーシステントスケジューリングのリソースでの連続するエンプティ送信の数が、パラメータimplicitReleaseAfter を用いて設定された値（送信の数）に達した場合には、端末装置１は
、上りリンクのリソース（セミパーシステントスケジューリングのリソース）をリリースしてもよい。すなわち、端末装置１は、パラメータimplicitReleaseAfter に基づいて、
設定されるグラントをクリア、および／または、上りリンクのリソースをリリースしてもよい。
【０２２６】
端末装置１は、ＨＡＲＱパラメータが変更される場合、設定されるグラントをクリアしてもよい。例えば、端末装置１は、ＨＡＲＱパラメータが予め（previously）リリースされている、且つ、ＨＡＲＱパラメータの設定を指示する情報を受信した場合、設定されるグラントをクリアしてもよい。例えば、端末装置１は、ＨＡＲＱパラメータが予め（previously）設定されていない、且つ、ＨＡＲＱパラメータの設定を指示する情報を受信した場合、設定されるグラントをクリアしてもよい。例えば、端末装置１は、ＨＡＲＱパラメータが予め（previously）設定されている、且つ、ＨＡＲＱパラメータのリリースを指示する情報を受信した場合、設定されるグラントをクリアしてもよい。
【０２２７】
ＨＡＲＱパラメータが変更される場合、端末装置１のＲＲＣはＭＡＣエンティティに部分的なリセット（partial reset）を指示してもよい。例えば、ＨＡＲＱパラメータが予
め（previously）リリースまたは設定されていない、且つ、ＨＡＲＱパラメータの設定を指示する情報を受信した場合、端末装置１のＲＲＣはＭＡＣエンティティに部分的なリセット（partial reset）を指示してもよい。例えば、ＨＡＲＱパラメータが予め（previously）設定されている、且つ、ＨＡＲＱパラメータのリリースを指示する情報を受信した
場合、端末装置１のＲＲＣはＭＡＣエンティティに部分的なリセット（partial reset）
を指示してもよい。ＭＡＣエンティティは、サービングセルに対するＭＡＣエンティティの部分的なリセットを上位層（ＲＲＣ）によって要求された場合、該サービングセルに対して設定されるグラントをクリアする。
【０２２８】
以下、ＨＡＲＱエンティティがサブフレームに関連するＨＡＲＱプロセスを特定する方法について説明する。ＨＡＲＱエンティティは、特定されたＨＡＲＱプロセスに上りリンクグラントを渡す。
【０２２９】
同期ＨＡＲＱにおいて、ＨＡＲＱエンティティは、基地局装置３から受信した情報を用いずにサブフレームに関連するＨＡＲＱプロセスを特定する。同期ＨＡＲＱにおいて、上りリンクグラントが関連するサブフレームに基づいて、ＨＡＲＱプロセスが特定されてもよい。例えば、ＦＤＤサービングセルにおいて、複数のサブフレーム｛ｎ＋８・ｉ｝は同じＨＡＲＱプロセスに関連する。ここで、ｎとｉは整数である。ここで、複数のサブフレーム｛ｎ＋８・ｉ｝は、サブフレームｎ、サブフレームｎ＋８、サブフレームｎ＋１６などを含む。
【０２３０】
非同期ＨＡＲＱにおいて、ＰＤＣＣＨに含まれる上りリンクグラントを用いてＨＡＲＱプロセス番号が特定されてもよい。ここで、ＰＤＣＣＨに含まれる上りリンクグラントはＨＡＲＱプロセス番号に関する情報を含んでもよい。非同期ＨＡＲＱにおいて、上りリンクグラントがＨＡＲＱプロセス番号に関する情報を含まない場合、ＨＡＲＱプロセス番号は固定（例えば、０）であってもよい。
【０２３１】
非同期ＨＡＲＱにおいて、設定されるグラントに対して、設定されるグラントが発生するサブフレームに関連するＨＡＲＱプロセスの番号は、ＰＵＳＣＨでの送信が行われるＳＦＮおよびサブフレームに少なくとも基づいて特定されてもよい。非同期ＨＡＲＱにおいて、設定されるグラントに対して、設定されるグラントが発生するサブフレームに関連するＨＡＲＱプロセスの番号は、以下の数式（２）に基づいて与えられてもよい。
【０２３２】
【数２】
2020107920.tif 000004
【０２３３】
ここで、数（２）において、ＳＦＮおよびｓｕｂｆｒａｍｅは、それぞれ、ＰＵＳＣＨでの送信が行われるＳＦＮおよびサブフレームを示している。semiPersistSchedIntervalULは、上述したパラメータである。基地局装置３は、端末装置１へパラメータnumberOfConfUlSPS-Processesを送信してもよい。例えば、基地局装置３は、上位層の信号（例えば
、ＲＲＣ層の信号）を用いて、パラメータnumberOfConfUlSPS-Processesを送信してもよ
い。パラメータnumberOfConfUlSPS-Processesは、上りリンクのセミパーシステントスケ
ジューリングのために設定されるＨＡＲＱプロセスの数を示す。
【０２３４】
以下、適応（adaptive）ＨＡＲＱ再送信、および、非適応（non-adaptive）ＨＡＲＱ再送信について説明する。適応ＨＡＲＱ再送信を適応再送信とも称する。非適応ＨＡＲＱ再送信を非適応再送信とも称する。
【０２３５】
適応再送信は、基地局装置３から受信したＰＤＣＣＨ（上りリンクグラント）に基づいて行われる再送信である。非適応再送信は、ＨＡＲＱプロセスによって事前に用いられた上りリンクグラントに基づいて行われる再送信である。
【０２３６】
同期ＨＡＲＱに対して、初期送信の後に、再送信を指示する上りリンクグラントを含むＰＤＣＣＨが受信された場合、ＰＨＩＣＨを用いて受信されたＨＡＲＱフィードバックに係わらず、端末装置１は適応再送信を行ってもよい。
【０２３７】
同期ＨＡＲＱに対して、初期送信の後に、上りリンクグラントを含むＰＤＣＣＨが受信されず、且つ、ＰＨＩＣＨを用いて受信されたＨＡＲＱフィードバックがＮＡＣＫを示す場合、端末装置１は非適応再送信を行ってもよい。ここで、該初期送信は設定される上りリンクグラントに基づく初期送信であってもよい。
【０２３８】
同期ＨＡＲＱに対して、初期送信の後に、上りリンクグラントを含むＰＤＣＣＨが受信されず、且つ、ＰＨＩＣＨを用いて受信されたＨＡＲＱフィードバックがＡＣＫを示す場合、端末装置１はＨＡＲＱ送信（初期送信、再送信）を行わず、且つ、ＨＡＲＱバッファの内容（データ）を保持する。
【０２３９】
ＨＡＲＱエンティティは、同期ＨＡＲＱに対して、以下の要素Ａから要素Ｄの一部、または、全部に少なくとも基づいて、特定されるＨＡＲＱプロセスに非適応再送の生成を指示するかどうかを決定してもよい。
・要素Ａ：上りリンクグラントが設定されるグラントであるかどうか
・要素Ｂ：ＭＡＣエンティティに対して１０サブフレームよりも短いパラメータsemiPersistSchedIntervalULが設定されているかどうか
・要素Ｃ：特定されるＨＡＲＱプロセスのＨＡＲＱバッファが空（empty）であるかどう
か
・要素Ｄ：特定されるＨＡＲＱプロセスの状態変数ＨＡＲＱ＿ＦＥＥＤＢＡＣＫがＮＡＣＫであるかどうか
例えば、同期ＨＡＲＱに対して、以下の条件Ａから条件Ｄを満たす場合、ＨＡＲＱエンティティは特定されるＨＡＲＱプロセスに非適応再送の生成を指示してもよい。
・条件Ａ：上りリンクグラントが設定されるグラントである
・条件Ｂ：ＭＡＣエンティティに対して１０サブフレームよりも短いパラメータsemiPersistSchedIntervalULが設定されている
・条件Ｃ：特定されるＨＡＲＱプロセスのＨＡＲＱバッファが空（empty）ではない
・条件Ｄ：特定されるＨＡＲＱプロセスの状態変数ＨＡＲＱ＿ＦＥＥＤＢＡＣＫがＮＡＣＫである
上りリンクグラントが設定されるグラントであることは、セミパーシステントスケジューリングであること、または、上りリンクグラントがＳＰＳ  Ｃ−ＲＮＴＩに対応することに置き換えられてもよい。上りリンクグラントが設定されるグラントではないことは、上りリンクグラントがＰＤＣＣＨに含まれる上りリンクグラントであること、または、上りリンクグラントがＣ−ＲＮＴＩに対応することに置き換えられてもよい。
【０２４０】
上りリンクグラントが設定されるグラントである場合、端末装置１はＨＡＲＱプロセスに対応するＮＤＩビットがトグルされているとみなす。すなわち、上りリンクグラントが設定されるグラントであるという条件は、ＨＡＲＱプロセスに対応するＮＤＩビットがトグルされているという条件を含んでもよい。
【０２４１】
ＨＡＲＱエンティティがＨＡＲＱプロセスに初期送信または適応再送信を要求した場合、ＨＡＲＱプロセスは状態変数ＨＡＲＱ＿ＦＥＥＤＢＡＣＫをＮＡＣＫにセットする。トランスポートブロックに対するＨＡＲＱフィードバックが受信された場合、ＨＡＲＱプロセスは状態変数ＨＡＲＱ＿ＦＥＥＤＢＡＣＫを受信した値（ＡＣＫ、ＮＡＣＫ）にセットする。
【０２４２】
１０サブフレームよりも短いパラメータsemiPersistSchedIntervalULが設定される場合、パラメータskipUplinkTxSPSが必ず設定されてもよい。すなわち、１０サブフレームよ
りも短いパラメータsemiPersistSchedIntervalULが設定される場合は、１０サブフレームよりも短いパラメータsemiPersistSchedIntervalULとパラメータskipUplinkTxSPSとが設
定されている場合であってもよい。
【０２４３】
同期ＨＡＲＱに対して、条件Ａが満たされ、且つ、条件Ｂから条件Ｄの何れかが満たされない場合、ＨＡＲＱエンティティは特定されるＨＡＲＱプロセスに初期送信のトリガを指示してもよい。
【０２４４】
同期ＨＡＲＱに対して、条件Ａを満たす場合に、条件Ｂから条件Ｄを満たすかどうかに基づいて、ＨＡＲＱエンティティは特定されるＨＡＲＱプロセスに初期送信または非適応再送信を指示してもよい。
【０２４５】
ＨＡＲＱエンティティは、非同期ＨＡＲＱに対して、以下の要素Ａから要素Ｅの一部、または、全部に少なくとも基づいて、特定されるＨＡＲＱプロセスに非適応再送の生成を指示するかどうかを決定してもよい。
・要素Ａ：上りリンクグラントが設定されるグラントであるかどうか
・要素Ｂ：ＭＡＣエンティティに対して１０サブフレームよりも短いパラメータsemiPersistSchedIntervalULが設定されているかどうか
・要素Ｃ：特定されるＨＡＲＱプロセスのＨＡＲＱバッファが空（empty）であるかどう
か
・要素Ｄ：特定されるＨＡＲＱプロセスの状態変数ＨＡＲＱ＿ＦＥＥＤＢＡＣＫがＮＡＣＫであるかどうか
・要素Ｅ：ＭＡＣエンティティに対してパラメータskipUplinkTxSPSが設定されているか
どうか
例えば、非同期ＨＡＲＱに対して、以下の条件Ａと条件Ｅを満たす場合、ＨＡＲＱエンティティは特定されるＨＡＲＱプロセスに非適応再送の生成を指示してもよい。
・条件Ａ：上りリンクグラントが設定されるグラントである
・条件Ｅ：ＭＡＣエンティティに対してパラメータskipUplinkTxSPSが設定されている
条件Ｅにおいて、パラメータsemiPersistSchedIntervalULの長さは１０サブフレームより長くてもよいし、短くてもよい。すなわち、条件ＥにおいてパラメータsemiPersistSchedIntervalULの長さ関係なくてもよい。
【０２４６】
非同期ＨＡＲＱに対して、条件Ａが満たされ、且つ、条件Ｅが満たされない場合、ＨＡＲＱエンティティは特定されるＨＡＲＱプロセスに初期送信のトリガを指示してもよい。
【０２４７】
非同期ＨＡＲＱに対して、条件Ａが満たされる場合に、ＨＡＲＱエンティティは、条件Ｅを満たすかどうかに基づいて、ＨＡＲＱエンティティは特定されるＨＡＲＱプロセスに初期送信または非適応再送信を指示してもよい。
【０２４８】
上りリンク送信に対するＨＡＲＱフィードバックはＰＨＩＣＨを用いて送信される。ここで、上りリンク送信は、ＰＵＳＣＨ送信、または、トランスポートブロックの送信であってもよい。同期ＨＡＲＱに対して、上りリンク送信に対するＨＡＲＱフィードバックはＰＨＩＣＨを用いて送信されてもよい。非同期ＨＡＲＱに対して、上りリンク送信に対するＨＡＲＱフィードバックは送信されなくてもよい。
【０２４９】
ＨＡＲＱエンティティは、非同期ＨＡＲＱに対して、以下の要素Ａから要素Ｅの一部、または、全部に少なくとも基づいて、上りリンク送信に対するＨＡＲＱフィードバックは送信されるかどうかが決定されてもよい。ここで、上りリンク送信に対するＨＡＲＱフィ
ードバックは送信されるかどうかは、上りリンク送信に対するＨＡＲＱフィードバックを受信するかどうかであってもよい。
・要素Ａ：上りリンクグラントが設定されるグラントであるかどうか
・要素Ｂ：ＭＡＣエンティティに対して１０サブフレームよりも短いパラメータsemiPersistSchedIntervalULが設定されているかどうか
・要素Ｃ：特定されるＨＡＲＱプロセスのＨＡＲＱバッファが空（empty）であるかどう
か
・要素Ｄ：特定されるＨＡＲＱプロセスの状態変数ＨＡＲＱ＿ＦＥＥＤＢＡＣＫがＮＡＣＫであるかどうか
・要素Ｅ：ＭＡＣエンティティに対してパラメータskipUplinkTxSPSが設定されているか
どうか
例えば、非同期ＨＡＲＱに対して、以下の条件Ａと条件Ｅを満たす場合、上りリンク送信に対するＨＡＲＱフィードバックは送信されてもよい。
・条件Ａ：上りリンクグラントが設定されるグラントである
・条件Ｅ：ＭＡＣエンティティに対してパラメータskipUplinkTxSPSが設定されている
非同期ＨＡＲＱに対して、条件Ａが満たされ、且つ、条件Ｅが満たされない場合、上りリンク送信に対するＨＡＲＱフィードバックは送信されなくてもよい。
【０２５０】
非同期ＨＡＲＱに対して、条件Ａが満たされる場合に、ＨＡＲＱエンティティは、条件Ｅを満たすかどうかに基づいて、上りリンク送信に対するＨＡＲＱフィードバックは送信されるかどうかが決定されてもよい。
【０２５１】
上りリンクＨＡＲＱオペレーションが非同期ＨＡＲＱであり、且つ、上りリンクグラントがＣ−ＲＮＴＩに対応する場合、上りリンク送信に対するＨＡＲＱフィードバックは送信されなくてもよい。
【０２５２】
端末装置１は、サブフレームｎにおいてＮＡＣＫを受信した場合、サブフレームｎ＋ｐにおいてＰＵＳＣＨ送信（非適応再送信）を行ってもよい。端末装置１は、サブフレームｎにおいてＡＣＫを受信しなかった場合、サブフレームｎ＋ｐにおいてＰＵＳＣＨ送信（非適応再送信）を行ってもよい。
【０２５３】
ＨＡＲＱエンティティがＨＡＲＱプロセスに非適応再送信を指示し、且つ、上りリンクＨＡＲＱオペレーションが同期ＨＡＲＱであり、且つ、状態変数ＨＡＲＱ＿ＦＥＥＤＢＡＣＫがＡＣＫに設定されている場合、ＨＡＲＱプロセスは送信（非適応再送信）を生成しなくてもよい。
【０２５４】
ＨＡＲＱエンティティがＨＡＲＱプロセスに非適応再送信を指示し、且つ、上りリンクＨＡＲＱオペレーションが同期ＨＡＲＱであり、且つ、状態変数ＨＡＲＱ＿ＦＥＥＤＢＡＣＫがＮＡＣＫに設定されている場合、ＨＡＲＱプロセスは送信（非適応再送信）を生成してもよい。
【０２５５】
ＨＡＲＱエンティティがＨＡＲＱプロセスに非適応再送信を指示し、且つ、上りリンクＨＡＲＱオペレーションが非同期ＨＡＲＱであり、且つ、状態変数ＨＡＲＱ＿ＦＥＥＤＢＡＣＫがＡＣＫに設定されている場合、ＨＡＲＱプロセスは送信を生成（非適応再送信）しなくてもよい。
【０２５６】
ＨＡＲＱエンティティがＨＡＲＱプロセスに非適応再送信を指示し、且つ、上りリンクＨＡＲＱオペレーションが非同期ＨＡＲＱであり、且つ、状態変数ＨＡＲＱ＿ＦＥＥＤＢＡＣＫがＮＡＣＫに設定されている場合、ＨＡＲＱプロセスは送信（非適応再送信）を生成してもよい。
【０２５７】
上りリンクＨＡＲＱオペレーションが非同期ＨＡＲＱであり、且つ、上りリンクグラントがＣ−ＲＮＴＩに対応する場合、非適応再送信は行われなくてもよい。
【０２５８】
基地局装置３は、上りリンクに対するＤＣＩフォーマット（例えば、ＤＣＩフォーマット０、ＤＣＩフォーマット０Ｄ）を用いて、セミパーシステントなＰＵＳＣＨで初期送信されたトランスポートブロックの非適応送信を非活性化することを端末装置１に対して指示してもよい。
【０２５９】
例えば、端末装置１は、ＤＣＩフォーマットに付加されたＣＲＣパリティビットがＳＰＳ  Ｃ−ＲＮＴＩによってスクランブルされており、且つ、該ＤＣＩフォーマットに含まれるＮＤＩ（New data indicator）に関する情報のフィールドが‘０’にセットされている場合には、該ＤＣＩフォーマットに含まれる複数の情報のフィールドが特定の値にセットされているかを検証（確認、チェック）してもよい。すなわち、ＳＰＳ  Ｃ−ＲＮＴＩによってスクランブルされたＤＣＩフォーマットに付加されたＣＲＣパリティビット、および、ＮＤＩに関する情報のフィールドが、セミパーシステントスケジューリングに対するバリデーション（validation）のために用いられてもよい。
【０２６０】
ここで、もし検証に成功した場合は、端末装置１は、受信したＤＣＩフォーマットが、セミパーシステントなＰＵＳＣＨで初期送信されたトランスポートブロックの非適応送信の非活性化の有効（valid）な指示しているとみなしてもよい（認識してもよい）。また
、もし検証に成功しなかった場合は、端末装置１は、このＤＣＩフォーマットを破棄（クリア）してもよい。
【０２６１】
すなわち、ＤＣＩフォーマットは、セミパーシステントなＰＵＳＣＨで初期送信されたトランスポートブロックの非適応送信の非活性化を指示するために用いられてもよい。
【０２６２】
図１６は、本実施形態におけるセミパーシステントなＰＵＳＣＨで初期送信されたトランスポートブロックの非適応送信の非活性化のためのスペシャルフィールドの例を示す図である。図１６に示すように、セミパーシステントなＰＵＳＣＨで初期送信されたトランスポートブロックの非適応送信の非活性化のために、複数のフィールドが規定されてもよい。また、セミパーシステントなＰＵＳＣＨで初期送信されたトランスポートブロックの非適応送信の非活性化のために、複数のフィールドのそれぞれにセットされる所定の値（特定の値でもよい）が規定されてもよい。
【０２６３】
図１６に示すように、例えば、上りリンクに対するＤＣＩフォーマット（例えば、ＤＣＩフォーマット０、ＤＣＩフォーマット０Ｄ）がセミパーシステントなＰＵＳＣＨで初期送信されたトランスポートブロックの非適応送信の非活性化に用いられる場合には、上りリンクに対するＤＣＩフォーマットに含まれる、スケジュールされたＰＵＳＣＨに対するＴＰＣコマンドに関する情報（TPC command for scheduled PUSCH）のフィールドが‘１
１’にセットされ、ＤＭＲＳに対するサイクリックシフトに関する情報（Cyclic shift DMRS）のフィールドが‘１１１’にセットされ、ＭＣＳおよびリダンダンシーバージョン
に関する情報（Modulation and coding scheme and redundancy version）のフィールド
が‘１１１１１’にセットされ、リソースブロック割り当ておよびホッピングリソース割り当てに関する情報（Resource block assignment and hopping resource allocation）
のフィールドが全て‘１’にセットされてもよい。
【０２６４】
セミパーシステントなＰＵＳＣＨで初期送信されたトランスポートブロックの非適応送信の非活性化に用いられる１つのＤＣＩフォーマットは、１つのＨＡＲＱプロセスに対応してもよい。
【０２６５】
ＨＡＲＱプロセス番号に関する情報を含むＤＣＩフォーマット０Ｄの場合、セミパーシステントなＰＵＳＣＨで初期送信されたトランスポートブロックの非適応送信の非活性化に用いられるＤＣＩフォーマット０Ｄが対応するＨＡＲＱプロセスは、該ＨＡＲＱプロセス番号に関する情報に基づいて与えられてもよい。
【０２６６】
ＨＡＲＱプロセス番号に関する情報を含まないＤＣＩフォーマット０の場合、セミパーシステントなＰＵＳＣＨで初期送信されたトランスポートブロックの非適応送信の非活性化に用いられるＤＣＩフォーマット０が対応するＨＡＲＱプロセスは、該ＤＣＩフォーマット０が受信されたサブフレームに少なくとも基づいて与えられてもよい。
【０２６７】
端末装置１は、セミパーシステントなＰＵＳＣＨで初期送信されたトランスポートブロックの非適応送信の非活性化の検証に成功した場合、ＭＡＣエンティティにＡＣＫを渡してもよい、且つ、ＭＡＣエンティティは特定されるＨＡＲＱプロセスの状態変数ＨＡＲＱ＿ＦＥＥＤＢＡＣＫにＡＣＫをセットしてもよい。すなわち、セミパーシステントなＰＵＳＣＨで初期送信されたトランスポートブロックの非適応送信の非活性化の指示は、セミパーシステントなＰＵＳＣＨで初期送信されたトランスポートブロックに対する応答であってもよい。
【０２６８】
端末装置１（ＨＡＲＱプロセス）は、セミパーシステントなＰＵＳＣＨで初期送信されたトランスポートブロックに対する応答を検出するまで、該トランスポートブロックの非適応再送信を行ってもよい。ここで、応答は、セミパーシステントなＰＵＳＣＨで初期送信されたトランスポートブロックに対する応答を示すＤＣＩフォーマット、または、ＡＣＫを示すＨＡＲＱフィードバックであってもよい。
【０２６９】
端末装置１（ＨＡＲＱプロセス）は、セミパーシステントなＰＵＳＣＨで初期送信されたトランスポートブロックに対する応答を検出した後に、設定されるグラントに基づいて初期送信を行ってもよい。
【０２７０】
ＨＡＲＱバッファのフラッシュに関する動作を記載する。同期ＨＡＲＱに対して送信の最大数（maximum number of transmissions）が設定されてもよい。送信の最大数は、再
送信の最大数であってもよい。パラメータmaxHARQ-Txは送信の最大数を示す。基地局装置３は、端末装置１へパラメータmaxHARQ-Txを送信してもよい。例えば、基地局装置３は、上位層の信号（例えば、ＲＲＣ層の信号）を用いて、パラメータmaxHARQ-Txを送信してもよい。ＨＡＲＱエンティティがＨＡＲＱプロセスに初期送信を要求し、且つ、上りリンクＨＡＲＱオペレーションが同期ＨＡＲＱである場合、ＨＡＲＱプロセスは状態変数ＣＵＲＲＥＮＴ＿ＴＸ＿ＮＢを０にセットしてもよい。ＨＡＲＱエンティティがＨＡＲＱプロセスに再送信（適応再送信、非適応再送信）を要求し、且つ、上りリンクＨＡＲＱオペレーションが同期ＨＡＲＱである場合、ＨＡＲＱプロセスは状態変数ＣＵＲＲＥＮＴ＿ＴＸ＿ＮＢを１つインクリメントしてもよい。上りリンクＨＡＲＱオペレーションが同期ＨＡＲＱであり、且つ、状態変数ＣＵＲＲＥＮＴ＿ＴＸ＿ＮＢが所定の値である場合、ＨＡＲＱプロセスはＨＡＲＱバッファをフラッシュしてもよい。ここで、所定の値は、送信の最大数より１つ小さい値であってもよい。
【０２７１】
上りリンクＨＡＲＱオペレーションが非同期ＨＡＲＱである場合、端末装置１（ＨＡＲＱプロセス、ＨＡＲＱエンティティ）は、以下の要素Ａ２から要素Ｅの一部、または、全部に少なくとも基づいて、ＨＡＲＱバッファのフラッシュに関する動作を適用するかどうか決定してもよい。
・要素Ａ２：初期送信に関連する上りリンクグラントが設定されるグラントであるかどうか
・要素Ｂ：ＭＡＣエンティティに対して１０サブフレームよりも短いパラメータsemiPersistSchedIntervalULが設定されているかどうか
・要素Ｃ：特定されるＨＡＲＱプロセスのＨＡＲＱバッファが空（empty）であるかどう
か
・要素Ｄ：特定されるＨＡＲＱプロセスの状態変数ＨＡＲＱ＿ＦＥＥＤＢＡＣＫがＮＡＣＫであるかどうか
・要素Ｅ：ＭＡＣエンティティに対してパラメータskipUplinkTxSPSが設定されているか
どうか
例えば、上りリンクＨＡＲＱオペレーションが非同期ＨＡＲＱである場合、以下の条件Ａ２と条件Ｅを満たす場合、ＨＡＲＱエンティティは特定されるＨＡＲＱプロセスに非適応再送の生成を指示してもよい。
・条件Ａ２：初期送信に関連する上りリンクグラントが設定されるグラントである
・条件Ｅ：ＭＡＣエンティティに対してパラメータskipUplinkTxSPSが設定されている
初期送信に関連する上りリンクグラントが設定されるグラントであることは、セミパーシステントスケジューリングであることに置き換えられてもよい。
【０２７２】
上りリンクＨＡＲＱオペレーションが非同期ＨＡＲＱであり、且つ、条件Ａ２が満たされない場合、ＨＡＲＱバッファのフラッシュに関する動作は適用されなくてもよい。
【０２７３】
上りリンクＨＡＲＱオペレーションが非同期ＨＡＲＱであり、且つ、条件Ａ２が満たされ、且つ、条件Ｅが満たされない場合、ＨＡＲＱバッファのフラッシュに関する動作は適用されなくてもよい。
【０２７４】
上りリンクＨＡＲＱオペレーションが非同期ＨＡＲＱであり、且つ、条件Ａが満たされる場合に、ＨＡＲＱエンティティは、条件Ｅを満たすかどうかに基づいて、ＨＡＲＱエンティティは特定されるＨＡＲＱプロセスに初期送信または非適応再送信を指示してもよい。
【０２７５】
上りリンクＨＡＲＱオペレーションが非同期ＨＡＲＱであり、且つ、状態変数ＣＵＲＲＥＮＴ＿ＴＸ＿ＮＢが所定の値である場合、ＨＡＲＱプロセスはＨＡＲＱバッファをフラッシュしなくてもよい、且つ、非適応再送信を行わなくてもよい、且つ、ＨＡＲＱバッファの内容（データ）を保持してもよい。上りリンクＨＡＲＱオペレーションが非同期ＨＡＲＱであり、且つ、状態変数ＣＵＲＲＥＮＴ＿ＴＸ＿ＮＢが所定の値と同じ、または、それより大きい場合に、適応再送信が適用されてもよい。ここで、所定の値は、送信の最大数より１つ小さい値であってもよい。
【０２７６】
図１７は、本実施形態におけるパラメータskipUplinkTxSPS、パラメータskipUplinkTxLaaSPS、および、パラメータskipUplinkTxDynamicの取得方法の一例を示す図である。
【０２７７】
ステップＳ１７０２において、基地局装置３は、端末装置１に関する能力情報UECapabilityInformationの伝送を要求するために用いられる情報UECapabilityEnquiryを、端末装置１に送信する。
【０２７８】
ステップＳ１７０４において、端末装置１は、情報UECapabilityEnquiryに応じて、端
末装置１に関する能力情報UECapabilityInformationを、基地局装置３に送信する。
【０２７９】
ステップＳ１７０６において、基地局装置３は、受信した能力情報UECapabilityInformationに応じて、ＲＲＣコネクションを修正するための情報RRCConnectionReconfigurationを生成し、生成した情報RRCConnectionReconfigurationを端末装置１に送信する。ここ
で、該情報RRCConnectionReconfigurationは、パラメータskipUplinkTxSPS、パラメータs
kipUplinkTxLaaSPS、および、パラメータskipUplinkTxDynamicの一部、または、全部を少なくとも含んでもよい。基地局装置３は、受信した能力情報UECapabilityInformationに
応じて、該情報RRCConnectionReconfigurationに、パラメータskipUplinkTxSPS、パラメ
ータskipUplinkTxLaaSPS、および、パラメータskipUplinkTxDynamicの一部、または、全
部を含めるかどうかを決定してもよい。該情報RRCConnectionReconfigurationは、ＤＣＣＨ（Dedicated Control CHannel）を用いて送信される。ＤＣＣＨは、基地局装置３（ネ
ットワーク）と端末装置１の間の専用制御情報（dedicated control information）を送
信するポイント−ｔｏ−ポイント双方向論理チャネルである。
【０２８０】
ステップＳ１７０４において送信される能力情報UECapabilityInformationは、以下の(i)から(vi)の能力パラメータの一部、または、全部を少なくとも含んでもよい。
【０２８１】
（i） 能力パラメータSPS
（ii） 能力パラメータskipUplinkSPS
（iii） 能力パラメータskipUplinkLaaSPS
（iv） 能力パラメータskipUplinkDynamic
（v） 能力パラメータcrossCarrierSchedulingLAA-DL
（vi） 能力パラメータcrossCarrierSchedulingLAA-UL
図１８は、本実施形態における能力パラメータとサービングセルの対応を示す図である。能力パラメータSPS、および、能力パラメータskipUplinkSPSはプライマリーセルに関連する。能力パラメータskipUplinkLaaSPSは複数のＬＡＡセカンダリーセルに関連する。能力パラメータskipUplinkLaaSPS、能力パラメータcrossCarrierSchedulingLAA-DL、および、能力パラメータcrossCarrierSchedulingLAA-ULは、端末装置１に対して設定されるＬＡＡセカンダリーセルの全てに関連してもよい。能力パラメータskipUplinkDynamicは、複
数のサービングセルに関連する。能力パラメータskipUplinkDynamicは、端末装置１に対
して設定されるサービングセルの全てに関連してもよい。
【０２８２】
能力パラメータSPSは、端末装置１がプライマリーセルにおけるセミパーシステントス
ケジューリングをサポートしていることを示してもよい。すなわち、能力情報UECapabilityInformationは、端末装置１がプライマリーセルにおけるセミパーシステントスケジュ
ーリングをサポートしているかどうかを示してもよい。
【０２８３】
能力パラメータskipUplinkSPSは、端末装置１のバッファに送信のために利用できるデ
ータ（available data for transmission）がない場合にプライマリーセルに対して設定
されるグラントに対応する上りリンク送信をスキップすることを端末装置１がサポートしているかどうかを示してもよい。
【０２８４】
能力パラメータskipUplinkLaaSPSは、（ｉ）端末装置１がＬＡＡセカンダリーセルにおけるセミパーシステントスケジューリングをサポートしているかどうか、および、（ｉｉ）端末装置１のバッファに送信のために利用できるデータ（available data for transmission）がない場合にＬＡＡセカンダリーセルに対して設定されるグラントに対応する上
りリンク送信をスキップすることを端末装置１がサポートしているかどうかを示してもよい。能力パラメータskipUplinkLaaSPSは、（ｉ）端末装置１がＬＡＡセカンダリーセルにおけるセミパーシステントスケジューリングをサポートしていること、および、（ｉｉ）端末装置１のバッファに送信のために利用できるデータ（available data for transmission）がない場合にＬＡＡセカンダリーセルに対して設定されるグラントに対応する上り
リンク送信をスキップすることを端末装置１がサポートしていることを示してもよい。能力パラメータskipUplinkLaaSPSは、（ｉ）端末装置１がＬＡＡセカンダリーセルにおけるセミパーシステントスケジューリングをサポートしていないこと、および、（ｉｉ）端末装置１のバッファに送信のために利用できるデータ（available data for transmission
）がない場合にＬＡＡセカンダリーセルに対して設定されるグラントに対応する上りリンク送信をスキップすることを端末装置１がサポートしていないことを示してもよい。すなわち、能力パラメータskipUplinkLaaSPSは、（ｉ）ＬＡＡセカンダリーセルにおけるセミパーシステントスケジューリング、および、（ｉｉ）端末装置１のバッファに送信のために利用できるデータ（available data for transmission）がない場合にＬＡＡセカンダ
リーセルに対して設定されるグラントに対応する上りリンク送信をスキップすることの一方のみを端末装置１がサポートすることを示すことはできない。
【０２８５】
能力パラメータskipUplinkDynamicは、端末装置１のバッファに送信のために利用でき
るデータ（available data for transmission）がない場合にＣ−ＲＮＴＩに対応する上
りリンクグラントに対応する上りリンク送信をスキップすることを端末装置１がサポートしているかどうかを示してもよい。
【０２８６】
能力パラメータcrossCarrierSchedulingLAA-DLは、端末装置１がＬＡＡセカンダリーセルの下りリンクにおいてプライマリーセルおよびセカンダリーセルからのクロスキャリアスケジューリングをサポートしているかどうかを示してもよい。すなわち、能力パラメータcrossCarrierSchedulingLAA-DLは、端末装置１がＬＡＡセカンダリーセルをスケジューリングするための下りリンクアサインメントを含むＰＤＣＣＨを、プライマリーセルまたはセカンダリーセルにおいて受信することをサポートしているかどうかを示してもよい。
【０２８７】
能力パラメータcrossCarrierSchedulingLAA-ULは、端末装置１がＬＡＡセカンダリーセルの上りリンクにおいてプライマリーセルおよびセカンダリーセルからのクロスキャリアスケジューリングをサポートしているかどうかを示してもよい。すなわち、能力パラメータcrossCarrierSchedulingLAA-ULは、端末装置１がＬＡＡセカンダリーセルをスケジューリングするための上りリンクグラントを含むＰＤＣＣＨを、プライマリーセルまたはセカンダリーセルにおいて受信することをサポートしているかどうかを示してもよい。すなわち、能力パラメータcrossCarrierSchedulingLAA-ULは、端末装置１がＬＡＡセカンダリーセルにおけるセミパーシステントなＰＵＳＣＨのリソースを活性化またはリリースするためのＤＣＩフォーマットを含むＰＤＣＣＨを、プライマリーセルまたはセカンダリーセルにおいて受信することをサポートしているかどうかを示してもよい。
【０２８８】
能力パラメータcrossCarrierSchedulingLAA-ULが、端末装置１がＬＡＡセカンダリーセルの上りリンクにおいてプライマリーセルおよびセカンダリーセルからのクロスキャリアスケジューリングをサポートしていることを示す場合のみ、能力パラメータskipUplinkLaaSPSは、（ｉ）端末装置１がＬＡＡセカンダリーセルにおけるＳＰＳをサポートしていること、および、（ｉｉ）端末装置１のバッファに送信のために利用できるデータ（available data for transmission）がない場合にＬＡＡセカンダリーセルに対して設定される
グラントに対応する上りリンク送信をスキップすることを端末装置１がサポートしていることを示してもよい。また、端末装置１がＬＡＡセカンダリーセルに対する上りリンクグラントを含むＰＤＣＣＨをプライマリーセル、または、セカンダリーセルにおいてモニタするよう設定されている場合のみ、当該ＬＡＡセカンダリーセルに対するパラメータskipUplinkTxLaaSPSが設定されてもよい。端末装置１がＬＡＡセカンダリーセルに対する上りリンクグラントを含むＰＤＣＣＨをプライマリーセル、または、セカンダリーセルにおいてモニタするよう設定されていない場合、当該ＬＡＡセカンダリーセルに対するパラメータskipUplinkTxLaaSPSは設定されなくてもよい。
【０２８９】
端末装置１がＬＡＡセカンダリーセルに対する上りリンクグラントを含むＰＤＣＣＨをプライマリーセル、または、セカンダリーセルにおいてモニタするよう設定されている場合、端末装置１は、ＬＡＡセカンダリーセルにおけるセミパーシステントなＰＵＳＣＨのリソースを活性化またはリリースするためのＤＣＩフォーマットを含むＰＤＣＣＨを、プ
ライマリーセルまたはセカンダリーセルにおいて受信してもよい。
【０２９０】
端末装置１がＬＡＡセカンダリーセルに対する上りリンクグラントを含むＰＤＣＣＨを当該ＬＡＡセカンダリーセルにおいてモニタするよう設定されていたとしても、端末装置１は、ＬＡＡセカンダリーセルにおけるセミパーシステントなＰＵＳＣＨのリソースをリリースするためのＤＣＩフォーマットを含むＰＤＣＣＨを、プライマリーセルまたはセカンダリーセルにおいて受信してもよい。
【０２９１】
端末装置１がＬＡＡセカンダリーセルに対する上りリンクグラントを含むＰＤＣＣＨを当該ＬＡＡセカンダリーセルにおいてモニタするよう設定されている場合、端末装置１は、ＬＡＡセカンダリーセルにおけるセミパーシステントなＰＵＳＣＨのリソースを活性化するためのＤＣＩフォーマットを含むＰＤＣＣＨを、ＬＡＡセカンダリーセルにおいて受信してもよい。端末装置１がＬＡＡセカンダリーセルに対する上りリンクグラントを含むＰＤＣＣＨを当該ＬＡＡセカンダリーセルにおいてモニタするよう設定されていたとしても、端末装置１は、ＬＡＡセカンダリーセルにおけるセミパーシステントなＰＵＳＣＨのリソースを活性化するためのＤＣＩフォーマットを含むＰＤＣＣＨを、プライマリーセルまたはセカンダリーセルにおいて受信してもよい。
【０２９２】
以下、本実施形態における装置の構成について説明する。
【０２９３】
図８は、本実施形態における端末装置１の構成を示す概略ブロック図である。図に示すように、端末装置１は、上位層処理部１０１、制御部１０３、受信部１０５、送信部１０７と送受信アンテナ部１０９を含んで構成される。また、上位層処理部１０１は、無線リソース制御部１０１１、媒体アクセス制御層処理部１０１２、スケジューリング情報解釈部１０１３、および、ＳＰＳ制御部１０１５を含んで構成される。また、受信部１０５は、復号化部１０５１、復調部１０５３、多重分離部１０５５、無線受信部１０５７とチャネル測定部１０５９を含んで構成される。また、送信部１０７は、符号化部１０７１、変調部１０７３、多重部１０７５、無線送信部１０７７と上りリンク参照信号生成部１０７９を含んで構成される。
【０２９４】
上位層処理部１０１は、ユーザーの操作等により生成された上りリンクデータ（トランスポートブロック）を、送信部１０７に出力する。また、上位層処理部１０１は、媒体アクセス制御（MAC: Medium Access Control）層、パケットデータ統合プロトコル（Packet
Data Convergence Protocol: PDCP）層、無線リンク制御（Radio Link Control: RLC）
層、無線リソース制御（Radio Resource Control: RRC）層の処理を行なう。
【０２９５】
上位層処理部１０１が備える無線リソース制御部１０１１は、自装置の各種設定情報／パラメータの管理をする。無線リソース制御部１０１１は、基地局装置３から受信した上位層の信号に基づいて各種設定情報／パラメータをセットする。すなわち、無線リソース制御部１０１１は、基地局装置３から受信した各種設定情報／パラメータを示す情報に基づいて各種設定情報／パラメータをセットする。また、無線リソース制御部１０１１は、上りリンクの各チャネルに配置される情報を生成し、送信部１０７に出力する。無線リソース制御部１０１１を設定部１０１１とも称する。
【０２９６】
上位層処理部１０１が備える媒体アクセス制御層処理部１０１２は、媒体アクセス制御（MAC: Medium Access Control）層の処理を行なう。媒体アクセス制御層処理部１０１２は、ＭＡＣエンティティ、ＨＡＲＱエンティティ、および、第１のエンティティの処理を行う。
【０２９７】
ここで、上位層処理部１０１が備えるスケジューリング情報解釈部１０１３は、受信部
１０５を介して受信したＤＣＩフォーマット（スケジューリング情報）の解釈をし、前記ＤＣＩフォーマットを解釈した結果に基づき、受信部１０５、および送信部１０７の制御を行なうために制御情報を生成し、制御部１０３に出力する。
【０２９８】
また、上位層処理部１０１が備えるＳＰＳ制御部１０１５は、各種設定情報、および、パラメータなどＳＰＳに関連する情報、状況に基づいて、ＳＰＳに関連する制御を行う。
【０２９９】
また、制御部１０３は、上位層処理部１０１からの制御情報に基づいて、受信部１０５、および送信部１０７の制御を行なう制御信号を生成する。制御部１０３は、生成した制御信号を受信部１０５、および送信部１０７に出力して受信部１０５、および送信部１０７の制御を行なう。
【０３００】
また、受信部１０５は、制御部１０３から入力された制御信号に従って、送受信アンテナ部１０９を介して基地局装置３から受信した受信信号を、分離、復調、復号し、復号した情報を上位層処理部１０１に出力する。
【０３０１】
また、無線受信部１０５７は、送受信アンテナ部１０９を介して受信した下りリンクの信号を、直交復調によりベースバンド信号に変換し（ダウンコンバート: down covert）
、不要な周波数成分を除去し、信号レベルが適切に維持されるように増幅レベルを制御し、受信した信号の同相成分および直交成分に基づいて、直交復調し、直交復調されたアナログ信号をディジタル信号に変換する。無線受信部１０５７は、変換したディジタル信号からＣＰ（Cyclic Prefix）に相当する部分を除去し、ＣＰを除去した信号に対して高速
フーリエ変換（Fast Fourier Transform: FFT）を行い、周波数領域の信号を抽出する。
【０３０２】
また、多重分離部１０５５は、抽出した信号をＰＨＩＣＨ、ＰＤＣＣＨ、ＥＰＤＣＣＨ、ＰＤＳＣＨ、および下りリンク参照信号に、それぞれ分離する。また、多重分離部１０５５は、チャネル測定部１０５９から入力された伝搬路の推定値から、ＰＨＩＣＨ、ＰＤＣＣＨ、ＥＰＤＣＣＨ、およびＰＤＳＣＨの伝搬路の補償を行なう。また、多重分離部１０５５は、分離した下りリンク参照信号をチャネル測定部１０５９に出力する。
【０３０３】
また、復調部１０５３は、ＰＨＩＣＨに対して対応する符号を乗算して合成し、合成した信号に対してＢＰＳＫ（Binary Phase Shift Keying）変調方式の復調を行ない、復号
化部１０５１へ出力する。復号化部１０５１は、自装置宛てのＰＨＩＣＨを復号し、復号したＨＡＲＱインディケータを上位層処理部１０１に出力する。復調部１０５３は、ＰＤＣＣＨおよび／またはＥＰＤＣＣＨに対して、ＱＰＳＫ変調方式の復調を行ない、復号化部１０５１へ出力する。復号化部１０５１は、ＰＤＣＣＨおよび／またはＥＰＤＣＣＨの復号を試み、復号に成功した場合、復号した下りリンク制御情報と下りリンク制御情報が対応するＲＮＴＩとを上位層処理部１０１に出力する。
【０３０４】
また、復調部１０５３は、ＰＤＳＣＨに対して、ＱＰＳＫ（Quadrature Phase Shift Keying）、１６ＱＡＭ（Quadrature Amplitude Modulation）、６４ＱＡＭ等の下りリンクグラントで通知された変調方式の復調を行ない、復号化部１０５１へ出力する。復号化部１０５１は、下りリンク制御情報で通知された符号化率に関する情報に基づいて復号を行い、復号した下りリンクデータ（トランスポートブロック）を上位層処理部１０１へ出力する。
【０３０５】
また、チャネル測定部１０５９は、多重分離部１０５５から入力された下りリンク参照信号から下りリンクのパスロスやチャネルの状態を測定し、測定したパスロスやチャネルの状態を上位層処理部１０１へ出力する。また、チャネル測定部１０５９は、下りリンク参照信号から下りリンクの伝搬路の推定値を算出し、多重分離部１０５５へ出力する。チ
ャネル測定部１０５９は、ＣＱＩ（ＣＳＩでもよい）の算出のために、チャネル測定、および／または、干渉測定を行なう。
【０３０６】
また、送信部１０７は、制御部１０３から入力された制御信号に従って、上りリンク参照信号を生成し、上位層処理部１０１から入力された上りリンクデータ（トランスポートブロック）を符号化および変調し、ＰＵＣＣＨ、ＰＵＳＣＨ、および生成した上りリンク参照信号を多重し、送受信アンテナ部１０９を介して基地局装置３に送信する。また、送信部１０７は、上りリンク制御情報を送信する。
【０３０７】
また、符号化部１０７１は、上位層処理部１０１から入力された上りリンク制御情報を畳み込み符号化、ブロック符号化等の符号化を行う。また、符号化部１０７１は、ＰＵＳＣＨのスケジューリングに用いられる情報に基づきターボ符号化を行なう。
【０３０８】
また、変調部１０７３は、符号化部１０７１から入力された符号化ビットをＢＰＳＫ、ＱＰＳＫ、１６ＱＡＭ、６４ＱＡＭ等の下りリンク制御情報で通知された変調方式または、チャネル毎に予め定められた変調方式で変調する。変調部１０７３は、ＰＵＳＣＨのスケジューリングに用いられる情報に基づき、空間多重されるデータの系列の数を決定し、ＭＩＭＯ（Multiple Input Multiple Output）ＳＭ（Spatial Multiplexing）を用いることにより同一のＰＵＳＣＨで送信される複数の上りリンクデータを、複数の系列にマッピングし、この系列に対してプレコーディング（precoding）を行なう。
【０３０９】
また、上りリンク参照信号生成部１０７９は、基地局装置３を識別するための物理レイヤセル識別子（physical layer cell identity: PCI、Cell IDなどと称する。）、上りリンク参照信号を配置する帯域幅、上りリンクグラントで通知されたサイクリックシフト、ＤＭＲＳシーケンスの生成に対するパラメータの値などを基に、予め定められた規則（式）で求まる系列を生成する。多重部１０７５は、制御部１０３から入力された制御信号に従って、ＰＵＳＣＨの変調シンボルを並列に並び替えてから離散フーリエ変換（Discrete
Fourier Transform: DFT）する。また、多重部１０７５は、ＰＵＣＣＨとＰＵＳＣＨの
信号と生成した上りリンク参照信号を送信アンテナポート毎に多重する。つまり、多重部１０７５は、ＰＵＣＣＨとＰＵＳＣＨの信号と生成した上りリンク参照信号を送信アンテナポート毎にリソースエレメントに配置する。
【０３１０】
また、無線送信部１０７７は、多重された信号を逆高速フーリエ変換（Inverse Fast Fourier Transform: IFFT）して、ＳＣ−ＦＤＭＡシンボルを生成し、生成されたＳＣ−ＦＤＭＡシンボルにＣＰを付加し、ベースバンドのディジタル信号を生成し、ベースバンドのディジタル信号をアナログ信号に変換し、ローパスフィルタを用いて余分な周波数成分を除去し、搬送波周波数にアップコンバート（up convert）し、電力増幅し、送受信アンテナ部１０９に出力して送信する。
【０３１１】
図９は、本実施形態における基地局装置３の構成を示す概略ブロック図である。図に示すように、基地局装置３は、上位層処理部３０１、制御部３０３、受信部３０５、送信部３０７、および、送受信アンテナ部３０９、を含んで構成される。また、上位層処理部３０１は、無線リソース制御部３０１１、媒体アクセス制御層処理部３０１２、スケジューリング部３０１３、および、ＳＰＳ制御部３０１５を含んで構成される。また、受信部３０５は、復号化部３０５１、復調部３０５３、多重分離部３０５５、無線受信部３０５７とチャネル測定部３０５９を含んで構成される。また、送信部３０７は、符号化部３０７１、変調部３０７３、多重部３０７５、無線送信部３０７７と下りリンク参照信号生成部３０７９を含んで構成される。
【０３１２】
上位層処理部３０１は、媒体アクセス制御（MAC: Medium Access Control）層、パケッ
トデータ統合プロトコル（Packet Data Convergence Protocol: PDCP）層、無線リンク制御（Radio Link Control: RLC）層、無線リソース制御（Radio Resource Control: RRC）層の処理を行なう。また、上位層処理部３０１は、受信部３０５、および送信部３０７の制御を行なうために制御情報を生成し、制御部３０３に出力する。
【０３１３】
また、上位層処理部３０１が備える無線リソース制御部３０１１は、下りリンクのＰＤＳＣＨに配置される下りリンクデータ（トランスポートブロック）、システムインフォメーション、ＲＲＣメッセージ、ＭＡＣ  ＣＥ（Control Element）などを生成し、又は上
位ノードから取得し、送信部３０７に出力する。また、無線リソース制御部３０１１は、端末装置１各々の各種設定情報／パラメータの管理をする。無線リソース制御部３０１１は、上位層の信号を介して端末装置１各々に対して各種設定情報／パラメータをセットしてもよい。すなわち、無線リソース制御部１０１１は、各種設定情報／パラメータを示す情報を送信／報知する。無線リソース制御部３０１１を設定部３０１１とも称する。
【０３１４】
上位層処理部３０１が備える媒体アクセス制御層処理部３０１２は、媒体アクセス制御（MAC: Medium Access Control）層の処理を行なう。媒体アクセス制御層処理部３０１２は、ＭＡＣエンティティ、ＨＡＲＱエンティティ、および、第１のエンティティの処理を行う。
【０３１５】
また、上位層処理部３０１が備えるスケジューリング部３０１３は、受信したチャネル状態情報およびチャネル測定部３０５９から入力された伝搬路の推定値やチャネルの品質などから、物理チャネル（ＰＤＳＣＨおよびＰＵＳＣＨ）を割り当てる周波数およびサブフレーム、物理チャネル（ＰＤＳＣＨおよびＰＵＳＣＨ）の符号化率および変調方式および送信電力などを決定する。スケジューリング部３０１３は、スケジューリング結果に基づき、受信部３０５、および送信部３０７の制御を行なうために制御情報（例えば、ＤＣＩフォーマット）を生成し、制御部３０３に出力する。スケジューリング部３０１３は、さらに、送信処理および受信処理を行うタイミングを決定する。
【０３１６】
また、上位層処理部３０１が備えるＳＰＳ制御部３０１５は、各種設定情報、および、パラメータなどＳＰＳに関連する情報、状況に基づいて、ＳＰＳに関連する制御を行う。
【０３１７】
また、制御部３０３は、上位層処理部３０１からの制御情報に基づいて、受信部３０５、および送信部３０７の制御を行なう制御信号を生成する。制御部３０３は、生成した制御信号を受信部３０５、および送信部３０７に出力して受信部３０５、および送信部３０７の制御を行なう。
【０３１８】
また、受信部３０５は、制御部３０３から入力された制御信号に従って、送受信アンテナ部３０９を介して端末装置１から受信した受信信号を分離、復調、復号し、復号した情報を上位層処理部３０１に出力する。無線受信部３０５７は、送受信アンテナ部３０９を介して受信された上りリンクの信号を、直交復調によりベースバンド信号に変換し（ダウンコンバート: down covert）、不要な周波数成分を除去し、信号レベルが適切に維持さ
れるように増幅レベルを制御し、受信された信号の同相成分および直交成分に基づいて、直交復調し、直交復調されたアナログ信号をディジタル信号に変換する。また、受信部３０５は、上りリンク制御情報を受信する。
【０３１９】
また、無線受信部３０５７は、変換したディジタル信号からＣＰ（Cyclic Prefix）に
相当する部分を除去する。無線受信部３０５７は、ＣＰを除去した信号に対して高速フーリエ変換（Fast Fourier Transform: FFT）を行い、周波数領域の信号を抽出し多重分離
部３０５５に出力する。
【０３２０】
また、多重分離部１０５５は、無線受信部３０５７から入力された信号をＰＵＣＣＨ、ＰＵＳＣＨ、上りリンク参照信号などの信号に分離する。尚、この分離は、予め基地局装置３が無線リソース制御部３０１１で決定し、各端末装置１に通知した上りリンクグラントに含まれる無線リソースの割り当て情報に基づいて行なわれる。また、多重分離部３０５５は、チャネル測定部３０５９から入力された伝搬路の推定値から、ＰＵＣＣＨとＰＵＳＣＨの伝搬路の補償を行なう。また、多重分離部３０５５は、分離した上りリンク参照信号をチャネル測定部３０５９に出力する。
【０３２１】
また、復調部３０５３は、ＰＵＳＣＨを逆離散フーリエ変換（Inverse Discrete Fourier Transform: IDFT）し、変調シンボルを取得し、ＰＵＣＣＨとＰＵＳＣＨの変調シンボルそれぞれに対して、ＢＰＳＫ（Binary Phase Shift Keying）、ＱＰＳＫ、１６ＱＡＭ
、６４ＱＡＭ等の予め定められた、または自装置が端末装置１各々に上りリンクグラントで予め通知した変調方式を用いて受信信号の復調を行なう。復調部３０５３は、端末装置１各々に上りリンクグラントで予め通知した空間多重される系列の数と、この系列に対して行なうプリコーディングを指示する情報に基づいて、ＭＩＭＯ  ＳＭを用いることにより同一のＰＵＳＣＨで送信された複数の上りリンクデータの変調シンボルを分離する。
【０３２２】
また、復号化部３０５１は、復調されたＰＵＣＣＨとＰＵＳＣＨの符号化ビットを、予め定められた符号化方式の、予め定められた、又は自装置が端末装置１に上りリンクグラントで予め通知した符号化率で復号を行ない、復号した上りリンクデータと、上りリンク制御情報を上位層処理部１０１へ出力する。ＰＵＳＣＨが再送信の場合は、復号化部３０５１は、上位層処理部３０１から入力されるＨＡＲＱバッファに保持している符号化ビットと、復調された符号化ビットを用いて復号を行なう。チャネル測定部３０９は、多重分離部３０５５から入力された上りリンク参照信号から伝搬路の推定値、チャネルの品質などを測定し、多重分離部３０５５および上位層処理部３０１に出力する。
【０３２３】
また、送信部３０７は、制御部３０３から入力された制御信号に従って、下りリンク参照信号を生成し、上位層処理部３０１から入力されたＨＡＲＱインディケータ、下りリンク制御情報、下りリンクデータを符号化、および変調し、ＰＨＩＣＨ、ＰＤＣＣＨ、ＥＰＤＣＣＨ、ＰＤＳＣＨ、および下りリンク参照信号を多重して、送受信アンテナ部３０９を介して端末装置１に信号を送信する。
【０３２４】
また、符号化部３０７１は、上位層処理部３０１から入力されたＨＡＲＱインディケータ、下りリンク制御情報、および下りリンクデータを、ブロック符号化、畳み込み符号化、ターボ符号化等の予め定められた符号化方式を用いて符号化を行なう、または無線リソース制御部３０１１が決定した符号化方式を用いて符号化を行なう。変調部３０７３は、符号化部３０７１から入力された符号化ビットをＢＰＳＫ、ＱＰＳＫ、１６ＱＡＭ、６４ＱＡＭ等の予め定められた、または無線リソース制御部３０１１が決定した変調方式で変調する。
【０３２５】
また、下りリンク参照信号生成部３０７９は、基地局装置３を識別するための物理レイヤセル識別子（ＰＣＩ）などを基に予め定められた規則で求まる、端末装置１が既知の系列を下りリンク参照信号として生成する。多重部３０７５は、変調された各チャネルの変調シンボルと生成された下りリンク参照信号を多重する。つまり、多重部３０７５は、変調された各チャネルの変調シンボルと生成された下りリンク参照信号をリソースエレメントに配置する。
【０３２６】
また、無線送信部３０７７は、多重された変調シンボルなどを逆高速フーリエ変換（Inverse Fast Fourier Transform: IFFT）して、ＯＦＤＭシンボルを生成し、生成したＯＦＤＭシンボルにＣＰを付加し、ベースバンドのディジタル信号を生成し、ベースバンドの
ディジタル信号をアナログ信号に変換し、ローパスフィルタにより余分な周波数成分を除去し、搬送波周波数にアップコンバート（up convert）し、電力増幅し、送受信アンテナ部３０９に出力して送信する。
【０３２７】
以下、本実施形態における、端末装置１、および、基地局装置３の種々の態様について説明する。
【０３２８】
（１）本実施形態の第１の態様は端末装置１であって、上位層のパラメータskipUplinkTxSPSを受信する受信部と、前記上位層のパラメータskipUplinkTxSPSが設定されているかどうかに少なくとも基づいて、ＭＡＣプロトコルデータユニットを生成するかどうかを決定する媒体アクセス制御層処理部と、を備え、前記媒体アクセス制御層処理部は、前記上位層のパラメータが設定されているかどうかに少なくとも基づいて、非適応再送信を実行するかどうかを決定する。ここで、前記媒体アクセス制御層処理部は、上りリンクＨＡＲＱオペレーションが非同期である場合に、前記上位層のパラメータskipUplinkTxSPSが設
定されているかどうかに少なくとも基づいて、非適応再送信を実行するかどうかを決定してもよい。
【０３２９】
（２）本実施形態の第１の態様において、前記媒体アクセス制御層処理部は、上りリンクＨＡＲＱオペレーションが同期である場合に、前記上位層のパラメータskipUplinkTxSPSが設定されているかどうかに係わらず、セミパーシステントスケジューリングされたト
ランスポートブロックの非適応再送信を実行するかどうかを決定する。
【０３３０】
（３）本実施形態の第１の態様において、前記媒体アクセス制御層処理部は、前記上位層のパラメータskipUplinkTxSPSが設定されており、且つ、上りリンクグラントが設定さ
れるグラントであり、且つ、ＭＡＣプロトコルデータユニットがＭＡＣサービスデータユニットを含まず、パディングＢＳＲまたは周期的ＢＳＲのためのＭＡＣ  ＣＥのみを含む場合に、前記ＭＡＣプロトコルデータユニットを生成しない。本実施形態の第１の態様において、前記媒体アクセス制御層処理部は、前記上位層のパラメータskipUplinkTxSPSが
設定されており、且つ、上りリンクグラントが設定されるグラントであり、且つ、ＭＡＣプロトコルデータユニットがＭＡＣサービスデータユニット、および、パディングＢＳＲまたは周期的ＢＳＲのためのＭＡＣ  ＣＥ以外のＭＡＣ  ＣＥを含まない場合に、前記ＭＡＣプロトコルデータユニットを生成しない。
【０３３１】
（４）本実施形態の第２の態様は基地局装置３であって、ＭＡＣプロトコルデータユニットを生成するかどうかを決定するために端末装置によって用いられる上位層のパラメータskipUplinkTxSPSを送信する送信部と、非適応再送信を受信する受信部と、前記上位層
のパラメータskipUplinkTxSPSが前記端末装置に対して設定されているかどうかに少なく
とも基づいて、非適応再送信が前記端末装置によって実行されるかどうかを決定する媒体アクセス制御層処理部と、を備える。ここで、前記媒体アクセス制御層処理部は、上りリンクＨＡＲＱオペレーションが非同期である場合に、前記上位層のパラメータskipUplinkTxSPSが前記端末装置に対して設定されているかどうかに少なくとも基づいて、非適応再
送信が前記端末装置によって実行されるかどうかを決定してもよい。
【０３３２】
（５）本実施形態の第２の態様において、前記媒体アクセス制御層処理部は、上りリンクＨＡＲＱオペレーションが同期である場合に、前記上位層のパラメータskipUplinkTxSPSが前記端末装置に対して設定されているかどうかに係わらず、セミパーシステントスケ
ジューリングされたトランスポートブロックの非適応再送信が前記端末装置によって実行されるかどうかを決定する。
【０３３３】
（６）本実施形態の第２の態様において、前記上位層のパラメータskipUplinkTxSPSが
前記端末装置に対して設定されており、且つ、上りリンクグラントが設定されるグラントであり、且つ、ＭＡＣプロトコルデータユニットがＭＡＣサービスデータユニットを含まず、パディングＢＳＲまたは周期的ＢＳＲのためのＭＡＣ  ＣＥを含む場合に、前記端末装置によって前記ＭＡＣプロトコルデータユニットは生成されない。
【０３３４】
（７）本実施形態の第３の態様は端末装置１であって、上位層のパラメータskipUplinkTxSPSの設定またはリリースを指示する上位層の情報、および、上りリンクグラントを受
信する受信部と、前記上りリンクグラントを設定されるグラントとしてストアし、且つ、前記上位層のパラメータskipUplinkTxSPSが設定されているかどうかに少なくとも基づい
て上りリンクＨＡＲＱオペレーションが同期か非同期かを決定する媒体アクセス制御層処理部と、を備え、前記媒体アクセス制御層処理部は、前記上位層のパラメータが予め（previously）設定されている、且つ、前記上位層のパラメータskipUplinkTxSPSのリリース
を指示する前記上位層の情報を受信した場合、前記設定されるグラントをクリアする。
【０３３５】
（８）本実施形態の第３の態様において、前記媒体アクセス制御層処理部は、前記上位層のパラメータskipUplinkTxSPSが予め（previously）設定されていない、且つ、前記上
位層のパラメータskipUplinkTxSPSの設定を指示する前記上位層の情報を受信した場合、
前記設定されるグラントをクリアする。
【０３３６】
（９）本実施形態の第３の態様において、前記媒体アクセス制御層処理部は、前記上位層のパラメータskipUplinkTxSPSが予め（previously）リリースされている、且つ、前記
上位層のパラメータskipUplinkTxSPSの設定を指示する前記上位層の情報を受信した場合
、前記設定されるグラントをクリアする。
【０３３７】
（１０）本実施形態の第４の態様は基地局装置３であって、上位層のパラメータskipUplinkTxSPSの設定またはリリースを指示する上位層の情報、および、設定されるグラント
として端末装置によってストアされる上りリンクグラントを送信する送信部と、前記上位層のパラメータskipUplinkTxSPSが前記端末装置に対して設定されているかどうかに少な
くとも基づいて上りリンクＨＡＲＱオペレーションが同期か非同期かを決定する媒体アクセス制御層処理部と、を備え、前記媒体アクセス制御層処理部は、前記上位層のパラメータskipUplinkTxSPSが前記端末装置に対して予め（previously）設定されている、且つ、
前記上位層のパラメータskipUplinkTxSPSのリリースを指示する前記上位層の情報を端末
装置に送信した場合、前記設定されるグラントが前記端末装置によってクリアされるとみなす。
【０３３８】
（１１）本実施形態の第３の態様において、前記媒体アクセス制御層処理部は、前記上位層のパラメータskipUplinkTxSPSが前記端末装置に対して予め（previously）設定され
ていない、且つ、前記上位層のパラメータskipUplinkTxSPSの設定を指示する前記上位層
の情報を前記端末装置に送信した場合、前記設定されるグラントが前記端末装置によってクリアされるとみなす。
【０３３９】
（１２）本実施形態の第３の態様において、前記媒体アクセス制御層処理部は、前記上位層のパラメータskipUplinkTxSPSが前記端末装置において予め（previously）リリース
されている、且つ、前記上位層のパラメータskipUplinkTxSPSの設定を指示する前記上位
層の情報を前記端末装置に送信した場合、前記設定されるグラントが前記端末装置によってクリアされるとみなす。
【０３４０】
（１３）本実施形態の第４の態様は端末装置１であって、端末装置１に関する能力情報UECapabilityInformationの伝送を要求するために用いられる情報UECapabilityEnquiryを、基地局装置３から受信する受信部と、前記能力情報UECapabilityInformationを前記基
地局装置３に送信する送信部と、を備え、前記能力情報UECapabilityInformationは、能
力パラメータSPS、能力パラメータskipUplinkSPS、および、能力パラメータskipUplinkLaaSPSを少なくとも含み、前記能力パラメータSPSは前記端末装置１がプライマリーセルに
おけるセミパーシステントスケジューリングをサポートするかどうか示し、前記能力パラメータskipUplinkSPSは前記端末装置１が前記端末装置１のバッファに送信のために利用
できるデータがない場合に前記プライマリーセルに対して設定されるグラントに対応する上りリンク送信をスキップすることをサポートしているかどうかを示し、前記能力パラメータskipUplinkLaaSPSは（ｉ）前記端末装置１がＬＡＡセカンダリーセルにおけるセミパーシステントスケジューリングをサポートするかどうか、および、（ｉｉ）前記端末装置１が前記端末装置１のバッファに送信のために利用できるデータがない場合に前記ＬＡＡセカンダリーセルに対して設定されるグラントに対応する上りリンク送信をスキップすることをサポートしているかどうかを示す。
【０３４１】
（１４）本実施形態の第５の態様は基地局装置３であって、端末装置１に関する能力情報UECapabilityInformationの伝送を要求するために用いられる情報UECapabilityEnquiryを、前記端末装置１に送信する送信部と、前記能力情報UECapabilityInformationを前記
端末装置１から受信する受信部と、を備え、前記能力情報UECapabilityInformationは、
能力パラメータSPS、能力パラメータskipUplinkSPS、および、能力パラメータskipUplinkLaaSPSを少なくとも含み、前記能力パラメータSPSは、前記端末装置がプライマリーセル
におけるセミパーシステントスケジューリングをサポートするかどうか示し、前記能力パラメータskipUplinkSPSは、前記端末装置１が前記端末装置１のバッファに送信のために
利用できるデータがない場合に前記プライマリーセルに対して設定されるグラントに対応する上りリンク送信をスキップすることをサポートしているかどうかを示し、前記能力パラメータskipUplinkLaaSPSは（ｉ）前記端末装置１がＬＡＡセカンダリーセルにおけるセミパーシステントスケジューリングをサポートするかどうか、および、（ｉｉ）前記端末装置１が前記端末装置１のバッファに送信のために利用できるデータがない場合に前記ＬＡＡセカンダリーセルに対して設定されるグラントに対応する上りリンク送信をスキップすることをサポートしているかどうかを示す。
【０３４２】
（１５）本実施形態の第４と第５の態様において、前記能力パラメータskipUplinkLaaSPSは（ｉ）前記ＬＡＡセカンダリーセルにおけるセミパーシステントスケジューリング、および、（ｉｉ）前記端末装置１のバッファに送信のために利用できるデータがない場合に前記ＬＡＡセカンダリーセルに対して設定されるグラントに対応する上りリンク送信をスキップすることをサポートしているの一方を端末装置１がサポートしていることを示さない。
【０３４３】
（１６）本実施形態の第４と第５の態様において、前記能力情報UECapabilityInformationは、さらに、能力パラメータskipUplinkDynamicを含み、前記能力パラメータskipUplinkDynamicは前記端末装置１のバッファに送信のために利用できるデータがない場合に、
前記プライマリーセルに対する上りリンクグラントに対応する上りリンク送信、および、前記ＬＡＡセカンダリーセルに対する上りリンクグラントに対応する上りリンク送信をスキップすることをサポートしているかどうかを示す。ここで、前記プライマリーセルに対する前記上りリンクグラント、および、前記ＬＡＡセカンダリーセルに対する前記上りリンクグラントは、Ｃ−ＲＮＴＩに対応する。
【０３４４】
（１７）本実施形態の第６の態様はプライマリーセルおよびＬＡＡセカンダリーセルを用いて基地局装置３と通信する端末装置１であって、プライマリーセルに対応するパラメータskipUplinkTxSPSを示す情報、前記ＬＡＡセカンダリーセルに対応するパラメータskipUplinkTxLaaSPSを示す情報、および、前記プライマリーセルおよび前記ＬＡＡセカンダ
リーセルに対応するパラメータskipUplinkTxDynamicを示す情報を受信する受信部と、上
りリンク送信を実行する送信部と、を備え、前記送信部は、さらに、前記パラメータskipUplinkTxSPSが設定されていることに少なくとも基づいて、前記プライマリーセルに対し
て設定される第１の上りリンクグラントに対応する第１の上りリンク送信をスキップし、前記パラメータskipUplinkTxLaaSPSが設定されていることに少なくとも基づいて、前記ＬＡＡセカンダリーセルに対して設定される第２の上りリンクグラントに対応する第２の上りリンク送信をスキップし、前記パラメータ  skipUplinkTxDynamicが設定されているこ
とに少なくとも基づいて、前記プライマリーセルにおける第３の上りリンク送信、および、前記ＬＡＡセカンダリーセルにおける第４の上りリンク送信をスキップし、前記第３の上りリンク送信はＣ−ＲＮＴＩに対応する第３の上りリンクグラントに対応し、前記第４の上りリンク送信は前記Ｃ−ＲＮＴＩに対応する第４の上りリンクグラントに対応する。
【０３４５】
（１８）本実施形態の第６の態様において、前記端末装置１は、さらに、第２のＬＡＡセカンダリーセルを用いて基地局装置３と通信し、前記受信部は、さらに、前記第２のＬＡＡセカンダリーセルに対応する第２のパラメータskipUplinkTxLaaSPSを示す情報を受信し、前記送信部は、さらに、前記第２のパラメータskipUplinkTxLaaSPSが設定されていることに少なくとも基づいて、前記第２のＬＡＡセカンダリーセルに対して設定される第５の上りリンクグラントに対応する第５の上りリンク送信をスキップする。
【０３４６】
（１９）本実施形態の第６の態様において、設定される上りリンクグラントは、設定されるグラントであってもよい。本実施形態の第６の態様において、端末装置１は、ＰＤＣＣＨ、または、ＲＲＣメッセージ（パラメータsemiPersistSchedResourceUL）に含まれる上りリンクグラントを、設定される上りリンクグラントとしてストアしてもよい。
【０３４７】
（２０）本実施形態の第４から第６の態様において、上りリンク送信はＰＵＳＣＨ送信であってもよい。本実施形態の第４から第６の態様において、上りリンク送信はＰＵＳＣＨ初期送信であってもよい。
【０３４８】
これにより、上りリンクデータを効率的に送信することができる。
【０３４９】
本発明に関わる基地局装置３、および端末装置１で動作するプログラムは、本発明に関わる上記実施形態の機能を実現するように、ＣＰＵ（Central Processing Unit）等を制
御するプログラム（コンピュータを機能させるプログラム）であってもよい。そして、これら装置で取り扱われる情報は、その処理時に一時的にＲＡＭ（Random Access Memory）に蓄積され、その後、Ｆｌａｓｈ  ＲＯＭ（Read Only Memory)などの各種ＲＯＭやＨＤ
Ｄ（Hard Disk Drive）に格納され、必要に応じてＣＰＵによって読み出し、修正・書き
込みが行われる。
【０３５０】
尚、上述した実施形態における端末装置１、基地局装置３の一部、をコンピュータで実現するようにしてもよい。その場合、この制御機能を実現するためのプログラムをコンピュータが読み取り可能な記録媒体に記録して、この記録媒体に記録されたプログラムをコンピュータシステムに読み込ませ、実行することによって実現してもよい。
【０３５１】
尚、ここでいう「コンピュータシステム」とは、端末装置１、又は基地局装置３に内蔵されたコンピュータシステムであって、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。
【０３５２】
さらに「コンピュータ読み取り可能な記録媒体」とは、インターネット等のネットワークや電話回線等の通信回線を介してプログラムを送信する場合の通信線のように、短時間
、動的にプログラムを保持するもの、その場合のサーバやクライアントとなるコンピュータシステム内部の揮発性メモリのように、一定時間プログラムを保持しているものも含んでもよい。また上記プログラムは、前述した機能の一部を実現するためのものであっても良く、さらに前述した機能をコンピュータシステムにすでに記録されているプログラムとの組み合わせで実現できるものであってもよい。
【０３５３】
また、上述した実施形態における基地局装置３は、複数の装置から構成される集合体（装置グループ）として実現することもできる。装置グループを構成する装置の各々は、上述した実施形態に関わる基地局装置３の各機能または各機能ブロックの一部、または、全部を備えてもよい。装置グループとして、基地局装置３の一通りの各機能または各機能ブロックを有していればよい。また、上述した実施形態に関わる端末装置１は、集合体としての基地局装置と通信することも可能である。
【０３５４】
また、上述した実施形態における基地局装置３は、ＥＵＴＲＡＮ（Evolved Universal Terrestrial Radio Access Network）であってもよい。また、上述した実施形態における基地局装置３は、ｅＮｏｄｅＢに対する上位ノードの機能の一部または全部を有してもよい。
【０３５５】
また、上述した実施形態における端末装置１、基地局装置３の一部、又は全部を典型的には集積回路であるＬＳＩとして実現してもよいし、チップセットとして実現してもよい。端末装置１、基地局装置３の各機能ブロックは個別にチップ化してもよいし、一部、又は全部を集積してチップ化してもよい。また、集積回路化の手法はＬＳＩに限らず専用回路、又は汎用プロセッサで実現してもよい。また、半導体技術の進歩によりＬＳＩに代替する集積回路化の技術が出現した場合、当該技術による集積回路を用いることも可能である。
【０３５６】
また、上述した実施形態では、通信装置の一例として端末装置を記載したが、本願発明は、これに限定されるものではなく、屋内外に設置される据え置き型、または非可動型の電子機器、たとえば、ＡＶ機器、キッチン機器、掃除・洗濯機器、空調機器、オフィス機器、自動販売機、その他生活機器などの端末装置もしくは通信装置にも適用出来る。
【０３５７】
以上、この発明の実施形態に関して図面を参照して詳述してきたが、具体的な構成はこの実施形態に限られるものではなく、この発明の要旨を逸脱しない範囲の設計変更等も含まれる。また、本発明は、請求項に示した範囲で種々の変更が可能であり、異なる実施形態にそれぞれ開示された技術的手段を適宜組み合わせて得られる実施形態についても本発明の技術的範囲に含まれる。また、上記各実施形態に記載された要素であり、同様の効果を奏する要素同士を置換した構成も含まれる。
【符号の説明】
【０３５８】
１（１Ａ、１Ｂ、１Ｃ）  端末装置
３  基地局装置
１０１  上位層処理部
１０３  制御部
１０５  受信部
１０７  送信部
３０１  上位層処理部
３０３  制御部
３０５  受信部
３０７  送信部
１０１１  無線リソース制御部
１０１２  媒体アクセス制御層処理部
１０１３  スケジューリング情報解釈部
１０１５  ＳＰＳ制御部
３０１１  無線リソース制御部
３０１２  媒体アクセス制御層処理部
３０１３  スケジューリング部
３０１５  ＳＰＳ制御部
【図１】
2020107920.tif 000005
【図２】
2020107920.tif 000006
【図３】
2020107920.tif 000007
【図４】
2020107920.tif 000008
【図５】
2020107920.tif 000009
【図６】
2020107920.tif 000010
【図７】
2020107920.tif 000011
【図８】
2020107920.tif 000012
【図９】
2020107920.tif 000013
【図１０】
2020107920.tif 000014
【図１１】
2020107920.tif 000015
【図１２】
2020107920.tif 000016
【図１３】
2020107920.tif 000017
【図１４】
2020107920.tif 000018
【図１５】
2020107920.tif 000019
【図１６】
2020107920.tif 000020
【図１７】
2020107920.tif 000021
【図１８】
2020107920.tif 000022
【図１９】
2020107920.tif 000023
【図２０】
2020107920.tif 000024